(57)【要約】ユーザプレーン機能によって、セッション管理機能から、無線デバイスのデータフローについて少なくとも１つのサービス品質（ＱｏＳ）レポートを要求する、第１のメッセージを受信する。ＱｏＳイベントを示す第１の情報要素と、第２の情報要素とを含む第１のメッセージは、ＱｏＳイベントに対するレイテンシ値を示す。ユーザプレーン機能によって、無線デバイスへ、データフローのパケット伝送レイテンシを監視するための監視パケットを送信する。ユーザプレーン機能によって、データフローのパケット伝送レイテンシおよびレイテンシ値に基づいて、ＱｏＳイベントの発生を判定する。ユーザプレーン機能によって、セッション管理機能へ、データフローについてＱｏＳイベントの発生を示す、第３の情報要素を含む、第２のメッセージを送信する。【選択図】図１０
2021510467.tif 000002
【特許請求の範囲】
【請求項１】
ユーザプレーン機能によって、セッション管理機能から、無線デバイスのデータフローについて、少なくとも１つのサービス品質（ＱｏＳ）レポートを要求する、第１のメッセージを受信することであって、前記第１のメッセージは、
ＱｏＳイベントを示す、第１の情報要素と、
前記ＱｏＳイベントに対するレイテンシ値を示す、第２の情報要素と、
を含む、ことと、
ユーザプレーン機能によって、前記無線デバイスへ、前記データフローのパケット伝送レイテンシを監視するための監視パケットを送信することと、
前記ユーザプレーン機能によって、前記データフローの前記パケット伝送レイテンシおよび前記レイテンシ値に基づいて、前記ＱｏＳイベントの発生を判定することと、
前記ユーザプレーン機能によって、前記セッション管理機能へ、前記データフローについて前記ＱｏＳイベントの前記発生を示す、第３の情報要素を含む、第２のメッセージを送信することと、
を含む方法。
【請求項２】
前記セッション管理機能によって、ポリシー制御機能から、前記データフローについて前記ＱｏＳイベントへのサブスクライブを要求する、第３のメッセージを受信することをさらに含み、前記第３のメッセージは、
前記ＱｏＳイベントを示す第３の情報要素と、
エンドツーエンドのレイテンシを含むＱｏＳ値を示す、第４の情報要素と、
を含む、請求項１に記載の方法。
【請求項３】
前記第４の情報要素がさらに、ジッタを含む、請求項２に記載の方法。
【請求項４】
前記第４の情報要素がさらに、生存時間を含む、請求項２〜３のいずれかに記載の方法。
【請求項５】
前記第４の情報要素がさらに、通信サービスの可用性を含む、請求項２〜４のいずれかに記載の方法。
【請求項６】
前記第４の情報要素がさらに、信頼値を含む、請求項２〜５のいずれかに記載の方法。
【請求項７】
前記第４の情報要素がさらに、ユーザ体験データレートを含む、請求項２〜６のいずれかに記載の方法。
【請求項８】
前記第３のメッセージがさらに、
サービスデータフローのテンプレートを示す、第５の情報要素、
サービス／アプリケーションの識別子を示す、第６の情報要素、
ＰＤＵセッションの識別子を示す、第７の情報要素、または
無線デバイスのユーザ識別を示す、第８の情報要素
のうちの少なくとも１つを含む、請求項２〜７のいずれかに記載の方法。
【請求項９】
前記セッション管理機能によって、前記ポリシー制御機能へ、前記第３のメッセージに応答する、第４のメッセージを送信することをさらに含む、請求項２〜８のいずれかに記載の方法。
【請求項１０】
前記ポリシー制御機能によって、アプリケーション機能から、前記データフローについて前記ＱｏＳイベントへのサブスクライブを要求する、第５のメッセージを受信することをさらに含み、前記第５のメッセージは、
前記ＱｏＳイベントを示す第５の情報要素と、
前記エンドツーエンドのレイテンシを含むＱｏＳ値を示す、第６の情報要素と、
を含む、請求項２〜９のいずれかに記載の方法。
【請求項１１】
前記第６の情報要素がさらに、ジッタを含む、請求項１０に記載の方法。
【請求項１２】
前記第６の情報要素がさらに、生存時間を含む、請求項１０〜１１のいずれかに記載の方法。
【請求項１３】
前記第６の情報要素がさらに、通信サービスの可用性を含む、請求項１０〜１２のいずれかに記載の方法。
【請求項１４】
前記第６の情報要素がさらに、信頼値を含む、請求項１０〜１３のいずれかに記載の方法。
【請求項１５】
前記第６の情報要素がさらに、ユーザ体験データレートを含む、請求項１０〜１４のいずれかに記載の方法。
【請求項１６】
前記第５のメッセージがさらに、
サービスデータフローのテンプレートを示す、第７の情報要素、
サービス／アプリケーションの識別子を示す、第８の情報要素、
ＰＤＵセッションの識別子を示す、第９の情報要素、または
無線デバイスのユーザ識別を示す、第１０の情報要素
のうちの少なくとも１つを含む、請求項１０〜１５のいずれかに記載の方法。
【請求項１７】
前記ポリシー制御機能によって、前記アプリケーション機能へ、前記第５のメッセージに応答する、第６のメッセージを送信することをさらに含む、請求項１０〜１６のいずれかに記載の方法。
【請求項１８】
前記第２の情報要素がさらに、ジッタの第１の値を含む、請求項１〜１７のいずれかに記載の方法。
【請求項１９】
ユーザプレーン機能によって、前記ジッタの第２の値を監視および測定することをさらに含む、請求項１８に記載の方法。
【請求項２０】
前記ユーザプレーン機能によって、前記第１の値および前記第２の値に基づいて、前記ＱｏＳイベントの発生を判定することをさらに含む、請求項１９に記載の方法。
【請求項２１】
前記第２の情報要素がさらに、生存時間の第１の値を含む、請求項１〜２０のいずれかに記載の方法。
【請求項２２】
ユーザプレーン機能によって、前記生存時間の第２の値を監視および測定することをさらに含む、請求項２１に記載の方法。
【請求項２３】
前記ユーザプレーン機能によって、前記第１の値および前記第２の値に基づいて、前記ＱｏＳイベントの発生を判定することをさらに含む、請求項２２に記載の方法。
【請求項２４】
前記第２の情報要素がさらに、通信サービスの可用性の第１の値を含む、請求項１〜２３のいずれかに記載の方法。
【請求項２５】
ユーザプレーン機能によって、前記通信サービスの可用性の第２の値を監視および測定することをさらに含む、請求項２４に記載の方法。
【請求項２６】
前記ユーザプレーン機能によって、前記第１の値および前記第２の値に基づいて、前記ＱｏＳイベントの発生を判定することをさらに含む、請求項２５に記載の方法。
【請求項２７】
前記第２の情報要素がさらに、信頼値の第１の値を含む、請求項１〜２６のいずれかに記載の方法。
【請求項２８】
ユーザプレーン機能によって、前記信頼値の第２の値を監視および測定することをさらに含む、請求項２７に記載の方法。
【請求項２９】
前記ユーザプレーン機能によって、前記第１の値および前記第２の値に基づいて、前記ＱｏＳイベントの発生を判定することをさらに含む、請求項２８に記載の方法。
【請求項３０】
前記第２の情報要素がさらに、ユーザ体験データレートの第１の値を含む、請求項１〜２９のいずれかに記載の方法。
【請求項３１】
ユーザプレーン機能によって、前記ユーザ体験データレートの第２の値を監視および測定することをさらに含む、請求項３０に記載の方法。
【請求項３２】
前記ユーザプレーン機能によって、前記第１の値および前記第２の値に基づいて、前記ＱｏＳイベントの発生を判定することをさらに含む、請求項３１に記載の方法。
【請求項３３】
前記第２のメッセージがさらに、前記ＱｏＳイベントに対する前記レイテンシ値を示す、第４の情報要素を含む、請求項１〜３２のいずれかに記載の方法。
【請求項３４】
前記第４の情報要素がさらに、前記ＱｏＳイベントに対するジッタ値を含む、請求項３３に記載の方法。
【請求項３５】
前記第４の情報要素がさらに、前記ＱｏＳイベントの生存時間を含む、請求項３３〜３４のいずれかに記載の方法。
【請求項３６】
前記第４の情報要素がさらに、前記ＱｏＳイベントの通信サービスの可用性を含む、請求項３３〜３５のいずれかに記載の方法。
【請求項３７】
前記第４の情報要素がさらに、前記ＱｏＳイベントの信頼値を含む、請求項３３〜３６のいずれかに記載の方法。
【請求項３８】
前記第４の情報要素がさらに、前記ＱｏＳイベントに対するユーザ体験データレート値を含む、請求項３３〜３７のいずれかに記載の方法。
【請求項３９】
前記セッション管理機能によって、ポリシー制御機能へ、前記第３の情報要素および前記第４の情報要素を含む、第３のメッセージを送信することをさらに含む、請求項３３〜３８のいずれかに記載の方法。
【請求項４０】
前記ポリシー制御機能によって、アプリケーション機能へ、前記第３の情報要素および前記第４の情報要素を含む、第４のメッセージを送信することをさらに含む、請求項３９に記載の方法。
【請求項４１】
前記アプリケーション機能によって、前記第４のメッセージに基づいて、サービス挙動を調整することをさらに含む、請求項４０に記載の方法。
【請求項４２】
前記データフローの前記パケット伝送レイテンシは、前記ユーザプレーン機能と前記無線デバイスとの間である、請求項３３〜３４のいずれかに記載の方法。
【請求項４３】
前記ユーザプレーン機能によって、前記ユーザプレーン機能と基地局との間のパケット伝送レイテンシを、前記基地局へ監視パケットを送信することにより監視することをさらに含む、請求項１〜４２のいずれかに記載の方法。
【請求項４４】
前記ユーザプレーン機能によって、基地局と前記無線デバイスとの間のパケット伝送レイテンシを、前記基地局へ監視パケットを送信することにより問い合わせることをさらに含む、請求項１〜４３のいずれかに記載の方法。
【請求項４５】
前記ユーザプレーン機能によって、前記ユーザプレーン機能とアプリケーションサーバとの間のパケット伝送レイテンシを、前記アプリケーションサーバへ監視パケットを送信することにより監視することをさらに含む、請求項１〜４４のいずれかに記載の方法。
【請求項４６】
前記ユーザプレーン機能によって、前記セッション管理機能から、データフローについて少なくとも１つのサービス品質（ＱｏＳ）イベントをサブスクライブする、第３のメッセージを受信することをさらに含み、前記第３のメッセージは、
前記ＱｏＳイベントを示す、情報要素、
エンドツーエンドのレイテンシ、
ジッタ、
生存時間、
通信サービスの可用性、
信頼値、もしくは
ユーザ体験データレート
のうちの少なくとも１つを含む、ＱｏＳ値を示す情報要素、
サービスデータフローのテンプレートを示す、情報要素、
サービス／アプリケーションの識別子を示す、情報要素、
ＰＤＵセッションの識別子を示す、情報要素、または
無線デバイスのユーザ識別を示す、情報要素
のうちの少なくとも１つを含む、請求項１〜４５のいずれかに記載の方法。
【請求項４７】
前記セッション管理機能によって、アクセスおよびモビリティ管理機能へ、データフローについて少なくとも１つのサービス品質（ＱｏＳ）イベントをサブスクライブする、第３のメッセージを受信することであって、前記第３のメッセージは、
前記ＱｏＳイベントを示す、第４の情報要素、
エンドツーエンドのレイテンシを含むＱｏＳ値を示す、第５の情報要素、
のうちの少なくとも１つを含む、ことと、
前記アクセスおよびモビリティ管理機能によって、基地局へ、前記第３のメッセージの少なくとも１つの情報要素を含む、第４のメッセージを送信することと、
をさらに含む、請求項１〜４６のいずれかに記載の方法。
【請求項４８】
前記第５の情報要素がさらに、ジッタを含む、請求項４７に記載の方法。
【請求項４９】
前記第５の情報要素がさらに、生存時間を含む、請求項４７〜４８のいずれかに記載の方法。
【請求項５０】
前記第５の情報要素がさらに、通信サービスの可用性を含む、請求項４７〜４９のいずれかに記載の方法。
【請求項５１】
前記第５の情報要素がさらに、信頼値を含む、請求項４７〜５０のいずれかに記載の方法。
【請求項５２】
前記第５の情報要素がさらに、ユーザ体験データレートを含む、請求項４７〜５１のいずれかに記載の方法。
【請求項５３】
前記第３のメッセージがさらに、
サービスデータフローのテンプレートを示す、第６の情報要素、
サービス／アプリケーションの識別子を示す、第７の情報要素、
ＰＤＵセッションの識別子を示す、第８の情報要素、または
無線デバイスのユーザ識別を示す、第９の情報要素
のうちの少なくとも１つを含む、請求項４７〜５２のいずれかに記載の方法。
【請求項５４】
前記基地局によって、前記無線デバイスへ、前記データフローのパケット伝送レイテンシを監視するための監視パケットを送信することと、
前記基地局によって、前記データフローの前記パケット伝送レイテンシおよび前記エンドツーエンドのレイテンシに基づいて、前記ＱｏＳイベントの発生を判定することと、
前記基地局によって、前記アクセスおよびモビリティ管理機能へ、前記判定に応答して、前記ＱｏＳイベントの前記発生および前記データフローの前記パケット伝送レイテンシを示す、情報要素を含む第５のメッセージを送信することと、
をさらに含む、請求項４７〜５３のいずれかに記載の方法。
【請求項５５】
前記アクセスおよびモビリティ管理機能によって、前記セッション管理機能へ、第６のメッセージを送信することをさらに含み、前記第６のメッセージは、前記ＱｏＳイベントの前記発生および前記データフローの前記パケット伝送レイテンシを示す、情報要素を含む、請求項５４に記載の方法。
【請求項５６】
前記ユーザプレーン機能によって、前記ユーザプレーン機能と基地局との間のパケット伝送レイテンシを、前記基地局へ監視パケットを送信することにより監視すること、または
前記ユーザプレーン機能によって、基地局と前記無線デバイスとの間のパケット伝送レイテンシを、前記無線デバイスへ監視パケットを送信することにより監視すること
のうちの少なくとも１つをさらに含む、請求項５４〜５５のいずれかに記載の方法。
【請求項５７】
ユーザプレーン機能によって、セッション管理機能から、データフローについて少なくとも１つのサービス品質（ＱｏＳ）レポートを要求する、第１のメッセージを受信することであって、前記第１のメッセージは、
ＱｏＳイベントを示す、第１の情報要素と、
前記ＱｏＳイベントに対する第１のＱｏＳ値を示す、第２の情報要素と、
を含む、ことと、
ユーザプレーン機能によって、無線デバイスへ、前記データフローの第２のＱｏＳ値を監視するための監視パケットを送信することと、
前記ユーザプレーン機能によって、前記データフローの前記第２のＱｏＳ値および前記第１のＱｏＳ値に基づいて、前記ＱｏＳイベントの発生を判定することと、
前記ユーザプレーン機能によって、前記セッション管理機能へ、前記判定に応答して、前記ＱｏＳイベントの前記発生を示す、第３の情報要素を含む、第２のメッセージを送信することと、
を含む、方法。
【請求項５８】
前記第１のＱｏＳ値および前記第２のＱｏＳ値が、
エンドツーエンドのレイテンシ、
ジッタ、
生存時間、
通信サービスの可用性、
信頼値、または
ユーザ体験データレート
のうちの少なくとも１つを含む、請求項５７に記載の方法。
【請求項５９】
ユーザプレーン機能によって、セッション管理機能から、パケットデータユニットセッションのデータフローについて、少なくとも１つのサービス品質（ＱｏＳ）レポートを要求する、第１のメッセージを受信することであって、前記第１のメッセージは、
ＱｏＳイベントを示す、第１の情報要素と、
前記ＱｏＳイベントに対するレイテンシ値を示す、第２の情報要素と、
を含む、ことと、
ユーザプレーン機能によって、無線デバイスへ、前記データフローのパケット伝送レイテンシを監視するための監視パケットを送信することと、
前記ユーザプレーン機能によって、前記データフローの前記パケット伝送レイテンシおよび前記レイテンシ値に基づいて、前記ＱｏＳイベントの発生を判定することと、
前記ユーザプレーン機能によって、前記セッション管理機能へ、前記判定に応答して、前記ＱｏＳイベントの前記発生を示す、第３の情報要素を含む、第２のメッセージを送信することと、
を含む、方法。
【請求項６０】
ホームポリシー制御機能（ＨＰＣＦ）によって、アプリケーション機能から、無線デバイスのデータフローについてサービス品質（ＱｏＳ）イベントへのサブスクライブを要求する、第１のメッセージを受信することであって、前記第１のメッセージは、
第１のＱｏＳイベントを示す、第１の情報要素と、
前記第１のＱｏＳイベントに対する第１のＱｏＳ値を示す、第２の情報要素と、
を含む、ことと、
前記ＨＰＣＦによって、前記第１のＱｏＳイベントおよび前記第１のＱｏＳ値に基づいて、前記データフローについてＱｏＳ報告ポリシーを判定することであって、前記ＱｏＳ報告ポリシーは、第２のＱｏＳイベントおよび第２のＱｏＳ値を含む、ことと、
前記ＨＰＣＦによって、訪問先ポリシー制御機能（ＶＰＣＦ）へ、前記ＱｏＳ報告ポリシーを含む、第２のメッセージを送信することと、
前記第２のＱｏＳイベントの発生を示す、第３の情報要素と、
測定されたＱｏＳ値を示す、第４の情報要素と、
を含む測定結果を、前記ＨＰＣＦによって、前記ＶＰＣＦから受信することと、
前記ＨＰＣＦによって、前記アプリケーション機能へ、前記測定結果を送信することと、
を含む、方法。
【請求項６１】
前記第２のＱｏＳイベントの前記発生は、前記測定されたＱｏＳ値および前記第２のＱｏＳ値に基づいて判定される、請求項６０に記載の方法。
【請求項６２】
前記第１のＱｏＳ値、前記第２のＱｏＳ値、および前記測定されたＱｏＳ値は、
エンドツーエンドのレイテンシ、
ジッタ、
生存時間、
通信サービスの可用性、
信頼値、または
ユーザ体験データレート
のうちの少なくとも１つを含む、請求項６０〜６１のいずれかに記載の方法。
【請求項６３】
訪問先セッション管理機能によって、前記訪問先ポリシー制御機能から、前記データフローについて前記ＱｏＳイベントへのサブスクライブを要求する、第３のメッセージを受信することであって、前記第３のメッセージは、
前記第２のＱｏＳイベントを示す、情報要素、
前記第２のＱｏＳ値を示す、情報要素であって、前記第２のＱｏＳ値は、
エンドツーエンドのレイテンシ、
ジッタ、
生存時間、
通信サービスの可用性、
信頼値、もしくは
ユーザ体験データレート
のうちの少なくとも１つを含む、情報要素、
サービスデータフローのテンプレートを示す、情報要素、
サービス／アプリケーションの識別子を示す、情報要素、
ＰＤＵセッションの識別子を示す、情報要素、または
無線デバイスのユーザ識別を示す、情報要素
のうちの少なくとも１つを含む、ことと、
前記訪問先セッション管理機能によって、前記訪問先ポリシー制御機能へ、前記第３のメッセージに応答する第４のメッセージを送信することと、
をさらに含む、請求項６０〜６２のいずれかに記載の方法。
【請求項６４】
訪問先ユーザプレーン機能によって、前記訪問先セッション管理機能から、前記データフローについて前記ＱｏＳイベントへのサブスクライブを要求する、第５のメッセージを受信することであって、前記第５のメッセージは、
前記第２のＱｏＳイベントを示す、第１の情報要素、
前記第２のＱｏＳ値を示す、第２の情報要素
を含む、ことと、
訪問先ユーザプレーン機能によって、前記無線デバイスへ、前記データフローの第２のＱｏＳ値を監視するための監視パケットを送信することと、
前記訪問先ユーザプレーン機能によって、前記データフローの前記第２のＱｏＳ値および測定されたＱｏＳ値に基づいて、前記ＱｏＳイベントの発生を判定することと、
前記ＱｏＳイベントの前記発生を示す、前記第３の情報要素と、
前記測定されたＱｏＳ値を示す、前記第４の情報要素と、
を含む第６のメッセージを、前記訪問先ユーザプレーン機能によって、前記訪問先セッション管理機能へ送信することと、
をさらに含む、請求項６０〜６３のいずれかに記載の方法。
【請求項６５】
前記訪問先セッション管理機能によって、前記訪問先ポリシー制御機能へ、前記第３の情報要素および前記第４の情報要素を含む、第７のメッセージを送信することをさらに含む、請求項６４に記載の方法。
【請求項６６】
前記第１のメッセージがさらに、
サービスデータフローのテンプレートを示す、情報要素、
サービス／アプリケーションの識別子を示す、情報要素、
ＰＤＵセッションの識別子を示す、情報要素、または
無線デバイスのユーザ識別を示す、情報要素
のうちの少なくとも１つを含む、請求項６０〜６５のいずれかに記載の方法。
【請求項６７】
前記ＱｏＳ報告ポリシーおよび前記測定結果がさらに、
サービスデータフローのテンプレートを示す、情報要素、
サービス／アプリケーションの識別子を示す、情報要素、
ＰＤＵセッションの識別子を示す、情報要素、または
無線デバイスのユーザ識別を示す、情報要素
のうちの少なくとも１つを含む、請求項６０〜６６のいずれかに記載の方法。
【請求項６８】
前記アプリケーション機能によって、前記測定結果に基づいて、サービス挙動を調整することをさらに含む、請求項６０〜６７のいずれかに記載の方法。
【請求項６９】
前記ホームポリシー制御機能（ＨＰＣＦ）によって、前記アプリケーション機能から、前記データフローに対するＱｏＳイベントを問い合わせる、第３のメッセージを受信することをさらに含み、前記第３のメッセージは、
前記第１のＱｏＳイベントを示す、情報要素、および
前記第１のＱｏＳイベントに対する前記第１のＱｏＳ値を示す、情報要素であって、前記第１のＱｏＳ値は、
エンドツーエンドのレイテンシ、
ジッタ、
生存時間、
通信サービスの可用性、
信頼値、もしくは
ユーザ体験データレート
のうちの少なくとも１つを含む、情報要素、
サービスデータフローのテンプレートを示す、情報要素、
サービス／アプリケーションの識別子を示す、情報要素、
ＰＤＵセッションの識別子を示す、情報要素、または
無線デバイスのユーザ識別を示す、情報要素
のうちの少なくとも１つを含む、請求項６０〜６１のいずれかに記載の方法。
【請求項７０】
前記ホームポリシー制御機能によって、前記訪問先ポリシー制御機能へ、前記データフローに対する前記ＱｏＳイベントを問い合わせる、第４のメッセージを送信することをさらに含み、前記第４のメッセージは、前記第３のメッセージの情報要素のうちの少なくとも１つを含む、請求項６９に記載の方法。
【請求項７１】
前記訪問先ポリシー制御機能によって、訪問先セッション管理機能へ、前記データフローに対する前記ＱｏＳイベントを問い合わせる、第５のメッセージを送信することをさらに含み、前記第５のメッセージは、前記第４のメッセージの情報要素のうちの少なくとも１つを含む、請求項７０に記載の方法。
【請求項７２】
前記訪問先セッション管理機能によって、訪問先ユーザプレーン機能へ、前記データフローに対する前記ＱｏＳイベントを問い合わせる、第６のメッセージを送信することをさらに含み、前記第６のメッセージは、前記第５のメッセージの情報要素のうちの少なくとも１つを含む、請求項７１に記載の方法。
【請求項７３】
前記訪問先ユーザプレーン機能によって、第３のＱｏＳ値を測定することであって、前記第３のＱｏＳ値は、
エンドツーエンドのレイテンシ、
ジッタ、
生存時間、
通信サービスの可用性、
信頼値、または
ユーザ体験データレート
のうちの少なくとも１つを含む、ことと、
前記訪問先ユーザプレーン機能によって、前記訪問先セッション管理機能へ、前記第３のＱｏＳ値を報告する第７のメッセージを送信することと、
をさらに含む、請求項７２に記載の方法。
【請求項７４】
前記訪問先セッション管理機能によって、前記訪問先ポリシー制御機能へ、前記第３のＱｏＳ値を報告する第８のメッセージを送信することをさらに含む、請求項７３に記載の方法。
【請求項７５】
前記訪問先ポリシー制御機能によって、前記ホームポリシー制御機能へ、前記第３のＱｏＳ値を報告する第９のメッセージを送信することをさらに含む、請求項７４に記載の方法。
【請求項７６】
前記ホームポリシー制御機能によって、前記アプリケーション機能へ、前記第３のＱｏＳ値を報告する第１０のメッセージを送信することをさらに含む、請求項７５に記載の方法。
【請求項７７】
前記アプリケーション機能によって、前記第３のＱｏＳ値に基づいて、サービス挙動を調整することをさらに含む、請求項７６に記載の方法。
【請求項７８】
前記訪問先ポリシー制御機能によって、前記ホームポリシー制御機能から受信した前記ＱｏＳ報告ポリシーに基づいて、訪問先ＱｏＳ報告ポリシーを判定することをさらに含み、前記訪問先ＱｏＳ報告ポリシーは、
訪問先ＱｏＳイベントと、
前記訪問先ＱｏＳイベントに対する訪問先ＱｏＳ値と、
を含む、請求項６０〜７７のいずれかに記載の方法。
【請求項７９】
前記訪問先ポリシー制御機能によって、訪問先セッション管理機能へ、前記訪問先ＱｏＳ報告ポリシーを含む、第３のメッセージを送信することをさらに含む、請求項７８に記載の方法。
【請求項８０】
訪問先ポリシー制御機能によって、ホームポリシー制御機能から、データフローについて少なくとも１つのサービス品質（ＱｏＳ）イベントをサブスクライブする、第１のメッセージを受信することであって、前記第１のメッセージは、
ＱｏＳイベントを示す、第１の情報要素と、
前記ＱｏＳイベントに対する第１のＱｏＳ値を示す、第２の情報要素と、
を含む、ことと、
前記訪問先ポリシー制御機能によって、セッション管理機能へ、前記第１の情報要素および前記第２の情報要素を含む、第２のメッセージを送信することと、
ＱｏＳイベントを示す、第３の情報要素と、
前記ＱｏＳイベントに対する第２のＱｏＳ値を示す、第４の情報要素と、
を含む第３のメッセージを、前記訪問先ポリシー制御機能によって、前記セッション管理機能から受信することと、
前記訪問先ポリシー制御機能によって、前記ホームポリシー制御機能へ、前記第３の情報要素および前記第４の情報要素を含む、第４のメッセージを送信することと、
を含む、方法。
【発明の詳細な説明】
【背景技術】
【０００１】
関連出願の相互参照
本出願は、２０１８年１月１１日に出願された米国仮特許出願第６２／６１６，３８９号の利益、および２０１８年１月１５日に出願された米国仮特許出願第６２／６１７，４９８号の利益を主張し、これらは参照によりそれらの全体が本明細書に組み込まれる。
【発明の概要】
【課題を解決するための手段】
【０００２】
本発明の例示的な実施形態によって、５Ｇシステムで強化された特徴および機能性を実装することが可能になる。より具体的には、本明細書に開示される技術の実施形態は、サービス性能および／またはＱｏＳの監視ならびに報告に関してであってもよく、本明細書に開示される技術の実施形態は、サービス性能および／またはＱｏＳの監視ならびに報告についてのローミングシナリオに関してであってもよい。本開示を通して、ＵＥ、無線デバイス、およびモバイルデバイスは、交換可能に使用される。本開示を通して、基地局、（無線）アクセスネットワーク（（Ｒ）ＡＮ）、次世代無線アクセスネットワーク（ＮＧ−ＲＡＮ）、Ｎｅｗ  ＲａｄｉｏノードＢ（ｇＮＢ）、次世代ｅＮｏｄｅＢ（ｎｇ−ｅＮＢ）は、交換可能に使用される。
【図面の簡単な説明】
【０００３】
本開示の様々な実施形態のうちのいくつかの例が、図面を参照して本明細書に記載されている。
【０００４】
【図１】図１は、本開示の一実施形態の一態様による、例示的な５Ｇシステムアーキテクチャの図である。
【図２】図２は、本開示の一実施形態の一態様による、例示的な５Ｇシステムアーキテクチャの図である。
【図３】図３は、本開示の実施形態の一態様による、５Ｇシステム中の例示的な無線デバイスおよびネットワークノードのシステム図である。
【図４】図４は、本開示の一実施形態の一態様による、例示的な無線デバイスのシステム図である。
【図５】図５Ａおよび図５Ｂ本開示の実施形態の一態様による、ＵＥ１００およびＡＭＦ１５５の２つの登録管理状態モデルを描写する。
【図６】図６Ａおよび図６Ｂ本開示の実施形態の一態様による、ＵＥ１００およびＡＭＦ１５５の２つの接続管理状態モデルを描写する。
【図７】図７は、本開示の一実施形態の一態様による、分類およびマーキングトラフィックについての図である。
【図８】図８は、本開示の一実施形態の一態様による、ＵＥ登録プロシージャについての例示的なコールフローである。
【図９】同上。
【図１０】図１０は、本開示の一実施形態の一態様による、例示的なコールフロー図である。
【図１１】図１１は、本開示の一実施形態の一態様による、例示的なコールフロー図である。
【図１２】図１２は、本開示の一実施形態の一態様による、例示的なコールフロー図である。
【図１３】図１３は、本開示の一実施形態の一態様による、例示的なコールフロー図である。
【図１４】図１４は、本開示の一実施形態の一態様による、低レイテンシおよび高信頼性サービスの性能要件を描写する、例示的な表である。
【図１５】図１５は、本開示の一実施形態の一態様による、例示的なコールフロー図である。
【図１６】図１６は、本発明の一実施形態の一態様による、Ｒｘ基準点の例示的なプロトコルスタックを示す図である。
【図１７】図１７は、本開示の一実施形態の一態様による、例示的なコールフロー図である。
【図１８】図１８は、本開示の一実施形態の一態様による、例示的なコールフロー図である。
【図１９】図１９は、本開示の一実施形態の一態様による、例示的なフロー図である。
【図２０】図２０は、本開示の一実施形態の一態様による、例示的なフロー図である。
【図２１】図２１は、本開示の一実施形態の一態様による、例示的なフロー図である。
【図２２】図２２は、本開示の一実施形態の一態様による、例示的なフロー図である。
【図２３】図２３は、本開示の一実施形態の一態様による、例示的なフロー図である。
【発明を実施するための形態】
【０００５】
本開示を通じ、以下の略称を使用する。
５Ｇ：５ｔｈ  ｇｅｎｅｒａｔｉｏｎ  ｍｏｂｉｌｅ  ｎｅｔｗｏｒｋｓ（第５世代モバイルネットワーク）
５ＧＣ：５Ｇ  Ｃｏｒｅ  Ｎｅｔｗｏｒｋ（５Ｇコアネットワーク）
５ＧＳ：５Ｇ  Ｓｙｓｔｅｍ（５Ｇシステム）
５Ｇ−ＡＮ：５Ｇ  Ａｃｃｅｓｓ  Ｎｅｔｗｏｒｋ（５Ｇアクセスネットワーク）
５ＱＩ：５Ｇ  ＱｏＳ  Ｉｎｄｉｃａｔｏｒ（５Ｇ  ＱｏＳインジケータ）
ＡＦ：Ａｐｐｌｉｃａｔｉｏｎ  Ｆｕｎｃｔｉｏｎ（アプリケーション機能）
ＡＭＢＲ：Ａｇｇｒｅｇａｔｅ  Ｍａｘｉｍｕｍ  Ｂｉｔ  Ｒａｔｅ（合計最大ビットレート）
ＡＭＦ：Ａｃｃｅｓｓ  ａｎｄ  Ｍｏｂｉｌｉｔｙ  Ｍａｎａｇｅｍｅｎｔ  Ｆｕｎｃｔｉｏｎ（アクセスおよびモビリティ管理機能）
ＡＮ：Ａｃｃｅｓｓ  Ｎｅｔｗｏｒｋ（アクセスネットワーク）
ＡＰＮ：Ａｃｃｅｓｓ  Ｐｏｉｎｔ  Ｎａｍｅ（アクセスポイント名）
ＡＲＰ：Ａｌｌｏｃａｔｉｏｎ  ａｎｄ  Ｒｅｔｅｎｔｉｏｎ  Ｐｒｉｏｒｉｔｙ（割り当ておよび保持優先度）
ＣＣＮＦ：Ｃｏｍｍｏｎ  Ｃｏｎｔｒｏｌ  Ｎｅｔｗｏｒｋ  Ｆｕｎｃｔｉｏｎｓ（共通制御ネットワーク機能）
ＣＮ：Ｃｏｒｅ  Ｎｅｔｗｏｒｋ（コアネットワーク）
ＣＰ：Ｃｏｎｔｒｏｌ  Ｐｌａｎｅ（制御プレーン）
ＤＰＩ：Ｄｅｅｐ  Ｐａｃｋｅｔ  Ｉｎｓｐｅｃｔｉｏｎ（ディープパケットインスペクション）
ＤＬ：Ｄｏｗｎｌｉｎｋ（ダウンリンク）
ＤＮ：Ｄａｔａ  Ｎｅｔｗｏｒｋ（データネットワーク）
ＤＮ−ＡＡＡ：Ｄａｔａ  Ｎｅｔｗｏｒｋ  Ａｕｔｈｅｎｔｉｃａｔｉｏｎ  Ａｕｔｈｏｒｉｚａｔｉｏｎ  ａｎｄ  Ａｃｃｏｕｎｔｉｎｇ（データネットワーク認証、認可、およびアカウンティング）
ＤＮＮ：Ｄａｔａ  Ｎｅｔｗｏｒｋ  Ｎａｍｅ（データネットワーク名）
ｇＮＢ：ＮＲ  ＮｏｄｅＢ
ＧＷ：Ｇａｔｅｗａｙ（ゲートウェイ）
ＨＳＳ：Ｈｏｍｅ  Ｓｕｂｓｃｒｉｂｅｒ  Ｓｅｒｖｅｒ（ホーム加入者サーバ）
ＩＥＴＦ：Ｉｎｔｅｒｎｅｔ  Ｅｎｇｉｎｅｅｒｉｎｇ  Ｔａｓｋ  Ｆｏｒｃｅ
ＩＰ：Ｉｎｔｅｒｎｅｔ  Ｐｒｏｔｏｃｏｌ（インターネットプロトコル）
ＩＰ−ＣＡＮ：ＩＰ  Ｃｏｎｎｅｃｔｉｖｉｔｙ  Ａｃｃｅｓｓ  Ｎｅｔｗｏｒｋ（ＩＰ接続アクセスネットワーク）
Ｌ２：Ｌａｙｅｒ  ２（データリンクレイヤ）
Ｌ３：Ｌａｙｅｒ  ３（ネットワークレイヤ）
ＬＡＤＮ：Ｌｏｃａｌ  Ａｒｅａ  Ｄａｔａ  Ｎｅｔｗｏｒｋ（ローカルエリアデータネットワーク）
ＭＩＣＯ：Ｍｏｂｉｌｅ  Ｉｎｉｔｉａｔｅｄ  Ｃｏｎｎｅｃｔｉｏｎ  Ｏｎｌｙ（端末開始接続専用）
Ｎ３ＩＷＦ：Ｎｏｎ−３ＧＰＰ  ＩｎｔｅｒＷｏｒｋｉｎｇ  Ｆｕｎｃｔｉｏｎ（非３ＧＰＰ相互作用機能）
ＮＡＩ：Ｎｅｔｗｏｒｋ  Ａｃｃｅｓｓ  Ｉｄｅｎｔｉｆｉｅｒ（ネットワークアクセス識別子）
ＮＡＳ：Ｎｏｎ  Ａｃｃｅｓｓ  Ｓｔｒａｔｕｍ（非アクセス層）
ＮＥＦ：Ｎｅｔｗｏｒｋ  Ｅｘｐｏｓｕｒｅ  Ｆｕｎｃｔｉｏｎ（ネットワーク公開機能）
ＮＦ：Ｎｅｔｗｏｒｋ  Ｆｕｎｃｔｉｏｎ（ネットワーク機能）
ＮＲ：Ｎｅｗ  Ｒａｄｉｏ
ＮＧ−ＲＡＮ：ＮＲ  Ｒａｄｉｏ  Ａｃｃｅｓｓ  Ｎｅｔｗｏｒｋ（ＮＲ無線アクセスネットワーク）
ＮＲＦ：Ｎｅｔｗｏｒｋ  Ｒｅｐｏｓｉｔｏｒｙ  Ｆｕｎｃｔｉｏｎ（ネットワークリポジトリ機能）
ＮＳＩ：Ｎｅｔｗｏｒｋ  Ｓｌｉｃｅ  Ｉｎｓｔａｎｃｅ（ネットワークスライスインスタンス）
ＮＳＳＡＩ：Ｎｅｔｗｏｒｋ  Ｓｌｉｃｅ  Ｓｅｌｅｃｔｉｏｎ  Ａｓｓｉｓｔａｎｃｅ  Ｉｎｆｏｒｍａｔｉｏｎ（ネットワークスライス選択支援情報）
ＮＳＳＦ：Ｎｅｔｗｏｒｋ  Ｓｌｉｃｅ  Ｓｅｌｅｃｔｉｏｎ  Ｆｕｎｃｔｉｏｎ（ネットワークスライス選択機能）
ＰＣＣ：Ｐｏｌｉｃｙ  ａｎｄ  Ｃｈａｒｇｉｎｇ  Ｃｏｎｔｒｏｌ（ポリシーおよび課金制御）
ＰＣＦ：Ｐｏｌｉｃｙ  Ｃｏｎｔｒｏｌ  Ｆｕｎｃｔｉｏｎ（ポリシー制御機能）
ＰＤＣＰ：Ｐａｃｋｅｔ  Ｄａｔａ  Ｃｏｎｖｅｒｇｅｎｃｅ  Ｐｒｏｔｏｃｏｌ（パケットデータコンバージェンスプロトコル）
ＰＤＮ：Ｐａｃｋｅｔ  Ｄａｔａ  Ｎｅｔｗｏｒｋ（パケットデータネットワーク）
ＰＤＵ：Ｐａｃｋｅｔ  Ｄａｔａ  Ｕｎｉｔ（パケットデータユニット）
ＰＥＩ：Ｐｅｒｍａｎｅｎｔ  Ｅｑｕｉｐｍｅｎｔ  Ｉｄｅｎｔｉｆｉｅｒ（永久的な機器識別子）
ＲＡＮ：Ｒａｄｉｏ  Ａｃｃｅｓｓ  Ｎｅｔｗｏｒｋ（無線アクセスネットワーク）
ＲＢ：Ｒａｄｉｏ  Ｂｅａｒｅｒ（無線ベアラ）
ＲＦＣ：Ｒｅｑｕｅｓｔ  Ｆｏｒ  Ｃｏｍｍｅｎｔｓ
ＲＬＣ：Ｒａｄｉｏ  Ｌｉｎｋ  Ｃｏｎｔｒｏｌ（無線リンク制御）
ＲＲＣ：Ｒａｄｉｏ  Ｒｅｓｏｕｒｃｅ  Ｃｏｎｔｒｏｌ（無線リソース制御）
ＲＭ：Ｒｅｇｉｓｔｒａｔｉｏｎ  Ｍａｎａｇｅｍｅｎｔ（登録管理）
ＳＢＡ：Ｓｅｒｖｉｃｅ  Ｂａｓｅｄ  Ａｒｃｈｉｔｅｃｔｕｒｅ（サービスベースのアーキテクチャ）
ＳＤＵ：Ｓｅｒｖｉｃｅ  Ｄａｔａ  Ｕｎｉｔ（サービスデータユニット）
ＳＭＦ：Ｓｅｓｓｉｏｎ  Ｍａｎａｇｅｍｅｎｔ  Ｆｕｎｃｔｉｏｎ（セッション管理機能）
ＳＭＳＦ：ＳＭＳ  Ｆｕｎｃｔｉｏｎ（ＳＭＳ機能）
ＳＮ：Ｓｅｑｕｅｎｃｅ  Ｎｕｍｂｅｒ（シーケンス番号）
Ｓ−ＮＳＳＡＩ：Ｓｉｎｇｌｅ  Ｎｅｔｗｏｒｋ  Ｓｌｉｃｅ  Ｓｅｌｅｃｔｉｏｎ  Ａｓｓｉｓｔａｎｃｅ  ｉｎｆｏｒｍａｔｉｏｎ（単一ネットワークスライス選択支援情報）
ＳＲＢ：Ｓｉｇｎａｌｉｎｇ  Ｒａｄｉｏ  Ｂｅａｒｅｒ  ｃａｒｒｙｉｎｇ  ｃｏｎｔｒｏｌ  ｐｌａｎｅ  ｄａｔａ（制御プレーンデータを運ぶシグナリング無線ベアラ）
ＳＵＰＩ：Ｓｕｂｓｃｒｉｂｅｒ  Ｐｅｒｍａｎｅｎｔ  Ｉｄｅｎｔｉｆｉｅｒ（加入者永久識別子）
ＴＤＦ：Ｔｒａｆｆｉｃ  Ｄｅｔｅｃｔｉｏｎ  Ｆｕｎｃｔｉｏｎ（トラフィック検出機能）
ＴＡ：Ｔｒａｃｋｉｎｇ  Ａｒｅａ（追跡エリア）
ＴＡＩ：Ｔｒａｃｋｉｎｇ  Ａｒｅａ  Ｉｄｅｎｔｉｔｙ（追跡エリア識別）
ＴＣＰ：Ｔｒａｎｓｍｉｓｓｉｏｎ  Ｃｏｎｔｒｏｌ  Ｐｒｏｔｏｃｏｌ（伝送制御プロトコル）
ＵＤＭ：Ｕｎｉｆｉｅｄ  Ｄａｔａ  Ｍａｎａｇｅｍｅｎｔ（統合データ管理）
ＵＤＰ：Ｕｓｅｒ  Ｄａｔａｇｒａｍ  Ｐｒｏｔｏｃｏｌ（ユーザデータグラムプロトコル）
ＵＥ：Ｕｓｅｒ  Ｅｑｕｉｐｍｅｎｔ（ユーザ機器）
ＵＬ：Ｕｐｌｉｎｋ（アップリンク）
ＵＬ  ＣＬ：Ｕｐｌｉｎｋ  Ｃｌａｓｓｉｆｉｅｒ（アップリンク分類子）
ＵＰＦ：Ｕｓｅｒ  Ｐｌａｎｅ  Ｆｕｎｃｔｉｏｎ（ユーザプレーン機能）
【０００６】
例示的な図１および図２は、アクセスネットワークおよび５Ｇコアネットワークから成る、５Ｇシステムを描写している。例示的な５Ｇアクセスネットワークは、５Ｇコアネットワークへ接続するアクセスネットワークを含んでもよい。アクセスネットワークは、ＮＧ−ＲＡＮ１０５および／または非３ＧＰＰ  ＡＮ１６５を含んでもよい。例示的な５Ｇコアネットワークは、１つ以上の５Ｇアクセスネットワークの５Ｇ−ＡＮおよび／またはＮＧ−ＲＡＮへ接続してもよい。５Ｇコアネットワークは、インターフェースが、機能要素および／またはネットワーク要素間の通信に用いられる、例示的な図１および例示的な図２のように、機能要素またはネットワーク機能を備え得る。
【０００７】
ネットワーク機能は、機能的挙動およびインターフェースを有する、ネットワークにおける処理機能であり得る。ネットワーク機能は、専用ハードウェア上のネットワーク要素および／もしくは図３および図４に描写されるようなネットワークノードとして、もしくは専用ハードウェアおよび／もしくは共有ハードウェア上で動くソフトウェアインスタンスとして、または適切なプラットフォーム上でインスタンス形成される仮想機能としてのいずれかで実装されてもよい。
【０００８】
アクセスおよびモビリティ管理機能ＡＭＦ１５５は、以下の機能性（ＡＭＦ機能性のうちの一部は、ＡＭＦ１５５の単一インスタンスでサポートされてもよい）、ＲＡＮ  ＣＰインターフェースの終端（Ｎ２）、ＮＡＳの終端（Ｎ１）、ＮＡＳ暗号化および完全性保護、登録管理、接続管理、到達可能性管理、モビリティ管理、合法的傍受（ＡＭＦ１５５のイベントおよびＬＩシステムへのインターフェースに対する）、セッション管理にトランスポートを提供、ＵＥ１００とＳＭＦ１６０との間のＳＭメッセージ、ＳＭメッセージをルーティングするための透過プロキシ、アクセス認証、アクセス認可、ＵＥ１００とＳＭＳＦとの間のＳＭＳメッセージにトランスポートを提供、セキュリティアンカー機能、ＳＥＡ、ＡＵＳＦ１５０およびＵＥ１００との相互作用、ＵＥ１００の認証プロセスの結果として確立される中間鍵の受信、セキュリティコンテキスト管理、アクセスネットワーク固有の鍵を導き出すのに使用する鍵を、ＳＥＡから受信するＳＣＭを含んでもよい。
【０００９】
ＡＭＦ１００は、Ｎ３ＩＷＦ１７０によるＮ２インターフェースを介する非３ＧＰＰアクセスネットワーク、Ｎ３ＩＷＦ１７０でのＵＥ１００とのＮＡＳシグナリング、Ｎ３ＩＷＦ１７０で接続されるＵＥの認証、モビリティの管理、認証、ならびに非３ＧＰＰアクセス１６５を介して接続される、または同時に３ＧＰＰおよび非３ＧＰＰアクセス１０５、１６５を介して接続される、ＵＥ１００の別個のセキュリティコンテキスト状態、３ＧＰＰおよび非３ＧＰＰアクセス１０５、１６５での協調した有効なＲＭコンテキストのサポート、非３ＧＰＰアクセスでの接続性のための、ＵＥ１００用のＣＭ管理コンテキストのサポートに対応し得る。上述の機能性の一部は、ネットワークスライスのインスタンスでサポートされてもよい。
【００１０】
一例では、ＡＭＦ１５５の領域は、１つまたは複数のＡＭＦ１００のセットから成ってもよい。ＡＭＦ１５５のセットは、所与のエリアおよび／またはネットワークスライスを受け持つ、一部のＡＭＦ１５５から成ってもよい。一例では、複数のＡＭＦ１５５のセットは、ＡＭＦ１５５の領域および／またはネットワークスライスごとであってもよい。アプリケーション識別子は、特定のアプリケーショントラフィック検出規則にマッピングされ得る、識別子であってもよい。構成されたＮＳＳＡＩは、ＵＥ１００の中でプロビジョニングされたＮＳＳＡＩであってもよい。ＤＮＮに対するＤＮ１１５のアクセス識別子（ＤＮＡＩ：ＤＮ  ａｃｃｅｓｓ  ｉｄｅｎｔｉｆｉｅｒ）は、ＤＮ１１５へのユーザプレーンアクセスの識別子であってもよい。新規登録は、ＲＭ−登録解除５００、５２０の状態にある、ＵＥ１００の登録に関係し得る。Ｎ２ＡＰ  ＵＥ１００の関連付けは、５Ｇ  ＡＮノードとＡＭＦ１５５とのＵＥ１００の関連付けごとの論理であり得る。Ｎ２ＡＰ  ＵＥ−ＴＮＬＡバインディングは、Ｎ２ＡＰ  ＵＥ１００の関連付けと、所与のＵＥ１００に対する特定のトランスポートネットワークレイヤ（ＴＮＬ：ｔｒａｎｓｐｏｒｔ  ｎｅｔｗｏｒｋ  ｌａｙｅｒ）の関連付けとのバインディングであり得る。
【００１１】
セッション管理機能ＳＭＦ１６０は、以下の機能性（ＳＭＦ１６０の機能性のうちの１つ以上は、ＳＭＦ１６０の単一インスタンスでサポートされてもよい）、セッション管理（例えば、ＵＰＦ１１０とＡＮ１０５のノードとの間のトンネル維持を含む、セッション確立、修正、および解除）、ＵＥ１００のＩＰアドレス割り当ておよび管理（任意選択の認可を含む）、ＵＰ機能の選択および制御、適した送信先へトラフィックをルーティングする、ＵＰＦ１１０でのトラフィック誘導の構成、インターフェースのポリシー制御機能への終端、ポリシー施行およびＱｏＳの制御部。合法的傍受（ＳＭイベントおよびＬＩシステムへのインターフェースに対して）、ＮＡＳメッセージのＳＭ部の終端、ダウンリンクデータ通知、ＡＭＦ１５５を介してＮ２上を（Ｒ）ＡＮ１０５へ送信される、ＡＮ固有のＳＭ情報の開始、セッションのＳＳＣモードの判定、ローミング機能性、ＱｏＳ  ＳＬＡを適用するように、ローカルでの施行処理（ＶＰＬＭＮ）、課金データ収集および課金インターフェース（ＶＰＬＭＮ）、合法的傍受（ＶＰＬＭＮで、ＳＭイベントおよびＬＩシステムへのインターフェースに対して）、外部ＤＮ１１５によるＰＤＵセッションの認可／認証用にシグナリングをトランスポートするための、外部ＤＮ１１５との相互作用のサポートのうちの１つ以上を含んでもよい。上述の機能性のうちの１つ以上は、ネットワークスライスのインスタンスでサポートされるのを必要とし得る。
【００１２】
ユーザプレーン機能ＵＰＦ１１０は、以下の機能性（ＵＰＦ１１０の機能性のうちの一部は、ＵＰＦ１１０の単一インスタンスでサポートされてもよい）、ＲＡＴ内および／またはＲＡＴ間のモビリティ用のアンカーポイント（適用できる場合）、ＤＮ１１５への相互接続の外部ＰＤＵセッションポイント、パケットルーティングおよび転送、パケットインスペクションおよびポリシー規則施行のユーザプレーン部、合法的傍受（ＵＰ収集）、トラフィック使用量報告、トラフィックフローをデータネットワークへルーティングするのをサポートするアップリンク分類子、マルチホームのＰＤＵセッションをサポートする分岐点、ユーザプレーン向けＱｏＳ対応、アップリンクトラフィック検証（ＳＤＦからＱｏＳフローのマッピング）、アップリンクおよびダウンリンクにおけるトランスポートレベルのパケットマーキング、ダウンリンクパケットバッファリングおよびダウンリンクデータ通知のトリガのうちの１つ以上を含んでもよい。上述の機能性の１つ以上は、ネットワークスライスのインスタンスでサポートされてもよい。
【００１３】
ＵＥ１００のＩＰアドレス管理は、ＵＥ１００のＩＰアドレスの割り当ておよび解除、ならびに該当する場合、割り当てられたＩＰアドレスの更新を含み得る。ＵＥ１００は、要求されたＰＤＵタイプを、ＰＤＵセッションの確立プロシージャ中に、そのＩＰスタック機能および構成に基づいて設定する。一例では、ＳＭＦ１６０によって、以下のように、ＰＤＵセッションのＰＤＵタイプを選択してもよい。ＳＭＦ１６０が、ＩＰに設定するＰＤＵタイプを伴う要求を受信した場合、ＳＭＦ１６０によって、ＤＮＮ構成および通信事業者のポリシーに基づいて、ＰＤＵタイプのＩＰｖ４またはＩＰｖ６のいずれか一方を選択し得る。ＳＭＦ１６０によって、他方のＩＰバージョンがＤＮＮでサポートされているかを示すように、ＵＥ１００に原因値を提供してもよい。他方のＩＰバージョンがサポートされている場合、ＵＥ１００は、他方のＩＰバージョン用の同じＤＮＮに対する、別のＰＤＵセッションを要求してもよい。ＳＭＦ１６０が、ＰＤＵタイプのＩＰｖ４またはＩＰｖ６に対する要求を受信し、要求されたＩＰバージョンを、ＤＮＮがサポートしている場合、ＳＭＦによって要求されたＰＤＵタイプを選択する。
【００１４】
例示的な一実施形態では、５ＧＣ要素およびＵＥ１００は、以下の、ＰＤＵセッションの確立プロシージャ中、ＳＭＦ１６０によって、ＳＭ  ＮＡＳシグナリングでＵＥ１００へＩＰアドレスを送信してもよいというメカニズムをサポートする。一度ＰＤＵセッションが確立されると、ＤＨＣＰｖ４によるＩＰｖ４アドレス割り当ておよび／またはＩＰｖ４パラメータ構成が用いられ得る。ＩＰｖ６プレフィックス割り当ては、ＩＰｖ６がサポートされる場合、ＩＰｖ６ステートレス自動構成によってサポートされ得る。ステートレスＤＨＣＰｖ６によるＩＰｖ６パラメータ構成がサポートされてもよい。
【００１５】
５ＧＣは、ＵＤＭ１４０のサブスクリプション情報に基づいて、もしくは加入者ごと、ＤＮＮごとの構成に基づいて、静的ＩＰｖ４アドレスおよび／または静的ＩＰｖ６プレフィックスの割り当てをサポートしてもよい。
【００１６】
ユーザプレーン機能（ＵＰＦ１１０）は、ＰＤＵセッションのユーザプレーン経路に対応してもよい。データネットワークへのインターフェースを提供するＵＰＦ１１０によって、ＰＤＵセッションアンカーの機能性をサポートする。
【００１７】
ポリシー制御機能ＰＣＦ１３５は、ネットワーク挙動を支配する統合ポリシーフレームワークをサポートし、ポリシー規則を施行するように、それらを制御プレーン機能に提供し、ユーザデータリポジトリ（ＵＤＲ：ｕｓｅｒ  ｄａｔａ  ｒｅｐｏｓｉｔｏｒｙ）において、ポリシー決定について関連するサブスクリプション情報にアクセスするように、フロントエンドを実装してもよい。
【００１８】
ネットワーク公開機能ＮＥＦ１２５によって、３ＧＰＰネットワーク機能が提供するサービスおよび能力をセキュアに公開し、ＡＦ１４５と交換する情報と、内部ネットワーク機能と交換する情報との間で変換し、他のネットワーク機能から情報を受信する手段を提供し得る。
【００１９】
ＮＦリポジトリ機能ＮＲＦ１３０によって、ＮＦインスタンスからＮＦ発見要求を受信する、サービス発見機能をサポートし、発見したＮＦインスタンス（発見される）の情報を、ＮＦインスタンスへ提供し、利用可能なＮＦインスタンスおよびそれらがサポートするサービスの情報を維持してもよい。
【００２０】
統合データ管理ＵＤＭ１４０は、認証情報の処理、位置管理、サブスクリプション管理を担当するＵＤＭ−ＦＥ、およびポリシー管理担当のＰＣＦ１３５を含む、アプリケーションフロントエンド（ＦＥ）と、ＵＤＭ−ＦＥによって提供される機能性に必要なデータを記憶するユーザデータリポジトリＵＤＲと、加えてＰＣＦ１３５が必要とするポリシープロファイルとから成ってもよい。
【００２１】
ＮＳＳＦによって、ＵＥ１００を受け持つネットワークスライスインスタンスのセットの選択、許可されていない（Ａｌｌｏｗｅｄ）ＮＳＳＡＩの判定、ＵＥ１００を受け持つように用いられるＡＭＦ１５５のセットの判定、および／または場合によりＮＲＦ１３０を問い合わせることによる、構成に基づく、候補ＡＭＦ１５５のリストの判定をサポートしてもよい。
【００２２】
ＵＤＲに記憶されるデータは、少なくともサブスクリプション識別子、セキュリティ証明書、アクセスおよびモビリティ関係のサブスクリプションデータおよび／もしくはセッション関係のサブスクリプションデータ、ならびに／またはポリシーデータを含む、少なくともユーザサブスクリプションデータを含む。
【００２３】
ＡＵＳＦ１５０によって、認証サーバ機能（ＡＵＳＦ：ａｕｔｈｅｎｔｉｃａｔｉｏｎ  ｓｅｒｖｅｒ  ｆｕｎｃｔｉｏｎ）をサポートしてもよい。信頼できない非３ＧＰＰアクセス１６５の場合のＮ３ＩＷＦ１７０の機能性は、以下の、ＵＥとのＩＰｓｅｃトンネルの確立のサポート、Ｎ３ＩＷＦ１７０が、ＮＷｕを介してＵＥ１００でＩＫＥｖ２／ＩＰｓｅｃプロトコルを終端してもよく、Ｎ２を介して、ＵＥ１００を認証し、５Ｇコアネットワークへのアクセスを認可するのに必要な情報を中継してもよいこと、制御プレーンおよびユーザプレーンそれぞれに対する、５ＧコアネットワークへのＮ２およびＮ３インターフェースの終端、ＵＥ１００とＡＭＦ１５５との間における、アップリンクおよびダウンリンク制御プレーンＮＡＳ（Ｎ１）のシグナリングの中継、ＰＤＵセッションおよびＱｏＳに関係するＳＭＦ１６０（ＡＭＦ１５５により中継）からのＮ２シグナリングの対応、ＰＤＵセッションのトラフィックをサポートする、ＩＰｓｅｃセキュリティの関連付け（ＩＰｓｅｃ  ＳＡ）の確立、ＵＥ１００とＵＰＦ１１０との間のアップリンクおよびダウンリンクのユーザプレーンパケットの中継、Ｎ３パケットマーキングに対応するＱｏＳの、Ｎ２を介して受信したそのようなマーキングに関連する、ＱｏＳ要件を考慮したうえでの施行、アップリンクにおけるＮ３ユーザプレーンのパケットマーキング、ならびに／またはＭＯＢＩＫＥを使用する、信頼できない非３ＧＰＰアクセスネットワーク１６５内のローカルモビリティアンカー、ＡＭＦ１５５の選択のサポートのうちの少なくとも１つ以上を含んでもよい。
【００２４】
アプリケーション機能ＡＦ１４５によって、３ＧＰＰコアネットワークと相互作用して、サービスを提供し得る。通信事業者の配備に基づいて、アプリケーション機能は、通信事業者に信頼され、関連のネットワーク機能と直接相互作用してもよい。ネットワーク機能に直接アクセスすることを許されないアプリケーション機能によって、外部公開フレームワーク（ＮＥＦ１２５によって）を使用して、関連のネットワーク機能と相互作用してもよい。
【００２５】
（Ｒ）ＡＮ１０５と５Ｇコアとの間の制御プレーンインターフェースによって、複数の異なる種類のＡＮ（例えば、３ＧＰＰ  ＲＡＮ１０５、信頼できないアクセス１６５に対するＮ３ＩＷＦ１７０）の、一意の制御プレーンプロトコルによる５ＧＣへの接続をサポートしてもよい。単一のＮ２  ＡＰプロトコルは、３ＧＰＰアクセス１０５および非３ＧＰＰアクセス１６５の両方に、ならびにＡＭＦ１５５と、ＡＮによりサポートされるサービスの制御（例えば、ＰＤＵセッションのためのＡＮ１０５中のＵＰリソースの制御）を必要とし得るＳＭＦ１６０など、他の機能との切り離しに用いられ得る。
【００２６】
５ＧＣは、ＰＣＦ１３５からＵＥ１００へ、ポリシー情報を提供でき得る。そのようなポリシー情報としては、限定ではないが、以下の、アクセスネットワーク発見および選択ポリシー、グループ化するＵＥ１００のルート選択ポリシー（ＵＲＳＰ：ＵＥ  ｒｏｕｔｅ  ｓｅｌｅｃｔｉｏｎ  ｐｏｌｉｃｙ）またはどちらかというとＳＳＣモード選択ポリシー（ＳＳＣＭＳＰ：ＳＳＣ  ｍｏｄｅ  ｓｅｌｅｃｔｉｏｎ  ｐｏｌｉｃｙ）、ネットワークスライス選択ポリシー（ＮＳＳＰ：ｎｅｔｗｏｒｋ  ｓｌｉｃｅ  ｓｅｌｅｃｔｉｏｎ  ｐｏｌｉｃｙ）、ＤＮＮ選択ポリシー、ならびに非シームレスオフロードポリシーが挙げられ得る。
【００２７】
５Ｇコアネットワークは、非３ＧＰＰアクセスネットワーク１６５を介する、ＵＥ１００の接続性をサポートし得る。例示的な図５Ａおよび図５Ｂに示すように、登録管理ＲＭを用いて、ＵＥ／ユーザ１００をネットワークに登録するか、またはその登録を解除し、ネットワーク中でユーザコンテキストを確立してもよい。接続管理を用いて、ＵＥ１００とＡＭＦ１５５との間のシグナリング接続を確立および解除してもよい。
【００２８】
ＵＥ１００は、登録を必要とするサービスを受けるために、ネットワークに登録する必要があり得る。一度登録すると、該当する場合、ＵＥ１００は、到達可能なままにするために周期的に（周期的な登録更新）、もしくはモビリティに関して（モビリティ登録更新）、または能力を更新もしくはプロトコルパラメータを再ネゴシエートするように、ネットワークへの登録を更新してもよい。
【００２９】
例示的な図８および図９に描写するような新規登録プロシージャは、ネットワークアクセス制御機能の実行（例えば、ＵＤＭ１４０におけるサブスクリプションプロファイルに基づく、ユーザ認証およびアクセス認可）を伴ってもよい。登録プロシージャの結果として、サービングＡＭＦ１５５の識別が、ＵＤＭ１４０に登録され得る。
【００３０】
登録管理ＲＭプロシージャは、３ＧＰＰアクセス１０５および非３ＧＰＰアクセス１６５の両方に渡り適用可能であり得る。
【００３１】
例示的な図５Ａおよび図５Ｂは、ＵＥ１００およびＡＭＦ１５５によって観察されるような、ＵＥ１００のＲＭ状態を描写する。例示的な一実施形態では、選択されたＰＬＭＮにＵＥ１００の登録ステータスを反映する２つのＲＭ状態、すなわちＲＭ−登録解除５００およびＲＭ−登録５１０が、ＵＥ１００とＡＭＦ１５５とに用いられ得る。ＲＭ登録解除状態５００では、ＵＥ１００はネットワークに登録されなくてもよい。ＡＭＦ１５５におけるＵＥ１００のコンテキストには、ＵＥ１００についての有効な位置もルーティング情報も保持しなくてもよいため、ＡＭＦ１５５によってＵＥ１００には到達できない。一部のＵＥ１００のコンテキストが、依然としてＵＥ１００およびＡＭＦ１５５に記憶されていてもよい。ＲＭ登録状態５１０では、ＵＥ１００はネットワークに登録され得る。ＲＭ−登録５１０の状態では、ＵＥ１００は、ネットワークへの登録を必要とするサービスを受信してもよい。
【００３２】
例示的な一実施形態では、選択されたＰＬＭＮに、ＵＥ１００の登録ステータスを反映する２つのＲＭ状態、すなわちＲＭ−登録解除５２０およびＲＭ−登録５３０が、ＵＥ１００についてＡＭＦ１５５に用いられ得る。
【００３３】
例示的な図６Ａおよび６Ｂに示すように、接続管理ＣＭ（ｃｏｎｎｅｃｔｉｏｎ  ｍａｎａｇｅｍｅｎｔ）は、Ｎ１上のＵＥ１００とＡＭＦ１５５との間のシグナリング接続を確立および解除する機能を備えてもよい。このシグナリング接続を用いて、ＵＥ１００とコアネットワークとの間で、ＮＡＳシグナリング交換が可能になってもよい。シグナリング接続は、ＵＥ１００と（Ｒ）ＡＮ１０５との間のＡＮシグナリング接続（例えば、３ＧＰＰアクセスによるＲＲＣ接続）、およびこのＵＥ１００用のＡＮとＡＭＦ１５５との間のＮ２接続の両方を含む。
【００３４】
例示的な図６Ａおよび６Ｂに描写するように、２つのＣＭ状態、すなわちＣＭ−アイドル６００、６２０およびＣＭ−接続６１０、６３０は、ＵＥ１００のＡＭＦ１５５とのＮＡＳシグナリング接続性に用いられてもよい。ＣＭ−アイドル６００の状態にあるＵＥ１００は、ＲＭ−登録５１０の状態であり、Ｎ１上でＡＭＦ１５５により確立されるＮＡＳシグナリング接続がない。ＵＥ１００は、セルの選択、セルの再選択、およびＰＬＭＮ選択を行ってもよい。ＣＭ−接続６１０の状態にあるＵＥ１００には、Ｎ１上でＡＭＦ１５５により確立されるＮＡＳシグナリング接続がある。
【００３５】
例示的な一実施形態では、２つのＣＭ状態、すなわちＣＭ−アイドル６２０およびＣＭ−接続６３０が、ＡＭＦ１５５でＵＥ１００に用いられ得る。
【００３６】
ＲＲＣの非アクティブ状態は、ＮＧ−ＲＡＮに当てはまり得る（例えば、ＮＲ、および５Ｇ  ＣＮに接続するＥ−ＵＴＲＡに当てはまる）。ＡＭＦ１５５によって、ネットワーク構成に基づいて、ＵＥ１００をＲＲＣの非アクティブ状態に送信するかというＮＧ  ＲＡＮ１０５の決定を支援するために、ＮＧ  ＲＡＮ１０５への支援情報を提供してもよい。ＵＥ１００がＲＲＣの非アクティブ状態とＣＭ−接続６１０の状態であるとき、ＵＥ１００は、アップリンクデータの保留によって、端末開始シグナリングプロシージャによって、ＲＡＮ１０５のページングへの応答として、ＵＥ１００がＲＡＮ１０５の通知エリアを去ったとのネットワークへの通知によって、ＲＲＣ接続を再開してもよい。
【００３７】
ＮＡＳシグナリング接続管理には、ＮＡＳシグナリング接続を確立および解除する機能が含まれてもよい。ＮＡＳシグナリング接続確立機能は、ＵＥ１００およびＡＭＦ１５５によって提供され、ＣＭ−アイドル６００の状態で、ＵＥ１００に対するＮＡＳシグナリング接続を確立してもよい。ＮＡＳシグナリング接続を解除するプロシージャは、５Ｇ  （Ｒ）ＡＮ１０５のノードまたはＡＭＦ１５５によって開始され得る。
【００３８】
ＵＥ１００の到達可能性管理によって、ＵＥ１００が到達可能で、ネットワークがＵＥ１００に到達するＵＥ１００の位置（例えば、アクセスノード）を提供しているかを検出し得る。これは、ＵＥ１００およびＵＥ１００の位置追跡をページングすることによって行われてもよい。ＵＥ１００の位置追跡には、ＵＥ１００の登録エリア追跡およびＵＥ１００の到達可能性追跡の両方を含み得る。そのような機能性は、５ＧＣ（ＣＭ−アイドル６２０の状態の場合）またはＮＧ−ＲＡＮ１０５（ＣＭ−接続６３０の状態の場合）のいずれかに配置されてもよい。ＵＥ１００およびＡＭＦ１５５は、登録および登録更新プロシージャ中に、ＣＭ−アイドル６００、６２０の状態で、ＵＥ１００の到達可能性特性をネゴシエートしてもよい。
【００３９】
２つのＵＥ１００の到達可能性カテゴリが、ＣＭ−アイドル６００、６２０の状態について、ＵＥ１００とＡＭＦ１５５との間でネゴシエートされ得る。１）ＵＥ１００がＣＭ−アイドル６００モードである間に、モバイルデバイスに終端データを与えるＵＥ１００の到達可能性。２）端末開始接続専用（ＭＩＣＯ）モード。５ＧＣによって、ＵＥ１００とＤＮＮによって識別されるデータネットワークとの間に、ＰＤＵ交換を提供するＰＤＵ接続性サービスをサポートしてもよい。ＰＤＵ接続性サービスは、ＵＥ１００からの要求時に確立される、ＰＤＵセッションによってサポートされてもよい。
【００４０】
ＰＤＵセッションは、１つ以上のＰＤＵセッションタイプをサポートしてもよい。ＰＤＵセッションは、Ｎ１上でＵＥ１００とＳＭＦ１６０との間で交換されるＮＡＳ  ＳＭシグナリングを使用して、確立（例えば、ＵＥ１００の要求時）、修正（例えば、ＵＥ１００および５ＧＣの要求時）、および解除（例えば、ＵＥ１００および５ＧＣの要求時）され得る。アプリケーションサーバからの要求時に、５ＧＣは、ＵＥ１００の中にある特定のアプリケーションをトリガでき得る。そのトリガメッセージを受信すると、ＵＥ１００は、ＵＥ１００の中の識別されたアプリケーションへ渡してもよい。ＵＥ１００の中の識別されたアプリケーションによって、特定のＤＮＮへのＰＤＵセッションが確立され得る。
【００４１】
５Ｇ  ＱｏＳモデルは、例示的な図７に示すような、ＱｏＳフローベースのフレームワークをサポートし得る。５Ｇ  ＱｏＳモデルは、保証されたフロービットレートを必要とするＱｏＳフロー、および保証されたフロービットレートを必要としない場合があるＱｏＳフローの両方をサポートしてもよい。５Ｇ  ＱｏＳモデルは、反映型（ｒｅｆｌｅｃｔｉｖｅ）ＱｏＳをサポートし得る。ＱｏＳモデルは、ＵＰＦ（ＣＮ＿ＵＰ）１１０、ＡＮ１０５、および／もしくはＵＥ１００で、フローのマッピングまたはパケットマーキングを含んでもよい。パケットは、ＵＥ１００のアプリケーション／サービスレイヤ７３０、ＵＰＦ（ＣＮ＿ＵＰ）１１０、および／もしくはＡＦ１４５から到着し、ならびに／またはそこへ向かってもよい。
【００４２】
ＱｏＳフローは、ＰＤＵセッションにおけるＱｏＳ差別化の粒度であり得る。ＱｏＳフローＩＤのＱＦＩ（ＱｏＳ  Ｆｌｏｗ  ＩＤ）を用いて、５ＧシステムでＱｏＳフローを識別してもよい。ＰＤＵセッション内で同じＱＦＩを持つユーザプレーントラフィックは、同じトラフィック転送処理を行ってもよい。ＱＦＩは、例えば、エンドツーエンドのパケットヘッダを全く変更することなく、Ｎ３（およびＮ９）上をカプセル化ヘッダで運ばれ得る。ＱＦＩは、異なるタイプのペイロードを持つＰＤＵに適用され得る。ＱＦＩは、ＰＤＵセッション内において一意であり得る。
【００４３】
ＱｏＳフローのＱｏＳパラメータは、ＰＤＵセッションでまたはＱｏＳフロー確立時に、Ｎ２上をＱｏＳプロファイルとして（Ｒ）ＡＮへ提供されてもよく、ＮＧ−ＲＡＮが使用されるときは毎回、ユーザプレーンがアクティブ化される。デフォルトのＱｏＳ規則は、すべてのＰＤＵセッションに必要であり得る。ＳＭＦ１６０は、ＱＦＩをＱｏＳフローに割り当ててもよく、そのＱｏＳパラメータをＰＣＦによって提供される情報から導き出し得る。適用できる場合、ＳＭＦ１６０によって、ＱｏＳフローのＱｏＳパラメータを包含するＱｏＳプロファイルと共に、ＱＦＩを（Ｒ）ＡＮ１０５へ提供してもよい。
【００４４】
５Ｇ  ＱｏＳフローは、５ＧシステムにおけるＱｏＳ転送処理に対する粒度であり得る。同じ５Ｇ  ＱｏＳフローへマッピングされるトラフィックは、同じ転送処理（例えば、スケジューリングポリシー、キュー管理ポリシー、レートシェーピングポリシー、ＲＬＣ構成、および／または同様のもの）を受けてもよい。異なるＱｏＳ転送処理の提供には、別個の５Ｇ  ＱｏＳフローを必要とし得る。
【００４５】
５Ｇ  ＱｏＳインジケータは、５Ｇ  ＱｏＳフローへ提供される、特定のＱｏＳ転送挙動（例えば、パケット損失率、パケット遅延量（ｐａｃｋｅｔ  ｄｅｌａｙ  ｂｕｄｇｅｔ））へのリファレンスとして用いられる、スカラーであり得る。これは、ＱｏＳ転送処理を制御する、５ＱＩ参照ノードの特定のパラメータ（例えば、スケジューリングの加重値、アドミッション閾値、キュー管理閾値、リンクレイヤプロトコル構成、および／または同様のもの）によって、アクセスネットワークの中に実装されてもよい。
【００４６】
５ＧＣは、エッジコンピューティングをサポートしてもよく、通信事業者および第三者サービスを、ＵＥが接着するアクセスポイントに近接してホストすることが可能になってもよい。５Ｇコアネットワークは、ＵＥ１００に近接するＵＰＦ１１０を選択してもよく、ＵＰＦ１１０からＮ６インターフェースを介してローカルデータネットワークへ、トラフィック誘導を実行してもよい。これは、ＵＥ１００のサブスクリプションデータ、ＵＥ１００の位置、アプリケーション機能ＡＦ１４５からの情報、ポリシー、または他の関係するトラフィック規則に基づき得る。５Ｇコアネットワークは、ネットワーク情報および能力を、エッジコンピューティングアプリケーション機能へ公開してもよい。エッジコンピューティングに対する機能性サポートには、５ＧコアネットワークがＵＰＦ１１０を選択して、ユーザトラフィックをローカルデータネットワークへルーティングする、ローカルルーティング、５Ｇコアネットワークがトラフィックを選択して、ローカルデータネットワークの中のアプリケーションへルーティングされる、トラフィック誘導、ＵＥ１００およびアプリケーションモビリティを有効にする、セッションならびにサービス継続性、例えば、アプリケーション機能からの入力に基づく、ユーザプレーン選択および再選択、５Ｇコアネットワークおよびアプリケーション機能が、ＮＥＦによって互いへの情報を提供し得る、ネットワーク能力公開、ＰＣＦによって、ローカルデータネットワークへルーティングされるトラフィックに、ＱｏＳ制御および課金の規則を提供し得る、ＱｏＳならびに課金、５Ｇコアネットワークが、アプリケーションを配備するあるエリアに、ＬＡＤＮへ接続するようにサポートを提供し得る、ローカルエリアデータネットワークのサポートを含んでもよい。
【００４７】
例示的な５Ｇシステムは、５Ｇアクセスネットワーク１０５、５ＧコアネットワークおよびＵＥ１００、ならびに／または同様のものから成る３ＧＰＰシステムであってもよい。許可されていないＮＳＳＡＩは、例えば、登録プロシージャ中にサービングＰＬＭＮによって提供されるＮＳＳＡＩであってもよく、現行の登録エリアに対するサービングＰＬＭＮの中で、ＵＥ１００に対してネットワークが認めるＮＳＳＡＩを示す。
【００４８】
ＰＤＵ接続性サービスによって、ＵＥ１００とデータネットワークとの間で、ＰＤＵの交換が提供されてもよい。ＰＤＵセッションは、ＵＥ１００と、ＰＤＵ接続性サービスを提供するデータネットワークＤＮとの関連付けであり得る。関連付けのタイプは、ＩＰ、またはイーサネット（登録商標）もしくは非構造化であってもよい。
【００４９】
ネットワークスライスインスタンスによる、データネットワークへのユーザプレーン接続性の確立は、少なくとも２つのステップから成る。必要とされるネットワークスライスをサポートするＡＭＦ１５５を選択する、ＲＭプロシージャの実施、およびネットワークスライスインスタンスによる、必要とされるデータネットワークへの１つ以上のＰＤＵセッションの確立。
【００５０】
ＵＥ１００に対するネットワークスライスのセットは、ＵＥ１００がネットワークに登録されている間、いつでも変更される可能性があり、ネットワークまたはＵＥ１００によって開始されてもよい。
【００５１】
周期的な登録更新は、周期的な登録タイマの満了時の、ＵＥ１００の再登録であってもよい。要求されるＮＳＳＡＩは、ＵＥ１００がネットワークへ提供し得るＮＳＳＡＩである。サービスベースのインターフェースによって、サービスのセットを所与のＮＦによって、どのように提供／公開するかを表してもよい。
【００５２】
サービス継続性は、ＩＰアドレスおよび／またはアンカーポイントが変化する場合を含め、途切れないサービスをユーザが体験することであってもよい。セッション継続性は、ＰＤＵセッションの継続性を指してもよい。ＩＰタイプのＰＤＵセッションでは、セッション継続性は、ＰＤＵセッションのライフサイクルの間、ＩＰアドレスが保存されることを意味してもよい。アップリンク分類子は、ＳＭＦによって提供されるフィルタ規則に基づいて、アップリンクトラフィックをデータネットワークの方へとそらすことを目的とする、ＵＰＦ機能性であり得る。
【００５３】
５Ｇシステムアーキテクチャによって、例えば、ネットワーク機能仮想化および／またはソフトウェア定義ネットワーキングなどの技法を使用する展開を可能にする、データ接続性およびサービスをサポートしてもよい。５Ｇシステムアーキテクチャは、識別された制御プレーン（ＣＰ）ネットワーク機能間のサービスベースの相互作用を活用してもよい。５Ｇシステムアーキテクチャでは、制御プレーン機能からのユーザプレーン（ＵＰ）機能の分離が考慮され得る。５Ｇシステムによって、必要な場合には、ネットワーク機能が、他のＮＦと直接相互作用することが可能になってもよい。
【００５４】
５Ｇシステムによって、アクセスネットワーク（ＡＮ）とコアネットワーク（ＣＮ）との間の依存性が減少してもよい。アーキテクチャは、異なる３ＧＰＰおよび非３ＧＰＰアクセスタイプを統合する、ＡＮ−ＣＮ共通インターフェースを持つ、集中型アクセス独立コアネットワークを備えてもよい。
【００５５】
５Ｇシステムはさらに、統合認証フレームワーク、計算リソースが記憶リソースから切り離される、ステートレスＮＦ、能力公開、ならびにローカルおよび集中型サービスへの同時アクセスをサポートし得る。低レイテンシサービスをサポートし、ローカルデータネットワークへアクセスするために、ＵＰ機能は、アクセスネットワークに近接して配備されてもよい。
【００５６】
５Ｇシステムは、ホームルーティングトラフィック、および訪問先ＰＬＭＮでのローカルブレイクアウトトラフィックの両方でのローミングをサポートし得る。例示的な５Ｇアーキテクチャはサービスベースであってもよく、ネットワーク機能間の相互作用は２通りで表され得る。（１）図１は例示的なサービスベースの表示であり、制御プレーン内のネットワーク機能によって、他の認可されたネットワーク機能が、サービスにアクセスするのが可能になり得る。この表示には、必要に応じて、ポイントツーポイントの基準点を含んでもよい。（２）図２は例示的な基準点の表示であり、任意の２つのネットワーク機能間のポイントツーポイントの基準点（例えば、Ｎ１１）によって記述される、ネットワーク機能の中のＮＦサービス間における相互作用を示す。
【００５７】
一例として、通信システム（例えば、５Ｇ）の制御プレーンは、サービスベースのアーキテクチャを使用してもよい。ＡＦとＰＣＦとの間のインターフェース／基準点（例えば、ＲｘインターフェースまたはＲｘ基準点）は、ＨＴＴＰプロトコルを使用してもよい。Ｒｅｐｒｅｓｅｎｔａｔｉｏｎａｌ  Ｓｔａｔｅ  Ｔｒａｎｓｆｅｒ（ＲＥＳＴ）を、必要に応じて、アーキテクチャ様式として使用してもよい。図１６は、ＲＥＳＴ−Ｒｘ基準点のプロトコルスタックを示す、例示的な図である。ＴＣＰによって、トランスポートレイヤで通信サービスを提供してもよい。アプリケーション送達レイヤによって、ＨＴＴＰを使用して特定のアプリケーション通信データのトランスポートが提供され得る。特定のアプリケーション通信レイヤは、ＪＳＯＮコンテンツタイプのトランスポートを含んでもよい。
【００５８】
ＨＴＴＰ要求メッセージは、サーバがどのアクションを行ってもよいかを、サーバに示すメソッド／プロセスを有し得る。クライアントおよび／またはサーバは、以下のＨＴＴＰメソッド／プロセスのうちの１つを使用してもよい。ＰＯＳＴ：ＨＴＴＰ  ＰＯＳＴを使用して、リソース状態を作り出し得る。要求ＵＲＩは、リソースの作成に関与しているアドレスを定義し得る。ＰＵＴ：ＨＴＴＰ  ＰＵＴを使用して、リソース状態を置き換えてもよい。リソースの完全状態が、メッセージの本文で提供され得る。要求ＵＲＩは、置き換えられるであろうリソースを定義し得る。ＰＡＴＣＨ：ＨＴＴＰ  ＰＡＴＣＨメソッドは、リソースへの部分的修正に適用してもよい。要求ＵＲＩは、修正されるであろうリソースを定義し得る。ＧＥＴ：ＨＴＴＰ  ＧＥＴを使用して、リソース状態を読み出してもよい。要求ＵＲＩは、問い合わせるリソースを定義し得る。ＤＥＬＥＴＥ：ＨＴＴＰ  ＤＥＬＥＴＥを使用して、リソース状態を削除してもよい。要求ＵＲＩは、削除されるであろうリソースを定義し得る。
【００５９】
既存技術を実装すると、特定のサービス／アプリケーションをサポートする際に問題が起こり得る。既存のサービス／アプリケーションは、レイテンシおよび信頼性について特定の要件を有してもよく、それらのサービス／アプリケーションは、公共の安全に関係し得る。図１４に示すように、低レイテンシおよび通信サービスの高可用性を必要とするシナリオは、別々の自動化−運動制御、別々の自動化およびプロセス自動化−遠隔制御などであってもよい。図１４は、これらのシナリオについての例示的な性能要件を提供する。全体のサービスレイテンシは、無線インターフェース、５Ｇシステム内での伝送、５Ｇシステムの外部にあってもよい、アプリケーションサーバへの伝送、および／またはデータ処理の遅延に依存し得る。既存技術では、一部の場合、サービスのＱｏＳを保証できない場合がある。アプリケーションサーバは、アプリケーションサーバと無線デバイスとの間で、エンドツーエンド遅延を測定／検出し得る。これには、アプリケーションサーバが、測定／検出機能をサポートすることが必要とされ得るという問題がある場合があり、これは、アプリケーションサーバが、アプリケーションサーバと無線デバイスとの間のエンドツーエンド遅延を把握し得るという問題を有し得る。アプリケーションサーバは、遅延のどの部分（例えば、無線デバイスからアクセスネットワーク、アクセスネットワークからコアネットワーク、またはコアネットワークからアプリケーションサーバ）が、アプリケーションサーバと無線デバイスとの間のエンドツーエンド遅延を引き起こす原因であり得るかを把握する能力を有さなくてもよい。例示的な実施形態によって、強化したメカニズムを提供して、無線デバイスとアクセスネットワークとの間、アクセスネットワークとコアネットワークとの間、および／もしくはコアネットワークからアプリケーションサーバのサービス性能ならびに／またはサービスのＱｏＳを監視し報告する。例示的な一実施形態では、５Ｇコアネットワーク中のネットワークエンティティによって、アプリケーションサーバに、サービス挙動を調整するように通知してもよい。
【００６０】
既存技術を実装すると、ローミングシナリオで特定のサービス／アプリケーションをサポートする際に問題が起こり得る。既存のサービス／アプリケーションは、レイテンシおよび信頼性について特定の要件を有してもよく、それらのサービス／アプリケーションは、公共の安全に関係し得る。図１４に示すように、低レイテンシおよび通信サービスの高可用性を必要とするシナリオは、別々の自動化−運動制御、別々の自動化およびプロセス自動化−遠隔制御などであってもよい。図１４は、これらのシナリオについての例示的な性能要件を提供する。全体のサービスレイテンシは、無線インターフェース、訪問先ＰＬＭＮおよびホームＰＬＭＮの５Ｇシステム内での伝送、５Ｇシステムの外部にあってもよい、アプリケーションサーバへの伝送、および／またはデータ処理の遅延に依存し得る。既存技術では、一部の場合、サービスのＱｏＳを保証できない場合がある。アプリケーションサーバ（例えば、ローミングシナリオにおけるＨＡＦ）は、アプリケーションサーバと無線デバイスとの間で、エンドツーエンド遅延を測定／検出し得る。これには、アプリケーションサーバが、測定／検出機能をサポートすることが必要とされ得るという問題がある場合があり、これは、アプリケーションサーバが、アプリケーションサーバと無線デバイスとの間のエンドツーエンド遅延を把握し得るという問題を有し得る。アプリケーションサーバは、特に、アプリケーションサーバがホームＰＬＭＮにあってもよく、無線デバイスが訪問先ＰＬＭＮにあってもよい場合、遅延のどの部分（例えば、無線デバイスからアクセスネットワーク、アクセスネットワークからコアネットワーク、またはコアネットワークからアプリケーションサーバ）が、アプリケーションサーバと無線デバイスとの間のエンドツーエンド遅延を引き起こす原因であり得るかを把握する能力を有さなくてもよい。例示的な実施形態によって、強化したメカニズムを提供して、無線デバイスとアクセスネットワークとの間、アクセスネットワークとコアネットワークとの間、および／もしくはコアネットワークからアプリケーションサーバのサービス性能ならびに／またはサービスのＱｏＳを監視し報告し、ローミングシナリオ（例えば、ホームルーティングローミングの場合）において、アプリケーションサーバはホームＰＬＭＮにあってもよく、無線デバイスは訪問先ＰＬＭＮにあってもよい。例示的な一実施形態では、訪問先ＰＬＭＮの５Ｇコアネットワーク中のネットワークエンティティによって、ホームＰＬＭＮの中にあるアプリケーションサーバに、サービス挙動を調整するように通知してもよい。
【００６１】
実施例１
一例では、ＡＦによって、第１のメッセージをネットワークノード（例えば、ＰＣＦまたはＮＥＦ）へ送信してもよい。第１のメッセージは、サービスデータフロー、サービス／アプリケーション、ＰＤＵセッション、および／または無線デバイスについて、少なくとも１つのサービス性能／ＱｏＳイベントにサブスクライブする要求を示してもよい。ＰＣＦはさらに、ＳＭＦへのイベントをサブスクライブしてもよい。図１０は、１つ以上のアクションを含み得る、例示的なコールフローを示す。
【００６２】
ＡＦ（アプリケーションサーバ）によって、ネットワーク機能（例えば、ＰＣＦまたはＮＥＦ）へ、メッセージ（例えば、サービス性能／ＱｏＳイベントをサブスクライブ、またはアプリケーション／サービス情報のプロビジョニング）を送信して、サービスデータフロー、サービス／アプリケーション、ＰＤＵセッション、および／または無線デバイスについて、少なくとも１つのサービス性能／ＱｏＳイベントにサブスクライブしてもよい。一例として、ＡＦによって、ＰＣＦへＨＴＴＰ  ＰＯＳＴメッセージを送信して、少なくとも１つのサービス性能／ＱｏＳイベントにサブスクライブしてもよい。ＡＦからＰＣＦへ送信されるメッセージは、１つ以上の情報要素を含んでもよい。一例では、ＰＣＦへ送信されるメッセージは、サービス性能／ＱｏＳイベントのトリガを示す、第１の情報要素を含む。サービス性能／ＱｏＳの値が変わった、および／または値が、閾値（例えば、要求されるサービス性能／ＱｏＳ）を下回る場合、ＡＦによって、イベントトリガを受信するネットワーク機能（例えば、ＰＣＦ）に、サービス性能／ＱｏＳの現行の値を報告するように要求してもよい。一例として、サービス性能／ＱｏＳの値が変わった、および／または値が閾値（例えば、要求されるサービス性能／ＱｏＳ）を下回る場合、サービス性能／ＱｏＳの現行の値は、サービス性能／ＱｏＳの値であってもよい。一例では、ＰＣＦへ送信されるメッセージは、要求されるサービス性能／ＱｏＳ値を示す第２の情報要素を含み、第２の情報要素を使用して、１つ以上のパラメータを含み得る、ＡＦによって要求されるサービス性能／ＱｏＳを示してもよい。一例では、第２の情報要素は、エンドツーエンドのレイテンシパラメータを含む。エンドツーエンドのレイテンシは、発信元から送信先へ所与の情報の一片を伝達するのにかかる時間であってもよい。一例として、無線デバイスと、別々の自動化−運動制御のアプリケーションサーバ／コントローラとの間のエンドツーエンドのレイテンシは、１ミリ秒であってもよい。一例では、第２の情報要素はジッタパラメータを含む。ジッタは、受信したパケットの遅延の変動時間であり得る。一例として、別々の自動化−運動制御のジッタは１マイクロ秒であり得る。一例では、第２の情報要素は生存時間パラメータを含む。生存時間は、通信サービスを消費するアプリケーションが、予想されるメッセージなしに継続し得る時間であり得る。一例として、別々の自動化−運動制御の生存時間は０ミリ秒であり得る。一例では、第２の情報要素は通信サービスの可用性パラメータを含む。通信サービスの可用性は、サービスインターフェースの中で頼りになり得る、または信頼でき得る。一例として、別々の自動化−運動制御の通信サービスの可用性は９９．９９９９％であり得る。一例では、第２の情報要素は信頼性パラメータを含む。所与のネットワークノードの信頼性は、頼りになり得る、または信頼でき得る。一例として、別々の自動化−運動制御の信頼性は９９．９９９９％であり得る。一例では、第２の情報要素はユーザ体験データレートパラメータを含む。ユーザ体験データレートは、十分な品質体験を達成するのに必要な、最小データレートであり得る。一例として、���々の自動化−運動制御のユーザ体験データレートは、１Ｍｂｐｓから最大１０Ｍｂｐｓであり得る。一例では、ＰＣＦへ送信されるメッセージは、サービスデータフローテンプレートを示す、第３の情報要素を含む。サービスデータフローテンプレートを使用して、サービス性能／ＱｏＳイベントについてサービスデータフローを検出してもよい。一例では、ＰＣＦへ送信されるメッセージは、サービス／アプリケーション識別子を示す、第４の情報要素を含む。サービス／アプリケーション識別子を使用して、サービス性能／ＱｏＳイベントに対してサービス／アプリケーションを検出してもよい。一例では、ＰＣＦへ送信されるメッセージは、ＰＤＵセッション識別子を示す、第５の情報要素を含む。ＰＤＵセッション識別子は、サービス性能／ＱｏＳイベントに適用される、ＰＤＵセッションの識別子であり得る。一例では、ＰＣＦへ送信されるメッセージは、無線デバイスのユーザ識別を示す、第６の情報要素を含む。無線デバイスのユーザ識別は、サービス性能／ＱｏＳイベントに適用される、無線デバイスの識別であり得る。ＡＦが、ＮＥＦへ上のメッセージ（例えば、サービス性能／ＱｏＳイベントをサブスクライブ、またはアプリケーション／サービス情報のプロビジョニング）を送信する場合、一例として、ＮＥＦによってメッセージをＰＣＦへ転送する。
【００６３】
ＡＦまたはＮＥＦから受信したメッセージに応答して、ＰＣＦによって１つ以上のアクションを取り得る。例示的なアクションでは、ＰＣＦによって、ＡＦまたはＮＥＦから受信した情報（例えば、要求されるサービス性能／ＱｏＳ値）に基づいて、ポリシー決定を行う。例示的なアクションでは、ＰＣＦによって、ＳＭＦへメッセージ（例えば、サービス性能／ＱｏＳイベントをサブスクライブ、またはＮｓｍｆ＿ＥｖｅｎｔＥｘｐｏｓｕｒｅ＿Ｓｕｂｓｃｒｉｂｅ）を送信して、イベントトリガをサブスクライブし、および／またはポリシー（例えば、ＱｏＳポリシー）をプロビジョニングする。メッセージは、ＡＦまたはＮＥＦから受信した情報を含んでもよい。一例として、ＳＭＦへ送信されるメッセージは、ＡＦもしくはＮＥＦから受信した情報（例えば、要求されるサービス性能／ＱｏＳ値）、および／またはポリシー（例えば、ＱｏＳポリシー）を含んでもよい。一例として、ＳＭＦへ送信されるメッセージは、ポリシー（例えば、ＱｏＳポリシー）を含んでもよく、ポリシーは、ＡＦまたはＮＥＦから受信した情報（例えば、要求されるサービス性能／ＱｏＳ値）を含んでもよい。
【００６４】
ＰＣＦから受信したメッセージに応答して、ＳＭＦによって、ＵＰＦへメッセージ（例えば、サービス性能／ＱｏＳイベントをサブスクライブ、またはＮ４セッション確立／修正の要求）を送信して、イベントトリガをサブスクライブしてもよく、および／またはポリシー（例えば、ＱｏＳポリシー）をプロビジョニングしてもよい。メッセージは、ＰＣＦから受信した１つ以上の情報要素を含んでもよい。一例として、ＵＰＦへ送信されるメッセージは、ＰＣＦから受信した情報（例えば、要求されるサービス性能／ＱｏＳ値）、および／またはポリシー（例えば、ＱｏＳポリシー）を含んでもよい。一例として、ＵＰＦへ送信されるメッセージは、ポリシー（例えば、ＱｏＳポリシー）を含んでもよく、ポリシーは、ＰＣＦから受信した情報（例えば、要求されるサービス性能／ＱｏＳ値）を含んでもよい。ＳＭＦから受信したメッセージに応答して、ＵＰＦによって、ＳＭＦへ応答メッセージ（例えば、サービス性能／ＱｏＳイベントの応答をサブスクライブ、またはＮ４セッション確立／修正の応答）を送信してもよい。
【００６５】
ＵＰＦから受信したメッセージに応答して、ＳＭＦによって、ＰＣＦへ応答メッセージ（例えば、サービス性能／ＱｏＳイベントの応答をサブスクライブ、またはＮｓｍｆ＿ＥｖｅｎｔＥｘｐｏｓｕｒｅ＿Ｓｕｂｓｃｒｉｂｅ応答）を送信してもよい。ＳＭＦから受信したメッセージに応答して、ＰＣＦによって、ＡＦへ応答メッセージ（例えば、サービス性能／ＱｏＳイベントの応答をサブスクライブ、またはアプリケーション／サービス情報のプロビジョニング応答）を送信してもよい。一例として、ＰＣＦによって、ＨＴＴＰ  ＰＯＳＴメッセージに応答して、ＡＦへＨＴＴＰ２０１  ＣＲＥＡＴＥＤ（作成）メッセージを送信してもよい。
【００６６】
ＳＭＦから受信したメッセージに応答して、ＵＰＦによって１つ以上のアクションを取り得る。例示的なアクションでは、ＵＰＦによって、サービスデータフロー、サービス／アプリケーション、ＰＤＵセッション、および／または無線デバイスに対するサービス性能／ＱｏＳを監視して、少なくとも１つのサービス性能／ＱｏＳイベントを測定／検出する。ＵＰＦによって、サービス性能／ＱｏＳを測定／検出するように、１つ以上の方法を取ってもよい。例示的な１つの方法では、ＵＰＦによって、インターネット制御メッセージプロトコル（ＩＣＭＰ：ｉｎｔｅｒｎｅｔ  ｃｏｎｔｒｏｌ  ｍｅｓｓａｇｅ  ｐｒｏｔｏｃｏｌ）のエコー機能に基づいて、ＵＰＦと無線デバイスとの間でサービス性能／ＱｏＳを監視する。一例として、ＵＰＦによって、無線デバイスから応答を受信した後、無線デバイスへｐｉｎｇパケットを送信し、サービス性能／ＱｏＳ値（例えば、エンドツーエンドのレイテンシ、ジッタ）を計算してもよい。例示的な１つの方法では、ＵＰＦによって、ＩＣＭＰエコー機能に基づいて、ＵＰＦと（Ｒ）ＡＮとの間でサービス性能／ＱｏＳを監視する。一例として、ＵＰＦによって、（Ｒ）ＡＮから応答を受信した後、（Ｒ）ＡＮへｐｉｎｇパケットを送信し、サービス性能／ＱｏＳ値（例えば、エンドツーエンドのレイテンシ、ジッタ）を計算してもよい。図１５は、ＵＰＦがＩＣＭＰエコー機能によってサービス性能／ＱｏＳを測定する、例示的なコールフローである。例示的な１つの方法では、ＵＰＦによって、（Ｒ）ＡＮと無線デバイスとの間のサービス性能／ＱｏＳを問い合わせる。一例として、ＵＰＦによって、（Ｒ）ＡＮへシグナリングメッセージを送信して、（Ｒ）ＡＮと無線デバイスとの間のサービス性能／ＱｏＳ値を問い合わせてもよく、（Ｒ）ＡＮは、（Ｒ）ＡＮと無線デバイスとの間で性能／ＱｏＳ値を測定／検出し、サービス性能／ＱｏＳ値を含む応答メッセージを、ＵＰＦへ送信してもよい。一例として、ＵＰＦによって、（Ｒ）ＡＮと無線デバイスとの間のサービス性能／ＱｏＳ値、および／または無線デバイスとアプリケーションサーバとの間のサービス性能／ＱｏＳ値を問い合わせる表示を含む、ユーザプレーンデータパケット（例えば、データパケットのヘッダの中にある）を、（Ｒ）ＡＮへ送信してもよい。（Ｒ）ＡＮは、（Ｒ）ＡＮと無線デバイスとの間で性能／ＱｏＳ値を測定／検出してもよく、および／または（Ｒ）ＡＮは、無線デバイスに、無線デバイスとアプリケーションサーバとの間のサービス性能／ＱｏＳ値を測定するように要求してもよい。（Ｒ）ＡＮは、測定したサービス性能／ＱｏＳ値を含む、ユーザプレーンデータパケット（例えば、データパケットのヘッダの中にある）を、ＵＰＦへ送信してもよい。例示的な１つの方法では、ＵＰＦによって、インターネット制御メッセージプロトコル（ＩＣＭＰ）のエコー機能に基づいて、ＵＰＦとアプリケーションサーバとの間でサービス性能／ＱｏＳを監視する。一例として、ＵＰＦによって、無線デバイスから応答を受信した後、アプリケーションサーバへｐｉｎｇパケットを送信し、サービス性能／ＱｏＳ値（例えば、エンドツーエンドのレイテンシ、ジッタ）を計算してもよい。例示的なアクションでは、サービスデータフロー、サービス／アプリケーション、ＰＤＵセッション、および無線デバイスのうちの少なくとも１つに対して、少なくとも１つのサービス性能／ＱｏＳイベントがトリガされる（例えば、サービス性能／ＱｏＳの値が変わった、および／または値が閾値（例えば、要求されるサービス性能／ＱｏＳ）を下回る）と、ＵＰＦによって検出する場合、ＵＰＦはＳＭＦへメッセージ（例えば、サービス性能／ＱｏＳ測定レポート）を送信する。ＵＰＦからＳＭＦへ送信されるメッセージは、１つ以上の情報要素を含んでもよい。一例では、メッセージは、サービス性能／ＱｏＳイベントトリガを示す、第１の情報要素を含む。一例では、ＵＰＦからＳＭＦへ送信されるメッセージは、測定されたサービス性能／ＱｏＳ値を示す、第２の情報要素を含み、測定されたサービス性能／ＱｏＳ値を使用して、１つ以上のパラメータを含み得る、ネットワーク機能（例えば、ＵＰＦ）によって測定されたサービス性能／ＱｏＳを示してもよい。一例では、第２の情報要素は、サービス性能／ＱｏＳ値タイプを示すパラメータを含んでもよく、このパラメータを使用して、サービス性能／ＱｏＳのタイプまたは範囲を示してもよい。一例として、このパラメータは１つ以上のタイプを含んでもよい。例示的なタイプは、ＵＰＦと無線デバイスとの間のサービス性能／ＱｏＳ値（例えば、エンドツーエンドのレイテンシ）であり得る。例示的なタイプは、ＵＰＦと（Ｒ）ＡＮとの間のサービス性能／ＱｏＳ値（例えば、エンドツーエンドのレイテンシ）であり得る。例示的なタイプは、（Ｒ）ＡＮと無線デバイスとの間のサービス性能／ＱｏＳ値（例えば、エンドツーエンドのレイテンシ）であり得る。例示的なタイプは、ＵＰＦとアプリケーションサーバとの間のサービス性能／ＱｏＳ値（例えば、エンドツーエンドのレイテンシ）であり得る。例示的なタイプは、ＵＥとアプリケーションサーバとの間のサービス性能／ＱｏＳ値（例えば、エンドツーエンドのレイテンシ）であり得る。一例では、第２の情報要素は、測定されたエンドツーエンドのレイテンシを示すパラメータを含んでもよい。一例では、第２の情報要素は、測定されたジッタを示すパラメータを含んでもよい。一例では、第２の情報要素は、測定された生存時間を示すパラメータを含んでもよい。一例では、第２の情報要素は、測定された通信サービスの可用性を示すパラメータを含んでもよい。一例では、第２の情報要素は、測定された信頼性を示すパラメータを含んでもよい。一例では、第２の情報要素は、測定されたユーザ体験データレートを示すパラメータを含んでもよい。一例では、ＵＰＦからＳＭＦへ送信されるメッセージは、サービスデータフローテンプレートを示す、第３の情報要素を含む。一例では、ＵＰＦからＳＭＦへ送信されるメッセージは、サービス／アプリケーション識別子を示す、第４の情報要素を含む。一例では、ＵＰＦからＳＭＦへ送信されるメッセージは、ＰＤＵセッション識別子を示す、第５の情報要素を含む。一例では、ＵＰＦからＳＭＦへ送信されるメッセージは、無線デバイスのユーザ識別を示す、第６の情報要素を含む。
【００６７】
ＵＰＦから受信したメッセージに応答して、ＳＭＦによって、ＵＰＦから受信した情報を含むメッセージ（例えば、サービス性能／ＱｏＳ測定レポート）を、ＰＣＦへ送信してもよい。ＳＭＦから受信したメッセージに応答して、ＰＣＦによって、ＳＭＦから受信した情報を含むメッセージ（例えば、サービス性能／ＱｏＳ測定レポート）を、ＡＦまたはＮＥＦへ送信してもよい。ＮＥＦによって、ＰＣＦからメッセージ（例えば、サービス性能／ＱｏＳ測定レポート）を受信する場合、ＮＥＦはメッセージをＡＦへ転送してもよい。
【００６８】
ＰＣＦまたはＮＥＦから受信したメッセージに応答して、それに応じて、ＰＣＦまたはＮＥＦから受信した情報（例えば、サービス性能／ＱｏＳ値のイベントトリガ、および／または測定されたサービス性能／ＱｏＳ値）に基づいて、ＡＦによって適時にサービス挙動を調整し得る。一例として、ＡＦによって、測定されたサービス性能／ＱｏＳ値に基づいて、動画のコーデックレートを変更してもよい（例えば、通信システムの現行サービス性能が、８Ｋの超高解像度（ＵＨＤ：Ｕｌｔｒａ  Ｈｉｇｈ  Ｄｅｆｉｎｉｔｉｏｎ）動画をサポートできない場合があり、動画のコーデックレートを４ＫのＵＨＤに変更してもよい）。ＡＦによって、アプリケーション情報変更用のメッセージ（例えば、アプリケーション／サービス情報のプロビジョニング）を、ＰＣＦへ送信してもよい。一例として、ＡＦによって、遅延のどの部分（例えば、無線デバイスからアクセスネットワーク、アクセスネットワークからコアネットワーク、またはコアネットワークからアプリケーションサーバ）が、アプリケーションサーバと無線デバイスとの間で長いエンドツーエンド遅延を引き起こす原因であり得るかを分析してもよい。例えば、ＡＦによって、エンドツーエンド遅延が、コアネットワークとアプリケーションサーバとの間の遅延によって引き起こされ得ると判定してもよく、ＡＦによって、コアネットワーク（例えば、ＵＰＦ）とアプリケーションサーバとの間のルートポリシーの変更を示すメッセージ（例えば、ＨＴＴＰ  ＰＵＴ）を、ＰＣＦへ送信してもよい。ＰＣＦによって、現行エンドツーエンド遅延と比較して、ＵＰＦとアプリケーションサーバとの間の遅延が短い、より良いルートを選択するポリシーをＳＭＦへ送信してもよく、ＳＭＦによって、施行のためにＵＰＦへのポリシーへ送信してもよい。
【００６９】
実施例２
【００７０】
一例では、ＡＦによって、第１のメッセージをネットワークノード（例えば、ＰＣＦまたはＮＥＦ）へ送信してもよい。第１のメッセージは、サービスデータフロー、サービス／アプリケーション、ＰＤＵセッション、および／または無線デバイスについての、少なくとも１つのサービス性能／ＱｏＳレポートに対する要求を示してもよい。ＰＣＦによってさらに、ＳＭＦにレポートを要求してもよい。図１１は、以下のアクションのうちの１つ以上を含み得る、例示的なコールフローを示す。
【００７１】
ＡＦによって、サービスデータフロー、サービス／アプリケーション、ＰＤＵセッション、および／または無線デバイスについて、ＰＣＦまたはＮＥＦが少なくとも１つの現行サービス性能／ＱｏＳを報告することを示すように、ネットワーク機能（例えば、ＰＣＦまたはＮＥＦ）へ、メッセージ（例えば、サービス性能／ＱｏＳレポートの要求、またはアプリケーション／サービス情報のプロビジョニング）を送信してもよい。ネットワーク機能（例えば、ＰＣＦまたはＮＥＦ）へ送信されるメッセージは、１つ以上の情報要素を含んでもよい。一例では、メッセージは、サービス性能／ＱｏＳレポート表示の情報要素を含む。表示は、サービス性能／ＱｏＳについて以下のパラメータ、エンドツーエンドのレイテンシ、ジッタ、生存時間、通信サービスの可用性、信頼性、およびユーザ体験データレートのうちの１つ以上の現行の値を問い合わせるように、ＡＦによって使用されてもよい。一例として、ネットワーク機能（例えば、ＵＰＦ）によって、サービス性能／ＱｏＳレポート表示を受信すると、サービス性能／ＱｏＳパラメータの現行の値を測定してもよい。一例では、メッセージは、サービスデータフローテンプレートを示す情報要素を含む。一例では、メッセージは、サービス／アプリケーション識別子を示す情報要素を含む。一例では、メッセージは、ＰＤＵセッション識別子を示す情報要素を含む。一例では、メッセージは、無線デバイスのユーザ識別を示す情報要素を含む。ＡＦによって、ＮＥＦへ上のメッセージ（例えば、サービス性能／ＱｏＳレポートの要求、またはアプリケーション／サービス情報のプロビジョニング）を送信する場合、一例として、ＮＥＦによってメッセージをＰＣＦへ転送してもよい。
【００７２】
ＡＦまたはＮＥＦから受信したメッセージに応答して、ＰＣＦによって１つ以上のアクションを取り得る。例示的なアクションでは、ＰＣＦによって、ＡＦまたはＮＥＦから受信した情報に基づいて、ポリシー決定を行う。例示的なアクションでは、ＰＣＦによって、ＳＭＦへメッセージ（例えば、サービス性能／ＱｏＳレポートの要求）を送信して、少なくとも１つの現行サービス性能／ＱｏＳレポートを要求する。メッセージは、ＡＦまたはＮＥＦから受信した情報を含んでもよい。一例として、ＳＭＦへ送信されるメッセージは、ＡＦもしくはＮＥＦから受信した情報（例えば、サービス性能／ＱｏＳレポート表示）、および／またはポリシー（例えば、ＱｏＳポリシー）を含んでもよい。一例として、ＳＭＦへ送信されるメッセージは、ポリシー（例えば、ＱｏＳポリシー）を含んでもよく、ポリシーは、ＡＦまたはＮＥＦから受信した情報（例えば、サービス性能／ＱｏＳレポート表示）を含んでもよい。ＰＣＦから受信したメッセージに応答して、ＳＭＦによって、ＵＰＦへメッセージ（例えば、サービス性能／ＱｏＳレポートの要求、またはＮ４セッション確立／修正の要求）を送信して、現行サービス性能／ＱｏＳレポートを要求してもよく、および／またはポリシー（例えば、ＱｏＳポリシー）をプロビジョニングしてもよい。メッセージは、ＰＣＦから受信した情報を含んでもよい。一例として、ＵＰＦへ送信されるメッセージは、ＰＣＦから受信した情報（例えば、サービス性能／ＱｏＳレポート表示）、および／またはポリシー（例えば、ＱｏＳポリシー）を含んでもよい。一例として、ＵＰＦへ送信されるメッセージは、ポリシー（例えば、ＱｏＳポリシー）を含んでもよく、ポリシーは、ＰＣＦから受信した情報（例えば、サービス性能／ＱｏＳレポート表示）を含んでもよい。
【００７３】
ＳＭＦから受信したメッセージに応答して、ＵＰＦによって１つ以上のアクションを取り得る。例示的なアクションでは、ＵＰＦによって、サービスデータフロー、サービス／アプリケーション、ＰＤＵセッション、および／または無線デバイスのサービス性能／ＱｏＳを監視して、少なくとも１つのサービス性能／ＱｏＳイベントを測定／検出する。ＵＰＦによって、サービス性能／ＱｏＳを測定／検出するように、１つ以上の方法を取ってもよい。例示的な１つの方法では、ＵＰＦによって、インターネット制御メッセージプロトコル（ＩＣＭＰ）のエコー機能に基づいて、ＵＰＦと無線デバイスとの間でサービス性能／ＱｏＳを監視する。一例として、ＵＰＦによって、無線デバイスから応答を受信した後、無線デバイスへｐｉｎｇパケットを送信し、サービス性能／ＱｏＳ値（例えば、エンドツーエンドのレイテンシ、ジッタ）を計算してもよい。例示的な１つの方法では、ＵＰＦによって、ＩＣＭＰエコー機能に基づいて、ＵＰＦと（Ｒ）ＡＮとの間でサービス性能／ＱｏＳを監視する。一例として、ＵＰＦによって、（Ｒ）ＡＮから応答を受信した後、（Ｒ）ＡＮへｐｉｎｇパケットを送信し、サービス性能／ＱｏＳ値（例えば、エンドツーエンドのレイテンシ、ジッタ）を計算してもよい。例示的な１つの方法では、ＵＰＦによって、（Ｒ）ＡＮと無線デバイスとの間のサービス性能／ＱｏＳを問い合わせる。一例として、ＵＰＦによって、（Ｒ）ＡＮへシグナリングメッセージを送信して、（Ｒ）ＡＮと無線デバイスとの間のサービス性能／ＱｏＳ値を問い合わせてもよく、（Ｒ）ＡＮは、（Ｒ）ＡＮと無線デバイスとの間で性能／ＱｏＳ値を測定／検出し、サービス性能／ＱｏＳ値を含む応答メッセージを、ＵＰＦへ送信してもよい。一例として、ＵＰＦによって、（Ｒ）ＡＮへ、表示を含むユーザプレーンデータパケット（例えば、データパケットのヘッダの中にある）を送信して、（Ｒ）ＡＮと無線デバイスとの間のサービス性能／ＱｏＳ値を問い合わせてもよく、（Ｒ）ＡＮは、（Ｒ）ＡＮと無線デバイスとの間で性能／ＱｏＳ値を測定／検出し、ＵＰＦへ、サービス性能／ＱｏＳ値を含むユーザプレーンデータパケット（例えば、データパケットのヘッダの中にある）を送信してもよい。例示的なアクションでは、ＵＰＦによって、ＳＭＦへレポートメッセージ（例えば、サービス性能／ＱｏＳ測定レポート、またはＮ４セッション確立／修正の応答）を送信してもよく、レポートメッセージは、１つ以上の情報要素を含んでもよい。一例では、レポートメッセージは、測定されたサービス性能／ＱｏＳ値を示す、第１の情報要素を含む。第１の情報要素を使用して、１つ以上のパラメータを含み得る、測定されたサービス性能／ＱｏＳを示してもよい。一例では、第１の情報要素は、サービス性能／ＱｏＳ値タイプを示すパラメータを含み、このパラメータを使用して、サービス性能／ＱｏＳのタイプまたは範囲を示してもよい。一例として、このパラメータは、以下のタイプ、ＵＰＦと無線デバイスとの間のサービス性能／ＱｏＳ値（例えば、エンドツーエンドのレイテンシ）、ＵＰＦと（Ｒ）ＡＮとの間のサービス性能／ＱｏＳ値（例えば、エンドツーエンドのレイテンシ）、（Ｒ）ＡＮと無線デバイスとの間のサービス性能／ＱｏＳ値（例えば、エンドツーエンドのレイテンシ）、ＵＰＦとアプリケーションサーバとの間のサービス性能／ＱｏＳ値（例えば、エンドツーエンドのレイテンシ）、およびＵＥとアプリケーションサーバとの間のサービス性能／ＱｏＳ値（例えば、エンドツーエンドのレイテンシ）のうちの１つ以上を含んでもよい。一例では、第１の情報要素は、測定されたエンドツーエンドのレイテンシを示すパラメータを含む。一例では、第１の情報要素は、測定されたジッタを示すパラメータを含む。一例では、第１の情報要素は、測定された生存時間を示すパラメータを含む。一例では、第１の情報要素は、測定された通信サービスの可用性を示すパラメータを含む。一例では、第１の情報要素は、測定された信頼性を示すパラメータを含む。一例では、第１の情報要素は、測定されたユーザ体験データレートを示すパラメータを含む。一例では、レポートメッセージは、サービスデータフローテンプレートを示す、第２の情報要素を含む。一例では、レポートメッセージは、サービス／アプリケーション識別子を示す、第３の情報要素を含む。一例では、レポートメッセージは、ＰＤＵセッション識別子を示す、第４の情報要素を含む。一例では、レポートメッセージは、無線デバイスのユーザ識別を示す、第５の情報要素を含む。
【００７４】
ＵＰＦから受信したメッセージに応答して、ＳＭＦによって、ＵＰＦから受信した情報を含むメッセージ（例えば、サービス性能／ＱｏＳ測定レポート）を、ＰＣＦへ送信してもよい。ＳＭＦから受信したメッセージに応答して、ＰＣＦによって、ＳＭＦから受信した情報を含むメッセージ（例えば、サービス性能／ＱｏＳ測定レポート）を、ＡＦまたはＮＥＦへ送信してもよい。ＮＥＦによって、ＰＣＦからメッセージ（例えば、サービス性能／ＱｏＳ測定レポート）を受信する場合、ＮＥＦはメッセージをＡＦへ転送してもよい。ＰＣＦまたはＮＥＦから受信したメッセージに応答して、それに応じて、ＰＣＦまたはＮＥＦから受信した情報（例えば、測定されたサービス性能／ＱｏＳ値）に基づいて、ＡＦによって適時にサービス挙動を調整し得る。一例として、ＡＦによって、測定されたサービス性能／ＱｏＳ値に基づいて、動画のコーデックレートを変更してもよい（例えば、通信システムの現行サービス性能が、８Ｋの超高解像度（ＵＨＤ）動画をサポートできない場合があり、動画のコーデックレートを４ＫのＵＨＤに変更してもよい）。ＡＦによって、アプリケーション情報変更用のメッセージ（例えば、アプリケーション／サービス情報のプロビジョニング）を、ＰＣＦへ送信してもよい。
【００７５】
実施例３
一例では、実施例２と比較して、測定を行うＵＰＦよりむしろ、（Ｒ）ＡＮがサービス性能／ＱｏＳ測定を行ってもよい。図１２は、１つ以上のアクションを含み得る、例示的なコールフローを示す。
【００７６】
ＡＦによって、サービスデータフロー、サービス／アプリケーション、ＰＤＵセッション、および／または無線デバイスについて、ＰＣＦまたはＮＥＦが少なくとも１つの現行サービス性能／ＱｏＳを報告することを示すように、ネットワーク機能（例えば、ＰＣＦまたはＮＥＦ）へ、メッセージ（例えば、サービス性能／ＱｏＳレポートの要求、またはアプリケーション／サービス情報のプロビジョニング）を送信してもよい。メッセージは１つ以上の情報要素を含んでもよい。一例では、メッセージは、サービス性能／ＱｏＳレポート表示の情報要素を含む。ＡＦによって、表示を使用して、サービス性能／ＱｏＳについて以下のパラメータ、エンドツーエンドのレイテンシ、ジッタ、生存時間、通信サービスの可用性、信頼性、およびユーザ体験データレートのうちの１つ以上の現行の値を問い合わせてもよい。一例では、メッセージは、サービスデータフローテンプレートを示す情報要素を含む。一例では、メッセージは、サービス／アプリケーション識別子を示す情報要素を含む。一例では、メッセージは、ＰＤＵセッション識別子を示す情報要素を含む。一例では、メッセージは、無線デバイスのユーザ識別を示す情報要素を含む。ＡＦによって、ＮＥＦへ上のメッセージ（例えば、サービス性能／ＱｏＳレポートの要求、またはアプリケーション／サービス情報のプロビジョニング）を送信する場合、一例として、ＮＥＦによってメッセージをＰＣＦへ転送してもよい。
【００７７】
ＡＦまたはＮＥＦから受信したメッセージに応答して、ＰＣＦによって１つ以上のアクションを取り得る。例示的なアクションでは、ＰＣＦによって、ＡＦまたはＮＥＦから受信した情報に基づいて、ポリシー決定を行う。例示的なアクションでは、ＰＣＦによって、ＳＭＦへメッセージ（例えば、サービス性能／ＱｏＳレポートの要求）を送信して、少なくとも１つの現行サービス性能／ＱｏＳレポートを示す。メッセージは、ＡＦまたはＮＥＦから受信した情報を含んでもよい。一例として、ＳＭＦへ送信されるメッセージは、ＡＦもしくはＮＥＦから受信した情報（例えば、サービス性能／ＱｏＳレポート表示）、および／またはポリシー（例えば、ＱｏＳポリシー）を含んでもよい。一例として、ＳＭＦへ送信されるメッセージは、ポリシー（例えば、ＱｏＳポリシー）を含んでもよく、ポリシーは、ＡＦまたはＮＥＦから受信した情報（例えば、サービス性能／ＱｏＳレポート表示）を含んでもよい。
【００７８】
ＰＣＦから受信したメッセージに応答して、ＳＭＦによって、ＡＭＦへメッセージ（例えば、サービス性能／ＱｏＳレポートの要求）を送信して、現行サービス性能／ＱｏＳレポートを要求してもよく、および／またはポリシー（例えば、ＱｏＳポリシー）をプロビジョニングしてもよい。メッセージは、ＰＣＦから受信した情報を含んでもよい。一例として、ＡＭＦへ送信されるメッセージは、ＰＣＦから受信した情報（例えば、サービス性能／ＱｏＳレポート表示）、および／またはポリシー（例えば、ＱｏＳポリシー）を含んでもよい。一例として、ＡＭＦへ送信されるメッセージは、ポリシー（例えば、ＱｏＳポリシー）を含んでもよく、ポリシーは、ＰＣＦから受信した情報（例えば、サービス性能／ＱｏＳレポート表示）を含んでもよい。ＳＭＦから受信したメッセージに応答して、ＡＭＦによって、（Ｒ）ＡＮへメッセージ（例えば、サービス性能／ＱｏＳレポートの要求）を送信して、現行サービス性能／ＱｏＳレポートを要求してもよく、および／またはポリシー（例えば、ＱｏＳポリシー）をプロビジョニングしてもよい。メッセージは、ＳＭＦから受信した情報を含んでもよい。一例として、（Ｒ）ＡＮへ送信されるメッセージは、ＳＭＦから受信した情報（例えば、サービス性能／ＱｏＳレポート表示）、および／またはポリシー（例えば、ＱｏＳポリシー）を含んでもよい。一例として、（Ｒ）ＡＮへ送信されるメッセージは、ポリシー（例えば、ＱｏＳポリシー）を含んでもよく、ポリシーは、ＳＭＦから受信した情報（例えば、サービス性能／ＱｏＳレポート表示）を含んでもよい。
【００７９】
ＡＭから受信したメッセージに応答して、（Ｒ）ＡＮは１つ以上のアクションを取り得る。例示的なアクションでは、（Ｒ）ＡＮは、サービスデータフロー、サービス／アプリケーション、ＰＤＵセッション、および／または無線デバイスのサービス性能／ＱｏＳを監視して、少なくとも１つのサービス性能／ＱｏＳイベントを測定／検出する。（Ｒ）ＡＮは、サービス性能／ＱｏＳを測定／検出するように、１つ以上の方法を取ってもよい。例示的な１つの方法では、（Ｒ）ＡＮは、ＩＣＭＰエコー機能に基づいて、（Ｒ）ＡＮとＵＰＦとの間でサービス性能／ＱｏＳを監視し、一例として、（Ｒ）ＡＮは、ＵＰＦから応答を受信した後、ＵＰＦへｐｉｎｇパケットを送信し、サービス性能／ＱｏＳ値（例えば、エンドツーエンドのレイテンシ、ジッタ）を計算してもよい。例示的な１つの方法では、（Ｒ）ＡＮは、（Ｒ）ＡＮと無線デバイスとの間のサービス性能／ＱｏＳを問い合わせる。一例として、（Ｒ）ＡＮは、無線デバイスから応答を受信した後、無線デバイスへデータパケット（例えば、ＰＤＣＰパケット）を送信し、サービス性能／ＱｏＳ値（例えば、エンドツーエンドのレイテンシ、ジッタ）を計算してもよい。例示的なアクションでは、（Ｒ）ＡＮは、ＡＭＦへメッセージ（例えば、サービス性能／ＱｏＳ測定レポート）を送信してもよく、レポートメッセージは、１つ以上の情報要素を含んでもよい。一例では、レポートメッセージは、測定されたサービス性能／ＱｏＳ値を示す第１の情報要素を含み、第１の情報要素を使用して、１つ以上のパラメータを含み得る、測定されたサービス性能／ＱｏＳを示してもよい。一例では、第１の情報要素は、サービス性能／ＱｏＳ値タイプを示すパラメータを含み、このパラメータを使用して、サービス性能／ＱｏＳのタイプまたは範囲を示してもよい。一例として、このパラメータは、以下のタイプ、ＵＰＦと無線デバイスとの間のサービス性能／ＱｏＳ値（例えば、エンドツーエンドのレイテンシ）、ＵＰＦと（Ｒ）ＡＮとの間のサービス性能／ＱｏＳ値（例えば、エンドツーエンドのレイテンシ）、（Ｒ）ＡＮと無線デバイスとの間のサービス性能／ＱｏＳ値（例えば、エンドツーエンドのレイテンシ）、ＵＰＦとアプリケーションサーバとの間のサービス性能／ＱｏＳ値（例えば、エンドツーエンドのレイテンシ）、およびＵＥとアプリケーションサーバとの間のサービス性能／ＱｏＳ値（例えば、エンドツーエンドのレイテンシ）のうちの１つ以上を含んでもよい。一例では、第１の情報要素は、測定されたエンドツーエンドのレイテンシを示すパラメータを含む。一例では、第１の情報要素は、測定されたジッタを示すパラメータを含む。一例では、第１の情報要素は、測定された生存時間を示すパラメータを含む。一例では、第１の情報要素は、測定された通信サービスの可用性を示すパラメータを含む。一例では、第１の情報要素は、測定された信頼性を示すパラメータを含む。一例では、第１の情報要素は、測定されたユーザ体験データレートを示すパラメータを含む。一例では、レポートメッセージは、サービスデータフローテンプレートを示す、第２の情報要素を含む。一例では、レポートメッセージは、サービス／アプリケーション識別子を示す、第３の情報要素を含む。一例では、レポートメッセージは、ＰＤＵセッション識別子を示す、第４の情報要素を含む。一例では、レポートメッセージは、無線デバイスのユーザ識別を示す、第５の情報要素を含む。
【００８０】
（Ｒ）ＡＮから受信したメッセージに応答して、ＡＭＦによって、（Ｒ）ＡＮから受信した情報を含むメッセージ（例えば、サービス性能／ＱｏＳ測定レポート）を、ＳＭＦへ送信してもよい。ＡＭＦから受信したメッセージに応答して、ＳＭＦによって、ＡＭＦから受信した情報を含むメッセージ（例えば、サービス性能／ＱｏＳ測定レポート）を、ＰＣＦへ送信してもよい。ＳＭＦから受信したメッセージに応答して、ＰＣＦによって、ＳＭＦから受信した情報を含むメッセージ（例えば、サービス性能／ＱｏＳ測定レポート）を、ＡＦまたはＮＥＦへ送信してもよい。ＮＥＦによって、ＰＣＦからメッセージ（例えば、サービス性能／ＱｏＳ測定レポート）を受信する場合、ＮＥＦはメッセージをＡＦへ転送してもよい。ＰＣＦまたはＮＥＦから受信したメッセージに応答して、それに応じて、ＰＣＦまたはＮＥＦから受信した情報（例えば、測定されたサービス性能／ＱｏＳ値）に基づいて、ＡＦによって適時にサービス挙動を調整し得る。一例として、ＡＦによって、測定されたサービス性能／ＱｏＳ値に基づいて、動画のコーデックレートを変更してもよい（例えば、通信システムの現行サービス性能が、８Ｋの超高解像度（ＵＨＤ）動画をサポートできない場合があり、動画のコーデックレートを４ＫのＵＨＤに変更してもよい）。ＡＦによって、アプリケーション情報変更用のメッセージ（例えば、アプリケーション／サービス情報のプロビジョニング）を、ＰＣＦへ送信してもよい。
【００８１】
実施例４
一例では、（Ｒ）ＡＮは、ＡＭＦからサービス性能／ＱｏＳイベントサブスクリプションを受信してもよく、（Ｒ）ＡＮは、イベントがいつトリガされるかをＡＭＦへ報告してもよい。図１３は、１つ以上のアクションを含み得る、例示的なコールフローを示す。
【００８２】
ＡＦによって、ネットワーク機能（例えば、ＰＣＦまたはＮＥＦ）へ、メッセージ（例えば、サービス性能／ＱｏＳイベントをサブスクライブ、またはアプリケーション／サービス情報のプロビジョニング）を送信して、サービスデータフロー、サービス／アプリケーション、ＰＤＵセッション、および／または無線デバイスについて、少なくとも１つのサービス性能／ＱｏＳイベントにサブスクライブしてもよい。メッセージは１つ以上の情報要素を含んでもよい。一例では、メッセージは、サービス性能／ＱｏＳイベントトリガを示す情報要素を含む。イベントトリガを使用して、サービス性能／ＱｏＳの値が変わった、および／または値が閾値（例えば、要求されるサービス性能／ＱｏＳ）を下回る場合に、サービス性能／ＱｏＳの現行の値が要求され、報告されることを示してもよい。一例では、メッセージは、要求されるサービス性能／ＱｏＳ値を示す情報要素を含み、この情報要素（ＩＥ：ｉｎｆｏｒｍａｔｉｏｎ  ｅｌｅｍｅｎｔ）を使用して、以下のパラメータ、エンドツーエンドのレイテンシ、ジッタ、生存時間、通信サービスの可用性、信頼性、ユーザ体験データレートのうちの１つ以上を含み得る、要求されるサービス性能／ＱｏＳをＡＦによって示してもよい。一例では、メッセージは、サービスデータフローテンプレートを示す情報要素を含む。一例では、メッセージは、サービス／アプリケーション識別子を示す情報要素を含む。一例では、メッセージは、ＰＤＵセッション識別子を示す情報要素を含む。一例では、メッセージは、無線デバイスのユーザ識別を示す情報要素を含む。ＡＦによって、ＮＥＦへ上のメッセージ（例えば、サービス性能／ＱｏＳイベントをサブスクライブ、またはアプリケーション／サービス情報のプロビジョニング）を送信する場合、一例として、ＮＥＦによってメッセージをＰＣＦへ転送してもよい。
【００８３】
ＡＦまたはＮＥＦから受信したメッセージに応答して、ＰＣＦによって１つ以上のアクションを取り得る。例示的なアクションでは、ＰＣＦによって、ＡＦまたはＮＥＦから受信した情報（例えば、要求されるサービス性能／ＱｏＳ値）に基づいて、ポリシー決定を行う。例示的なアクションでは、ＰＣＦによって、ＳＭＦへメッセージ（例えば、サービス性能／ＱｏＳイベントをサブスクライブ、またはＮｓｍｆ＿ＥｖｅｎｔＥｘｐｏｓｕｒｅ＿Ｓｕｂｓｃｒｉｂｅ）を送信して、イベントトリガをサブスクライブし、および／またはポリシー（例えば、ＱｏＳポリシー）をプロビジョニングする。メッセージは、ＡＦまたはＮＥＦから受信した情報を含んでもよい。一例として、ＳＭＦへ送信されるメッセージは、ＡＦもしくはＮＥＦから受信した情報（例えば、要求されるサービス性能／ＱｏＳ値）、および／またはポリシー（例えば、ＱｏＳポリシー）を含んでもよい。一例として、ＳＭＦへ送信されるメッセージは、ポリシー（例えば、ＱｏＳポリシー）を含んでもよく、ポリシーは、ＡＦまたはＮＥＦから受信した情報（例えば、要求されるサービス性能／ＱｏＳ値）を含んでもよい。
【００８４】
ＰＣＦから受信したメッセージに応答して、ＳＭＦによって、ＡＭＦへメッセージ（例えば、サービス性能／ＱｏＳイベントをサブスクライブ）を送信して、イベントトリガをサブスクライブしてもよく、および／またはポリシー（例えば、ＱｏＳポリシー）をプロビジョニングしてもよい。メッセージは、ＰＣＦから受信した情報を含んでもよい。一例として、ＡＭＦへ送信されるメッセージは、ＰＣＦから受信した情報（例えば、要求されるサービス性能／ＱｏＳ値）、および／またはポリシー（例えば、ＱｏＳポリシー）を含んでもよい。一例として、ＡＭＦへ送信されるメッセージは、ポリシー（例えば、ＱｏＳポリシー）を含んでもよく、ポリシーは、ＰＣＦから受信した情報（例えば、要求されるサービス性能／ＱｏＳ値）を含んでもよい。ＳＭＦから受信したメッセージに応答して、ＡＭＦによって、（Ｒ）ＡＮへメッセージ（例えば、サービス性能／ＱｏＳイベントをサブスクライブ）を送信して、イベントトリガをサブスクライブしてもよく、および／またはポリシー（例えば、ＱｏＳポリシー）をプロビジョニングしてもよい。メッセージは、ＳＭＦから受信した情報を含んでもよい。一例として、（Ｒ）ＡＮへ送信されるメッセージは、ＳＭＦから受信した情報（例えば、要求されるサービス性能／ＱｏＳ値）、および／またはポリシー（例えば、ＱｏＳポリシー）を含んでもよい。一例として、（Ｒ）ＡＮへ送信されるメッセージは、ポリシー（例えば、ＱｏＳポリシー）を含んでもよく、ポリシーは、ＳＭＦから受信した情報（例えば、要求されるサービス性能／ＱｏＳ値）を含んでもよい。ＡＭＦから受信したメッセージに応答して、（Ｒ）ＡＮは、ＡＭＦへ応答メッセージ（例えば、サービス性能／ＱｏＳイベントの応答をサブスクライブ）を送信してもよい。（Ｒ）ＡＮから受信したメッセージに応答して、ＡＭＦによって、ＳＭＦへ応答メッセージ（例えば、サービス性能／ＱｏＳイベントの応答をサブスクライブ）を送信してもよい。ＡＭＦから受信したメッセージに応答して、ＳＭＦによって、ＰＣＦへ応答メッセージ（例えば、サービス性能／ＱｏＳイベントの応答をサブスクライブ、またはＮｓｍｆ＿ＥｖｅｎｔＥｘｐｏｓｕｒｅ＿Ｓｕｂｓｃｒｉｂｅ応答）を送信してもよい。ＳＭＦから受信したメッセージに応答して、ＰＣＦによって、ＡＦへ応答メッセージ（例えば、サービス性能／ＱｏＳイベントの応答をサブスクライブ、またはアプリケーション／サービス情報のプロビジョニング応答）を送信してもよい。
【００８５】
ＡＭＦから受信したメッセージに応答して、（Ｒ）ＡＮは１つ以上のアクションを取り得る。例示的なアクションでは、（Ｒ）ＡＮは、サービスデータフロー、サービス／アプリケーション、ＰＤＵセッション、および／または無線デバイスのサービス性能／ＱｏＳを監視して、少なくとも１つのサービス性能／ＱｏＳイベントを測定／検出する。（Ｒ）ＡＮは、サービス性能／ＱｏＳを測定／検出するように、１つ以上の方法を取ってもよい。例示的な１つの方法では、（Ｒ）ＡＮは、ＩＣＭＰエコー機能に基づいて、（Ｒ）ＡＮとＵＰＦとの間でサービス性能／ＱｏＳを監視する。一例として、（Ｒ）ＡＮは、ＵＰＦから応答を受信した後、ＵＰＦへｐｉｎｇパケットを送信し、サービス性能／ＱｏＳ値（例えば、エンドツーエンドのレイテンシ、ジッタ）を計算してもよい。例示的な１つの方法では、（Ｒ）ＡＮは、（Ｒ）ＡＮと無線デバイスとの間のサービス性能／ＱｏＳを問い合わせる。一例として、ＵＰＦによって、（Ｒ）ＡＮへシグナリングメッセージを送信して、（Ｒ）ＡＮと無線デバイスとの間のサービス性能／ＱｏＳ値を問い合わせてもよく、（Ｒ）ＡＮは、（Ｒ）ＡＮと無線デバイスとの間で性能／ＱｏＳ値を測定／検出し、サービス性能／ＱｏＳ値を含む応答メッセージを、ＵＰＦへ送信してもよい。一例として、（Ｒ）ＡＮは、無線デバイスから応答を受信した後、無線デバイスへデータパケット（例えば、ＰＤＣＰパケット）を送信し、サービス性能／ＱｏＳ値（例えば、エンドツーエンドのレイテンシ、ジッタ）を計算してもよい。例示的なアクションでは、サービスデータフロー、サービス／アプリケーション、ＰＤＵセッション、および無線デバイスのうちの少なくとも１つに対して、少なくとも１つのサービス性能／ＱｏＳイベントがトリガされる（例えば、サービス性能／ＱｏＳの値が変わった、および／または値が閾値（例えば、要求されるサービス性能／ＱｏＳ）を下回る）と、（Ｒ）ＡＮが検出する場合、（Ｒ）ＡＮは、ＡＭＦへメッセージ（例えば、サービス性能／ＱｏＳ測定レポート）を送信してもよい。測定レポートメッセージは１つ以上の情報要素を含んでもよい。一例では、測定レポートメッセージは、サービス性能／ＱｏＳイベントトリガを示す情報要素を含む。一例では、測定レポートメッセージは、測定されたサービス性能／ＱｏＳ値を示す第１の情報要素を含み、第１の情報要素（ＩＥ）を使用して、１つ以上のパラメータを含み得る、測定されたサービス性能／ＱｏＳを示してもよい。一例では、第１の情報要素は、サービス性能／ＱｏＳ値タイプを示すパラメータを含み、このパラメータを使用して、サービス性能／ＱｏＳのタイプまたは範囲を示してもよい。一例として、このパラメータは、以下のタイプ、ＵＰＦと（Ｒ）ＡＮとの間のサービス性能／ＱｏＳ値（例えば、エンドツーエンドのレイテンシ）、（Ｒ）ＡＮと無線デバイスとの間のサービス性能／ＱｏＳ値（例えば、エンドツーエンドのレイテンシ）、ＵＥとアプリケーションサーバとの間のサービス性能／ＱｏＳ値（例えば、エンドツーエンドのレイテンシ）のうちの１つ以上を含んでもよい。一例では、第１の情報要素は、測定されたエンドツーエンドのレイテンシを示すパラメータを含む。一例では、第１の情報要素は、測定されたジッタを示すパラメータを含む。一例では、第１の情報要素は、測定された生存時間を示すパラメータを含む。一例では、第１の情報要素は、測定された通信サービスの可用性を示すパラメータを含む。一例では、第１の情報要素は、測定された信頼性を示すパラメータを含む。一例では、第１の情報要素は、測定されたユーザ体験データレートを示すパラメータを含む。一例では、測定レポートメッセージは、サービスデータフローテンプレートを示す、第２の情報要素を含む。一例では、測定レポートメッセージは、サービス／アプリケーション識別子を示す第３の情報要素を含む。一例では、測定レポートメッセージは、ＰＤＵセッション識別子を示す第４の情報要素を含む。一例では、測定レポートメッセージは、無線デバイスのユーザ識別を示す、第５の情報要素を含む。
【００８６】
（Ｒ）ＡＮから受信したメッセージに応答して、ＡＭＦによって、（Ｒ）ＡＮから受信した情報を含むメッセージ（例えば、サービス性能／ＱｏＳ測定レポート）を、ＳＭＦへ送信してもよい。ＡＭＦから受信したメッセージに応答して、ＳＭＦによって、ＡＭＦから受信した情報を含むメッセージ（例えば、サービス性能／ＱｏＳ測定レポート）を、ＰＣＦへ送信してもよい。ＳＭＦから受信したメッセージに応答して、ＰＣＦによって、ＳＭＦから受信した情報を含むメッセージ（例えば、サービス性能／ＱｏＳ測定レポート）を、ＡＦまたはＮＥＦへ送信してもよい。ＮＥＦによって、ＰＣＦからメッセージ（例えば、サービス性能／ＱｏＳ測定レポート）を受信する場合、ＮＥＦはメッセージをＡＦへ転送してもよい。
【００８７】
ＰＣＦまたはＮＥＦから受信したメッセージに応答して、それに応じて、ＰＣＦまたはＮＥＦから受信した情報（例えば、サービス性能／ＱｏＳ値のイベントトリガ、および／または測定されたサービス性能／ＱｏＳ値）に基づいて、ＡＦによって適時にサービス挙動を調整し得る。一例として、ＡＦによって、測定されたサービス性能／ＱｏＳ値に基づいて、動画のコーデックレートを変更してもよい（例えば、通信システムの現行サービス性能が、８Ｋの超高解像度（ＵＨＤ）動画をサポートできない場合があり、動画のコーデックレートを４ＫのＵＨＤに変更してもよい）。ＡＦによって、アプリケーション情報変更用のメッセージ（例えば、アプリケーション／サービス情報のプロビジョニング）を、ＰＣＦへ送信してもよい。
【００８８】
一例として、ＳＭＦによって、サービスデータフロー、サービス／アプリケーション、ＰＤＵセッション、および／または無線デバイスについて、少なくとも１つのサービス性能／ＱｏＳイベントにサブスクライブするように、要求を示す第１のメッセージを、ＰＣＦから受信してもよく、第１のメッセージは、少なくとも１つのサービス性能／ＱｏＳイベントを示す、少なくとも１つの第１の情報要素（ＩＥ）、第１のエンドツーエンドのレイテンシ、第１のジッタ、第１の生存時間、第１の通信サービスの可用性、第１の信頼値、もしくは第１のユーザ体験データレートのうちの少なくとも１つを含む、サービス性能／ＱｏＳ値を示す少なくとも１つの第２のＩＥ、サービスデータフローのテンプレートを示す、少なくとも１つの第３のＩＥ、サービス／アプリケーションの第１の識別子を示す、少なくとも１つの第４のＩＥ、ＰＤＵセッションの第２の識別子を示す、少なくとも１つの第５のＩＥ、または無線デバイスのユーザ識別を示す少なくとも１つの６つのＩＥのうちの少なくとも１つを含んでもよく、第１のメッセージに応答して、ＳＭＦによってＵＰＦへ、少なくとも１つのサービス性能／ＱｏＳイベントにサブスクライブするように、要求を示す第２のメッセージを送信する。
【００８９】
一例として、ＵＰＦから、第２のメッセージへの応答メッセージを受信してもよく、応答メッセージは、少なくとも１つのサービス性能／ＱｏＳイベントが、サービスデータフロー、サービス／アプリケーション、ＰＤＵセッション、および無線デバイスのうちの１つに対してトリガされることを示してもよく、応答メッセージは、以下の、第２のエンドツーエンドのレイテンシ、第２のジッタ、第２の生存時間、第２の通信サービスの可用性、第２の信頼性、または第２のユーザ体験データレートのうちの少なくとも１つを含む、少なくとも１つのサービス性能／ＱｏＳ値を含んでもよい。
【００９０】
一例として、ＳＭＦによって、少なくとも１つのサービス性能／ＱｏＳ値を含む第３のメッセージを、ＰＣＦへ送信してもよい。
【００９１】
一例では、ＵＰＦによって、サービスデータフロー、サービス／アプリケーション、ＰＤＵセッション、および／または無線デバイスのサービス性能／ＱｏＳを監視して、少なくとも１つのサービス性能／ＱｏＳイベントを検出してもよい。
【００９２】
一例では、サービス性能／ＱｏＳの監視には、インターネット制御メッセージプロトコル（ＩＣＭＰ）のエコー機能に基づく、ＵＰＦと無線デバイスとの間の第１のサービス性能／ＱｏＳの監視、ＩＣＭＰエコー機能に基づく、ＵＰＦと（Ｒ）ＡＮとの間の第２のサービス性能／ＱｏＳの監視のうちの少なくとも１つを含んでもよく、またはＵＰＦによって、（Ｒ）ＡＮと無線デバイスとの間の第３のサービス性能／ＱｏＳを監視するように、要求を示す要求メッセージを、（Ｒ）ＡＮへ送信してもよい。
【００９３】
一例では、ＡＦによって、サービスデータフロー、サービス／アプリケーション、ＰＤＵセッション、および／または無線デバイスについて、少なくとも１つのサービス性能／ＱｏＳイベントにサブスクライブするように、要求を示す第１のメッセージを、ＰＣＦへ送信してもよく、第１のメッセージは、少なくとも１つのサービス性能／ＱｏＳイベントを示す、少なくとも１つの第１の情報要素（ＩＥ）、第１のエンドツーエンドのレイテンシ、第１のジッタ、第１の生存時間、第１の通信サービスの可用性、第１の信頼値、もしくは第１のユーザ体験データレートのうちの少なくとも１つを含む、サービス性能／ＱｏＳ値を示す少なくとも１つの第２のＩＥ、サービスデータフローのテンプレートを示す、少なくとも１つの第３のＩＥ、サービス／アプリケーションの第１の識別子を示す、少なくとも１つの第４のＩＥ、ＰＤＵセッションの第２の識別子を示す、少なくとも１つの第５のＩＥ、または無線デバイスのユーザ識別を示す、少なくとも１つの６つのＩＥのうちの少なくとも１つを含む。
【００９４】
一例では、ＡＦによって、ＰＣＦから、第１のメッセージへの応答メッセージを受信してもよい。
【００９５】
一例では、ＡＦによって、ＰＣＦから、少なくとも１つのサービス性能／ＱｏＳイベントが、サービスデータフロー、サービス／アプリケーション、ＰＤＵセッション、および無線デバイスのうちの少なくとも１つに対してトリガされることを示す、測定レポートメッセージを受信してもよく、測定レポートメッセージは、以下の、第２のエンドツーエンドのレイテンシ、第２のジッタ、第２の生存時間、第２の通信サービスの可用性、第２の信頼性、または第２のユーザ体験データレートのうちの少なくとも１つを含む、少なくとも１つのサービス性能／ＱｏＳ値を含んでもよい。
【００９６】
一例では、ＡＦによって、それに応じて、少なくとも１つのサービス性能／ＱｏＳ値に基づいて、適時にサービス挙動を調整してもよく、および／またはアプリケーションパラメータを判定してもよい。ＡＦによって、アプリケーションパラメータの変更用メッセージを、ＰＣＦへ送信してもよい。
【００９７】
一例では、ＳＭＦによって、サービスデータフロー、サービス／アプリケーション、ＰＤＵセッション、および／または無線デバイスについて、少なくとも１つのサービス性能／ＱｏＳレポートに対する要求を示す第１のメッセージを、ＰＣＦから受信してもよく、第１のメッセージは、少なくとも１つのサービス性能／ＱｏＳレポートを示す、少なくとも１つの第１の情報要素（ＩＥ）、第１のエンドツーエンドのレイテンシ、第１のジッタ、第１の生存時間、第１の通信サービスの可用性、第１の信頼値、もしくは第１のユーザ体験データレートのうちの少なくとも１つを含む、報告すべきサービス性能／ＱｏＳタイプを示す少なくとも１つの第２のＩＥ、サービスデータフローのテンプレートを示す、少なくとも１つの第３のＩＥ、サービス／アプリケーションの第１の識別子を示す、少なくとも１つの第４のＩＥ、ＰＤＵセッションの第２の識別子を示す、少なくとも１つの第５のＩＥ、または無線デバイスのユーザ識別を示す少なくとも１つの６つのＩＥのうちの少なくとも１つを含む。
【００９８】
一例では、第１のメッセージに応答して、ＳＭＦによって、少なくとも１つのサービス性能／ＱｏＳレポートに対する要求を示す第２のメッセージを、ＵＰＦへ送信してもよい。
【００９９】
一例では、ＳＭＦによって、ＵＰＦから、第２のメッセージへの応答メッセージを受信してもよく、応答メッセージは、サービスデータフロー、サービス／アプリケーション、ＰＤＵセッション、および／または無線デバイスについて、少なくとも１つのサービス性能／ＱｏＳ測定値を含み、少なくとも１つのサービス性能／ＱｏＳ測定値は、第２のエンドツーエンドのレイテンシ、第２のジッタ、第２の生存時間、第２の通信サービスの可用性、第２の信頼性、または第２のユーザ体験データレートのうちの少なくとも１つを示す。
【０１００】
一例では、ＳＭＦによって、少なくとも１つのサービス性能／ＱｏＳ測定値を含む第３のメッセージを、ＰＣＦへ送信してもよい。
【０１０１】
一例では、ＡＦによって、サービスデータフロー、サービス／アプリケーション、ＰＤＵセッション、および／または無線デバイスについて、少なくとも１つのサービス性能／ＱｏＳレポートに対する要求を示す、第１のメッセージをＰＣＦへ送信してもよく、第１のメッセージは、少なくとも１つのサービス性能／ＱｏＳレポートを示す、少なくとも１つの第１の情報要素（ＩＥ）、第１のエンドツーエンドのレイテンシ、第１のジッタ、第１の生存時間、第１の通信サービスの可用性、第１の信頼値、もしくは第１のユーザ体験データレートのうちの少なくとも１つを含む、サービス性能／ＱｏＳタイプを示す少なくとも１つの第２のＩＥ、サービスデータフローのテンプレートを示す、少なくとも１つの第３のＩＥ、サービス／アプリケーションの第１の識別子を示す、少なくとも１つの第４のＩＥ、ＰＤＵセッションの第２の識別子を示す、少なくとも１つの第５のＩＥ、または無線デバイスのユーザ識別を示す、少なくとも１つの６つのＩＥのうちの少なくとも１つを含む。
【０１０２】
一例では、第１のメッセージに応答して、ＡＦによって、ＰＣＦから、サービスデータフロー、サービス／アプリケーション、ＰＤＵセッション、および／または無線デバイスについての、少なくとも１つのサービス性能／ＱｏＳ測定値を含む応答メッセージを受信してもよく、少なくとも１つのサービス性能／ＱｏＳ測定値は、第２のエンドツーエンドのレイテンシ、第２のジッタ、第２の生存時間、第２の通信サービスの可用性、第２の信頼性、または第２のユーザ体験データレートのうちの少なくとも１つを含み、ＡＦによって、少なくとも１つのサービス性能／ＱｏＳ測定値に基づいて、アプリケーションパラメータを調整することを決定する。
【０１０３】
一例では、ＳＭＦによって、サービスデータフロー、サービス／アプリケーション、ＰＤＵセッション、および／または無線デバイスについて、少なくとも１つのサービス性能／ＱｏＳレポートに対する要求を示す第１のメッセージを、ＰＣＦから受信してもよく、第１のメッセージは、少なくとも１つのサービス性能／ＱｏＳレポートを示す、少なくとも１つの第１の情報要素（ＩＥ）、第１のエンドツーエンドのレイテンシ、第１のジッタ、第１の生存時間、第１の通信サービスの可用性、第１の信頼値、もしくは第１のユーザ体験データレートのうちの少なくとも１つを含む、報告すべきサービス性能／ＱｏＳタイプを示す少なくとも１つの第２のＩＥ、サービスデータフローのテンプレートを示す、少なくとも１つの第３のＩＥ、サービス／アプリケーションの第１の識別子を示す、少なくとも１つの第４のＩＥ、ＰＤＵセッションの第２の識別子を示す、少なくとも１つの第５のＩＥ、または無線デバイスのユーザ識別を示す、少なくとも１つの６つのＩＥのうちの少なくとも１つを含む。
【０１０４】
一例では、第１のメッセージに応答して、ＳＭＦによって、少なくとも１つのサービス性能／ＱｏＳレポートに対する要求を示す第２のメッセージを、ＡＭＦへ送信してもよい。
【０１０５】
一例では、ＡＭＦによって、第２のメッセージに応答して、少なくとも１つのサービス性能／ＱｏＳレポートに対する要求を示す第３のメッセージを、（Ｒ）ＡＮへ送信してもよい。
【０１０６】
一例では、ＡＭＦによって、（Ｒ）ＡＮから、第３のメッセージへの第１の応答メッセージを受信してもよく、第１の応答メッセージは、サービスデータフロー、サービス／アプリケーション、ＰＤＵセッション、および／または無線デバイスについて、少なくとも１つのサービス性能／ＱｏＳ測定値を含み、少なくとも１つのサービス性能／ＱｏＳ測定値は、第２のエンドツーエンドのレイテンシ、第２のジッタ、第２の生存時間、第２の通信サービスの可用性、第２の信頼性、または第２のユーザ体験データレートのうちの少なくとも１つを示す。
【０１０７】
一例では、ＳＭＦによって、ＡＭＦから、第２のメッセージへの第２の応答メッセージを受信してもよく、第２の応答メッセージは、少なくとも１つのサービス性能／ＱｏＳ測定値を含む。
【０１０８】
一例では、ＳＭＦによって、少なくとも１つのサービス性能／ＱｏＳ測定値を含む第４のメッセージを、ＰＣＦへ送信してもよい。
【０１０９】
一例では、（Ｒ）ＡＮは、（Ｒ）ＡＮとＵＰＦとの間のインターネット制御メッセージプロトコル（ＩＣＭＰ）エコー機能、または（Ｒ）ＡＮと無線デバイスとの間のＩＣＭＰエコー機能および／もしくはＰＤＣＰ機能のうちの少なくとも１つに基づいて、サービスデータフロー、サービス／アプリケーション、ＰＤＵセッション、および／または無線デバイスのサービス性能／ＱｏＳを測定してもよい。
【０１１０】
実施例５
一例では、無線デバイスは訪問先ネットワークの中にあってもよく、アプリケーションサーバ（例えば、ホームＡＦ（ＨＡＦ：Ｈｏｍｅ  ＡＦ））はホームネットワークの中にあってもよい。ホームルーティングローミングシナリオでは、無線デバイスは、訪問先ネットワークから、ホームネットワークの中にあるアプリケーションサーバへ、ユーザデータを送信してもよい。ＨＡＦによって、第１のメッセージをネットワークノード（例えば、ＨＰＣＦまたはＨＮＥＦ）へ送信してもよい。第１のメッセージは、サービスデータフロー、サービス／アプリケーション、ＰＤＵセッション、および／または無線デバイスについて、少なくとも１つのサービス性能／ＱｏＳイベントにサブスクライブする要求を示してもよい。ＨＰＣＦによってさらに、ＶＰＣＦへのイベントをサブスクライブしてもよく、ＶＰＣＦは訪問先ネットワークの中にあってもよい。図１７は、１つ以上のアクションを含み得る、例示的なコールフローを示す。
【０１１１】
ＨＡＦ（アプリケーションサーバ）によって、ネットワーク機能（例えば、ホームＰＣＦまたはホームＮＥＦ）へメッセージ（例えば、サービス性能／ＱｏＳイベントをサブスクライブ、またはアプリケーション／サービス情報のプロビジョニング）を送信して、サービスデータフロー、サービス／アプリケーション、ＰＤＵセッション、および／または無線デバイスについて、少なくとも１つのサービス性能／ＱｏＳイベントにサブスクライブしてもよい。一例として、ＨＡＦによって、ＨＰＣＦへＨＴＴＰ  ＰＯＳＴメッセージを送信して、少なくとも１つのサービス性能／ＱｏＳイベントにサブスクライブしてもよい。メッセージは１つ以上の情報要素を含んでもよい。一例では、メッセージは、サービス性能／ＱｏＳイベントトリガを示す、第１の情報要素を含む。サービス性能／ＱｏＳの値が変わった、および／または値が、閾値（例えば、要求されるサービス性能／ＱｏＳ値）を下回る場合、ＨＡＦによって、イベントトリガを受信するネットワーク機能（例えば、ＨＰＣＦ）に、サービス性能／ＱｏＳの現行の値を報告するように要求してもよい。一例として、サービス性能／ＱｏＳの現行の値は、サービス性能／ＱｏＳの値が変わった、および／または値が、閾値（例えば、要求されるサービス性能／ＱｏＳ）値）を下回る場合、サービス性能／ＱｏＳの値であり得る。一例では、メッセージは、要求されるサービス性能／ＱｏＳ値を示す第２の情報要素を含み、この情報要素（ＩＥ）を使用して、以下のパラメータのうちの１つ以上を含み得る、ＨＡＦによって要求されるサービス性能／ＱｏＳを示してもよい。一例では、第２の情報要素は、エンドツーエンドのレイテンシを示すパラメータを含む。エンドツーエンドのレイテンシは、発信元から送信先へ所与の情報の一片を伝達するのにかかる時間であってもよい。一例として、無線デバイスと、別々の自動化−運動制御のアプリケーションサーバ／コントローラとの間のエンドツーエンドのレイテンシは、１ミリ秒であってもよい。一例では、第２の情報要素は、ジッタを示すパラメータを含む。ジッタは、受信したパケットの遅延の変動時間であり得る。一例として、別々の自動化−運動制御のジッタは、１マイクロ秒であってもよい。一例では、第２の情報要素は、生存時間を示すパラメータを含む。生存時間は、通信サービスを消費するアプリケーションが、予想されるメッセージなしに継続し得る時間であり得る。一例として、別々の自動化−運動制御の生存時間は、０ミリ秒であってもよい。一例では、第２の情報要素は、通信サービスの可用性を示すパラメータを含む。サービスインターフェースの通信サービスの可用性は、頼りになり得る、または信頼でき得る。一例として、別々の自動化−運動制御の通信サービスの可用性は、９９．９９９９％であってもよい。一例では、第２の情報要素は、信頼性を示すパラメータを含む。所与のネットワークノードの信頼性は、頼りになり得る、または信頼でき得る。一例として、別々の自動化−運動制御の信頼性は、９９．９９９９％であってもよい。一例では、第２の情報要素は、ユーザ体験データレートを示すパラメータを含む。ユーザ体験データレートは、十分な品質体験を達成するのに必要���、最小データレートであり得る。一例として、別々の自動化−運動制御のユーザ体験データレートは、１Ｍｂｐｓから最大１０Ｍｂｐｓであり得る。一例では、メッセージは、サービスデータフローテンプレートを示す、第３の情報要素を含む。サービスデータフローテンプレートを使用して、サービス性能／ＱｏＳイベントについてサービスデータフローを検出してもよい。一例では、メッセージは、サービス／アプリケーション識別子を示す、第４の情報要素を含む。サービス／アプリケーション識別子を使用して、サービス性能／ＱｏＳイベントに対してサービス／アプリケーションを検出してもよい。一例では、メッセージは、ＰＤＵセッション識別子を示す、第５の情報要素を含む。ＰＤＵセッション識別子は、サービス性能／ＱｏＳイベントに適用される、ＰＤＵセッションの識別子であり得る。一例では、メッセージは、無線デバイスのユーザ識別を示す、第６の情報要素を含む。無線デバイスのユーザ識別は、サービス性能／ＱｏＳイベントに適用される、無線デバイスの識別であり得る。ＨＡＦによって、ＨＮＥＦへ上のメッセージ（例えば、サービス性能／ＱｏＳイベントをサブスクライブ、またはアプリケーション／サービス情報のプロビジョニング）を送信する場合、一例として、ＨＮＥＦによってメッセージをＨＰＣＦへ転送してもよい。
【０１１２】
ＨＡＦまたはＨＮＥＦから受信したメッセージに応答して、ＨＰＣＦによって１つ以上のアクションを取り得る。例示的なアクションでは、ＨＰＣＦによって、ＨＡＦまたはＨＮＥＦから受信した情報（例えば、要求されるサービス性能／ＱｏＳ値）に基づいて、ポリシー決定を行う。例示的なアクションでは、ＨＰＣＦによって、訪問先ＰＣＦ（ＶＰＣＦ：ｖｉｓｉｔｅｄ  ＰＣＦ）へ、メッセージ（例えば、サービス性能／ＱｏＳイベントをサブスクライブ、またはＮｓｍｆ＿ＥｖｅｎｔＥｘｐｏｓｕｒｅ＿Ｓｕｂｓｃｒｉｂｅ）を送信して、イベントトリガをサブスクライブし、および／またはポリシー（例えば、ＱｏＳポリシー）をプロビジョニングする。メッセージは、ＨＡＦまたはＨＮＥＦから受信した情報を含んでもよい。一例として、ＶＰＣＦへ送信されるメッセージは、ＨＡＦもしくはＨＮＥＦから受信した情報（例えば、要求されるサービス性能／ＱｏＳ値）、および／またはＨＰＣＦによって作られたポリシー（例えば、ＱｏＳポリシー）を含んでもよい。一例として、ＶＰＣＦへ送信されるメッセージは、ＨＰＣＦによって作られたポリシー（例えば、ＱｏＳポリシー）を含んでもよく、ポリシーは、ＨＡＦまたはＨＮＥＦから受信した情報（例えば、要求されるサービス性能／ＱｏＳ値）を含んでもよい。
【０１１３】
ＨＰＣＦから受信したメッセージに応答して、ＶＰＣＦによって１つ以上のアクションを取り得る。一例では、ＶＰＣＦによって、ＨＰＣＦから受信した情報（例えば、要求されるサービス性能／ＱｏＳ値）に基づいてポリシー決定を行い、一例として、ＶＰＣＦから作成されるポリシーは、ＨＰＣＦから受信されるポリシーと同じであってもよく、一例として、ＶＰＣＦから作成されるポリシーは、ＨＰＣＦから受信されるポリシーとは異なってもよい。一例では、ＶＰＣＦによって、ＳＭＦへメッセージ（例えば、サービス性能／ＱｏＳイベントをサブスクライブ、またはＮｓｍｆ＿ＥｖｅｎｔＥｘｐｏｓｕｒｅ＿Ｓｕｂｓｃｒｉｂｅ）を送信して、イベントトリガをサブスクライブし、および／またはポリシー（例えば、ＱｏＳポリシー）をプロビジョニングする。ＳＭＦは訪問先ネットワークの中にあってもよい。メッセージは、ＨＰＣＦから受信した情報を含んでもよい。一例として、ＳＭＦへ送信されるメッセージは、ＨＰＣＦから受信した情報（例えば、要求されるサービス性能／ＱｏＳ値）、および／またはポリシー（例えば、ＱｏＳポリシー）を含んでもよい。一例として、ＳＭＦへ送信されるメッセージは、ポリシー（例えば、ＱｏＳポリシー）を含んでもよく、ポリシーは、ＨＰＣＦから受信した情報（例えば、要求されるサービス性能／ＱｏＳ値）を含んでもよい。
【０１１４】
ＶＰＣＦから受信したメッセージに応答して、ＳＭＦによって、ＵＰＦへメッセージ（例えば、サービス性能／ＱｏＳイベントをサブスクライブ、またはＮ４セッション確立／修正の要求）を送信して、イベントトリガをサブスクライブしてもよく、および／またはポリシー（例えば、ＱｏＳポリシー）をプロビジョニングしてもよい。ＵＰＦは訪問先ネットワークの中にあってもよい。メッセージは、ＶＰＣＦから受信した情報を含んでもよい。一例として、ＵＰＦへ送信されるメッセージは、ＶＰＣＦから受信した情報（例えば、要求されるサービス性能／ＱｏＳ値）、および／またはポリシー（例えば、ＱｏＳポリシー）を含んでもよい。一例として、ＵＰＦへ送信されるメッセージは、ポリシー（例えば、ＱｏＳポリシー）を含んでもよく、ポリシーは、ＶＰＣＦから受信した情報（例えば、要求されるサービス性能／ＱｏＳ値）を含んでもよい。ＳＭＦから受信したメッセージに応答して、ＵＰＦによって、ＳＭＦへ応答メッセージ（例えば、サービス性能／ＱｏＳイベントの応答をサブスクライブ、またはＮ４セッション確立／修正の応答）を送信してもよい。ＵＰＦから受信したメッセージに応答して、ＳＭＦによって、ＶＰＣＦへ応答メッセージ（例えば、サービス性能／ＱｏＳイベントの応答をサブスクライブ、またはＮｓｍｆ＿ＥｖｅｎｔＥｘｐｏｓｕｒｅ＿Ｓｕｂｓｃｒｉｂｅ応答）を送信してもよい。ＳＭＦから受信したメッセージに応答して、ＶＰＣＦによって、ＨＰＣＦへ応答メッセージ（例えば、サービス性能／ＱｏＳイベントの応答をサブスクライブ、またはＮｓｍｆ＿ＥｖｅｎｔＥｘｐｏｓｕｒｅ＿Ｓｕｂｓｃｒｉｂｅ応答）を送信してもよい。ＶＰＣＦから受信したメッセージに応答して、ＨＰＣＦによって、ＨＡＦへ応答メッセージ（例えば、サービス性能／ＱｏＳイベントの応答をサブスクライブ、またはアプリケーション／サービス情報のプロビジョニング応答）を送信してもよい。一例として、ＨＰＣＦによって、ＨＴＴＰ  ＰＯＳＴメッセージに応答して、ＨＡＦへＨＴＴＰ２０１  ＣＲＥＡＴＥＤ（作成）メッセージを送信してもよい。
【０１１５】
ＳＭＦから受信したメッセージに応答して、ＵＰＦによって１つ以上のアクションを取り得る。例示的なアクションでは、ＵＰＦによって、サービスデータフロー、サービス／アプリケーション、ＰＤＵセッション、および／または無線デバイスに対するサービス性能／ＱｏＳを監視して、少なくとも１つのサービス性能／ＱｏＳイベントを測定／検出する。ＵＰＦによって、サービス性能／ＱｏＳを測定／検出するように、１つ以上の方法を取ってもよい。例示的な１つの方法では、ＵＰＦによって、インターネット制御メッセージプロトコル（ＩＣＭＰ）のエコー機能に基づいて、ＵＰＦと無線デバイスとの間でサービス性能／ＱｏＳを監視する。一例として、ＵＰＦによって、無線デバイスから応答を受信した後、無線デバイスへｐｉｎｇパケットを送信し、サービス性能／ＱｏＳ値（例えば、エンドツーエンドのレイテンシ、ジッタ）を計算してもよい。例示的な１つの方法では、ＵＰＦによって、ＩＣＭＰエコー機能に基づいて、ＵＰＦと（Ｒ）ＡＮとの間でサービス性能／ＱｏＳを監視する。一例として、ＵＰＦによって、（Ｒ）ＡＮから応答を受信した後、（Ｒ）ＡＮへｐｉｎｇパケットを送信し、サービス性能／ＱｏＳ値（例えば、エンドツーエンドのレイテンシ、ジッタ）を計算してもよい。図１５は、ＵＰＦがＩＣＭＰエコー機能によってサービス性能／ＱｏＳを測定する、例示的なコールフローである。例示的な１つの方法では、ＵＰＦによって、（Ｒ）ＡＮと無線デバイスとの間のサービス性能／ＱｏＳを問い合わせる。一例として、ＵＰＦによって、（Ｒ）ＡＮへシグナリングメッセージを送信して、（Ｒ）ＡＮと無線デバイスとの間のサービス性能／ＱｏＳ値を問い合わせてもよく、（Ｒ）ＡＮは、（Ｒ）ＡＮと無線デバイスとの間で性能／ＱｏＳ値を測定／検出し、サービス性能／ＱｏＳ値を含む応答メッセージを、ＵＰＦへ送信してもよい。一例として、ＵＰＦによって、（Ｒ）ＡＮと無線デバイスとの間のサービス性能／ＱｏＳ値、および／または無線デバイスとアプリケーションサーバとの間のサービス性能／ＱｏＳ値を問い合わせる表示を含む、ユーザプレーンデータパケット（例えば、データパケットのヘッダの中にある）を、（Ｒ）ＡＮへ送信してもよい。（Ｒ）ＡＮは、（Ｒ）ＡＮと無線デバイスとの間で性能／ＱｏＳ値を測定／検出してもよく、および／または（Ｒ）ＡＮは、無線デバイスに、無線デバイスとアプリケーションサーバとの間のサービス性能／ＱｏＳ値を測定するように要求してもよい。（Ｒ）ＡＮは、測定したサービス性能／ＱｏＳ値を含む、ユーザプレーンデータパケット（例えば、データパケットのヘッダの中にある）を、ＵＰＦへ送信してもよい。例示的な１つの方法では、ＵＰＦによって、インターネット制御メッセージプロトコル（ＩＣＭＰ）のエコー機能に基づいて、ＵＰＦとアプリケーションサーバとの間でサービス性能／ＱｏＳを監視する。一例として、ＵＰＦによって、無線デバイスから応答を受信した後、アプリケーションサーバへｐｉｎｇパケットを送信し、サービス性能／ＱｏＳ値（例えば、エンドツーエンドのレイテンシ、ジッタ）を計算してもよい。例示的なアクションでは、サービスデータフロー、サービス／アプリケーション、ＰＤＵセッション、および無線デバイスのうちの少なくとも１つに対して、少なくとも１つのサービス性能／ＱｏＳイベントがトリガされる（例えば、サービス性能／ＱｏＳの値が変わった、および／または値が閾値（例えば、要求されるサービス性能／ＱｏＳ）を下回る）と、ＵＰＦによって検出する場合、ＵＰＦはＳＭＦへメッセージ（例えば、サービス性能／ＱｏＳ測定レポート）を送信する。ＵＰＦからＳＭＦへ送信されるメッセージは、１つ以上の情報要素を含んでもよい。一例では、メッセージは、サービス性能／ＱｏＳイベントトリガを示す、第１の情報要素を含む。一例では、ＵＰＦからＳＭＦへ送信されるメッセージは、測定されたサービス性能／ＱｏＳ値を示す、第２の情報要素を含み、測定されたサービス性能／ＱｏＳ値を使用して、１つ以上のパラメータを含み得る、ネットワーク機能（例えば、ＵＰＦ）によって測定されたサービス性能／ＱｏＳを示してもよい。一例では、第２の情報要素は、サービス性能／ＱｏＳ値タイプを示すパラメータを含んでもよく、このパラメータを使用して、サービス性能／ＱｏＳのタイプまたは範囲を示してもよい。一例として、このパラメータは、以下のタイプ、ＵＰＦと無線デバイスとの間のサービス性能／ＱｏＳ値（例えば、エンドツーエンドのレイテンシ）、ＵＰＦと（Ｒ）ＡＮとの間のサービス性能／ＱｏＳ値（例えば、エンドツーエンドのレイテンシ）、（Ｒ）ＡＮと無線デバイスとの間のサービス性能／ＱｏＳ値（例えば、エンドツーエンドのレイテンシ）、ＵＰＦとアプリケーションサーバとの間のサービス性能／ＱｏＳ値（例えば、エンドツーエンドのレイテンシ）、ＵＥとアプリケーションサーバとの間のサービス性能／ＱｏＳ値（例えば、エンドツーエンドのレイテンシ）のうちの１つ以上を含んでもよい。一例では、第２の情報要素は、測定されたエンドツーエンドのレイテンシを示すパラメータを含んでもよい。一例では、第２の情報要素は、測定されたジッタを示すパラメータを含んでもよい。一例では、第２の情報要素は、測定された生存時間を示すパラメータを含んでもよい。一例では、第２の情報要素は、測定された通信サービスの可用性を示すパラメータを含んでもよい。一例では、第２の情報要素は、測定された信頼性を示すパラメータを含んでもよい。一例では、第２の情報要素は、測定されたユーザ体験データレートを示すパラメータを含んでもよい。一例では、ＵＰＦからＳＭＦへ送信されるメッセージは、サービスデータフローテンプレートを示す、第３の情報要素を含む。一例では、ＵＰＦからＳＭＦへ送信されるメッセージは、サービス／アプリケーション識別子を示す、第４の情報要素を含む。一例では、ＵＰＦからＳＭＦへ送信されるメッセージは、ＰＤＵセッション識別子を示す、第５の情報要素を含む。一例では、ＵＰＦからＳＭＦへ送信されるメッセージは、無線デバイスのユーザ識別を示す、第６の情報要素を含む。
【０１１６】
ＵＰＦから受信したメッセージに応答して、ＳＭＦによって、ＵＰＦから受信した情報を含むメッセージ（例えば、サービス性能／ＱｏＳ測定レポート）を、ＶＰＣＦへ送信してもよい。ＳＭＦから受信したメッセージに応答して、ＶＰＣＦによって、ＳＭＦから受信した情報を含むメッセージ（例えば、サービス性能／ＱｏＳ測定レポート）を、ＨＰＣＦへ送信してもよい。ＶＰＣＦから受信したメッセージに応答して、ＨＰＣＦによって、ＶＰＣＦから受信した情報を含むメッセージ（例えば、サービス性能／ＱｏＳ測定レポート）を、ＨＡＦまたはＨＮＥＦへ送信してもよい。ＨＮＥＦによって、ＨＰＣＦからメッセージ（例えば、サービス性能／ＱｏＳ測定レポート）を受信する場合、ＨＮＥＦはメッセージをＨＡＦへ転送してもよい。
【０１１７】
ＨＰＣＦまたはＨＮＥＦから受信したメッセージに応答して、それに応じて、ＨＰＣＦまたはＨＮＥＦから受信した情報（例えば、サービス性能／ＱｏＳ値のイベントトリガ、および／または測定されたサービス性能／ＱｏＳ値）に基づいて、ＨＡＦによって適時にサービス挙動を調整し得る。一例として、ＨＡＦによって、測定されたサービス性能／ＱｏＳ値に基づいて、動画のコーデックレートを変更してもよい（例えば、通信システムの現行サービス性能が、８Ｋの超高解像度（ＵＨＤ）動画をサポートできない場合があり、動画のコーデックレートは４ＫのＵＨＤに変更されてもよい）。ＨＡＦによって、アプリケーション情報変更用のメッセージ（例えば、アプリケーション／サービス情報のプロビジョニング）を、ＨＰＣＦへ送信してもよい。一例として、ＨＡＦによって、遅延のどの部分（例えば、無線デバイスからアクセスネットワーク、アクセスネットワークからコアネットワーク、またはコアネットワークからアプリケーションサーバ）が、アプリケーションサーバと無線デバイスとの間で長いエンドツーエンド遅延を引き起こす原因であり得るかを分析してもよい。一例として、ＨＡＦによって、エンドツーエンド遅延が、コアネットワークとアプリケーションサーバとの間の遅延によって引き起こされ得ると判定してもよく、ＨＡＦによって、コアネットワーク（例えば、ＵＰＦ）とアプリケーションサーバとの間のルートポリシーの変更を示すメッセージ（例えば、ＨＴＴＰ  ＰＵＴ）を、ＨＰＣＦへ送信してもよい。ＨＰＣＦによって、現行エンドツーエンド遅延と比較して、ＵＰＦとアプリケーションサーバとの間の遅延が短い、より良いルートを選択するポリシーをＶＰＣＦへ送信してもよく、ＶＰＣＦによって、受信したポリシーをＳＭＦへ転送してもよく、ＳＭＦによって、施行のためにＵＰＦへのポリシーへ送信してもよい。
【０１１８】
実施例６
一例では、アプリケーションサーバ（例えば、ＨＡＦ）、ＨＰＣＦ、および／またはＨＮＥＦは、ホームネットワークの中にあってもよく、ＶＰＣＦ、ＳＭＦ、ＵＰＦ、（Ｒ）ＡＮ、および／または無線デバイスは、訪問先ネットワークの中にあってもよい。ＨＡＦによって、第１のメッセージをネットワークノード（例えば、ＨＰＣＦまたはＨＮＥＦ）へ送信してもよい。第１のメッセージは、サービスデータフロー、サービス／アプリケーション、ＰＤＵセッション、および／または無線デバイスについての、少なくとも１つのサービス性能／ＱｏＳレポートに対する要求を示してもよい。図１８は、１つ以上のアクションを含み得る、例示的なコールフローを示す。
【０１１９】
ＨＡＦによって、サービスデータフロー、サービス／アプリケーション、ＰＤＵセッション、および／または無線デバイスについて、ＨＰＣＦまたはＨＮＥＦが少なくとも１つの現行サービス性能／ＱｏＳを報告することを示すように、ネットワーク機能（例えば、ＨＰＣＦまたはＨＮＥＦ）へ、メッセージ（例えば、サービス性能／ＱｏＳレポートの要求、またはアプリケーション／サービス情報のプロビジョニング）を送信してもよい。メッセージは１つ以上の情報要素を含んでもよい。一例では、メッセージは、サービス性能／ＱｏＳレポート表示を含む第１の情報要素を含み、この表示は、サービス性能／ＱｏＳについて以下のパラメータ、エンドツーエンドのレイテンシ、ジッタ、生存時間、通信サービスの可用性、信頼性、およびユーザ体験データレートのうちの１つ以上の現行の値を問い合わせるように、ＨＡＦによって使用されてもよい。一例として、ネットワーク機能（例えば、ＵＰＦ）によって、サービス性能／ＱｏＳレポート表示を受信すると、サービス性能／ＱｏＳパラメータの現行の値を測定してもよい。一例では、メッセージは、サービスデータフローテンプレートを示す、第２の情報要素を含む。一例では、メッセージは、サービス／アプリケーション識別子を示す、第３の情報要素を含む。一例では、メッセージは、ＰＤＵセッション識別子を示す、第４の情報要素を含む。一例では、メッセージは、無線デバイスのユーザ識別を示す、第５の情報要素を含む。ＨＡＦによって、ＨＮＥＦへ上のメッセージ（例えば、サービス性能／ＱｏＳレポートの要求、またはアプリケーション／サービス情報のプロビジョニング）を送信する場合、一例として、ＨＮＥＦによってメッセージをＨＰＣＦへ転送してもよい。
【０１２０】
ＨＡＦまたはＨＮＥＦから受信したメッセージに応答して、ＨＰＣＦによって１つ以上のアクションを取り得る。例示的なアクションでは、ＨＰＣＦによって、ＨＡＦまたはＨＮＥＦから受信した情報に基づいて、ポリシー決定を行う。例示的なアクションでは、ＨＰＣＦによって、ＶＰＣＦへメッセージ（例えば、サービス性能／ＱｏＳレポートの要求）を送信して、少なくとも１つの現行サービス性能／ＱｏＳレポートを要求する。メッセージは、ＨＡＦまたはＨＮＥＦから受信した情報を含んでもよい。一例として、ＶＰＣＦへ送信されるメッセージは、ＨＡＦもしくはＨＮＥＦから受信した情報（例えば、サービス性能／ＱｏＳレポート表示）、および／またはポリシー（例えば、ＱｏＳポリシー）を含んでもよい。一例として、ＶＰＣＦへ送信されるメッセージは、ポリシー（例えば、ＱｏＳポリシー）を含んでもよく、ポリシーは、ＨＡＦまたはＨＮＥＦから受信した情報（例えば、サービス性能／ＱｏＳレポート表示）を含んでもよい。
【０１２１】
ＨＰＣＦから受信したメッセージに応答して、ＶＰＣＦによってアクションのうちの１つ以上を取り得る。例示的なアクションでは、ＶＰＣＦによって、ＨＰＣＦから受信した情報に基づいて、ポリシー決定を行い、一例として、ＶＰＣＦから作成されるポリシーは、ＨＰＣＦから受信されるポリシーと同じであってもよく、一例として、ＶＰＣＦから作成されるポリシーは、ＨＰＣＦから受信されるポリシーとは異なってもよい。例示的なアクションでは、ＶＰＣＦによって、ＳＭＦへメッセージ（例えば、サービス性能／ＱｏＳレポートの要求）を送信して、少なくとも１つの現行サービス性能／ＱｏＳレポートを要求する。メッセージは、ＨＰＣＦから受信した情報を含んでもよい。一例として、ＳＭＦへ送信されるメッセージは、ＨＰＣＦから受信した情報（例えば、サービス性能／ＱｏＳレポート表示）、および／またはポリシー（例えば、ＱｏＳポリシー）を含んでもよい。一例として、ＳＭＦへ送信されるメッセージは、ポリシー（例えば、ＱｏＳポリシー）を含んでもよく、ポリシーは、ＨＰＣＦから受信した情報（例えば、サービス性能／ＱｏＳレポート表示）を含んでもよい。
【０１２２】
ＶＰＣＦから受信したメッセージに応答して、ＳＭＦによって、ＵＰＦへメッセージ（例えば、サービス性能／ＱｏＳレポートの要求、またはＮ４セッション確立／修正の要求）を送信して、現行サービス性能／ＱｏＳレポートを要求してもよく、および／またはポリシー（例えば、ＱｏＳポリシー）をプロビジョニングしてもよい。メッセージは、ＶＰＣＦから受信した情報を含んでもよい。一例として、ＵＰＦへ送信されるメッセージは、ＶＰＣＦから受信した情報（例えば、サービス性能／ＱｏＳレポート表示）、および／またはポリシー（例えば、ＱｏＳポリシー）を含んでもよい。一例として、ＵＰＦへ送信されるメッセージは、ポリシー（例えば、ＱｏＳポリシー）を含んでもよく、ポリシーは、ＶＰＣＦから受信した情報（例えば、サービス性能／ＱｏＳレポート表示）を含んでもよい。
【０１２３】
ＳＭＦから受信したメッセージに応答して、ＵＰＦによって１つ以上のアクションを取り得る。例示的なアクションでは、ＵＰＦによって、サービスデータフロー、サービス／アプリケーション、ＰＤＵセッション、および／または無線デバイスのサービス性能／ＱｏＳを監視して、少なくとも１つのサービス性能／ＱｏＳイベントを測定／検出する。ＵＰＦによって、サービス性能／ＱｏＳを測定／検出するように、１つ以上の方法を取ってもよい。例示的な１つの方法では、ＵＰＦによって、インターネット制御メッセージプロトコル（ＩＣＭＰ）のエコー機能に基づいて、ＵＰＦと無線デバイスとの間でサービス性能／ＱｏＳを監視する。一例として、ＵＰＦによって、無線デバイスから応答を受信した後、無線デバイスへｐｉｎｇパケットを送信し、サービス性能／ＱｏＳ値（例えば、エンドツーエンドのレイテンシ、ジッタ）を計算してもよい。例示的な１つの方法では、ＵＰＦによって、ＩＣＭＰエコー機能に基づいて、ＵＰＦと（Ｒ）ＡＮとの間でサービス性能／ＱｏＳを監視する。一例として、ＵＰＦによって、（Ｒ）ＡＮから応答を受信した後、（Ｒ）ＡＮへｐｉｎｇパケットを送信し、サービス性能／ＱｏＳ値（例えば、エンドツーエンドのレイテンシ、ジッタ）を計算してもよい。例示的な１つの方法では、ＵＰＦによって、（Ｒ）ＡＮと無線デバイスとの間のサービス性能／ＱｏＳを問い合わせる。一例として、ＵＰＦによって、（Ｒ）ＡＮへシグナリングメッセージを送信して、（Ｒ）ＡＮと無線デバイスとの間のサービス性能／ＱｏＳ値を問い合わせてもよく、（Ｒ）ＡＮは、（Ｒ）ＡＮと無線デバイスとの間で性能／ＱｏＳ値を測定／検出し、サービス性能／ＱｏＳ値を含む応答メッセージを、ＵＰＦへ送信してもよい。一例として、ＵＰＦによって、（Ｒ）ＡＮへ、表示を含むユーザプレーンデータパケット（例えば、データパケットのヘッダの中にある）を送信して、（Ｒ）ＡＮと無線デバイスとの間のサービス性能／ＱｏＳ値を問い合わせてもよく、（Ｒ）ＡＮは、（Ｒ）ＡＮと無線デバイスとの間で性能／ＱｏＳ値を測定／検出し、ＵＰＦへ、サービス性能／ＱｏＳ値を含むユーザプレーンデータパケット（例えば、データパケットのヘッダの中にある）を送信してもよい。例示的なアクションでは、ＵＰＦによって、ＳＭＦへレポートメッセージ（例えば、サービス性能／ＱｏＳ測定レポート、またはＮ４セッション確立／修正の応答）を送信してもよく、レポートメッセージは、１つ以上の情報要素を含んでもよい。一例では、レポートメッセージは、測定されたサービス性能／ＱｏＳ値を示す、第１の情報要素を含む。第１の情報要素を使用して、１つ以上のパラメータを含み得る、測定されたサービス性能／ＱｏＳを示してもよい。一例では、第１の情報要素は、サービス性能／ＱｏＳ値タイプを示すパラメータを含み、このパラメータを使用して、サービス性能／ＱｏＳのタイプまたは範囲を示してもよい。一例として、このパラメータは、以下のタイプ、ＵＰＦと無線デバイスとの間のサービス性能／ＱｏＳ値（例えば、エンドツーエンドのレイテンシ）、ＵＰＦと（Ｒ）ＡＮとの間のサービス性能／ＱｏＳ値（例えば、エンドツーエンドのレイテンシ）、（Ｒ）ＡＮと無線デバイスとの間のサービス性能／ＱｏＳ値（例えば、エンドツーエンドのレイテンシ）、ＵＰＦとアプリケーションサーバとの間のサービス性能／ＱｏＳ値（例えば、エンドツーエンドのレイテンシ）、およびＵＥとアプリケーションサーバとの間のサービス性能／ＱｏＳ値（例えば、エンドツーエンドのレイテンシ）のうちの１つ以上を含んでもよい。一例では、第１の情報要素は、測定されたエンドツーエンドのレイテンシを示すパラメータを含む。一例では、第１の情報要素は、測定されたジッタを示すパラメータを含む。一例では、第１の情報要素は、測定された生存時間を示すパラメータを含む。一例では、第１の情報要素は、測定された通信サービスの可用性を示すパラメータを含む。一例では、第１の情報要素は、測定された信頼性を示すパラメータを含む。一例では、第１の情報要素は、測定されたユーザ体験データレートを示すパラメータを含む。一例では、レポートメッセージは、サービスデータフローテンプレートを示す、第２の情報要素を含む。一例では、レポートメッセージは、サービス／アプリケーション識別子を示す、第３の情報要素を含む。一例では、レポートメッセージは、ＰＤＵセッション識別子を示す、第４の情報要素を含む。一例では、レポートメッセージは、無線デバイスのユーザ識別を示す、第５の情報要素を含む。
【０１２４】
ＵＰＦから受信したメッセージに応答して、ＳＭＦによって、ＵＰＦから受信した情報を含むメッセージ（例えば、サービス性能／ＱｏＳ測定レポート）を、ＶＰＣＦへ送信してもよい。ＳＭＦから受信したメッセージに応答して、ＶＰＣＦによって、ＳＭＦから受信した情報を含むメッセージ（例えば、サービス性能／ＱｏＳ測定レポート）を、ＨＰＣＦへ送信してもよい。ＶＰＣＦから受信したメッセージに応答して、ＨＰＣＦによって、ＶＰＣＦから受信した情報を含むメッセージ（例えば、サービス性能／ＱｏＳ測定レポート）を、ＨＡＦまたはＨＮＥＦへ送信してもよい。ＨＮＥＦによって、ＨＰＣＦからメッセージ（例えば、サービス性能／ＱｏＳ測定レポート）を受信する場合、ＨＮＥＦはメッセージをＨＡＦへ転送してもよい。
【０１２５】
ＨＰＣＦまたはＨＮＥＦから受信したメッセージに応答して、それに応じて、ＨＰＣＦまたはＨＮＥＦから受信した情報（例えば、測定されたサービス性能／ＱｏＳ値）に基づいて、ＨＡＦによって適時にサービス挙動を調整し得る。一例として、ＡＦによって、測定されたサービス性能／ＱｏＳ値に基づいて、動画のコーデックレートを変更してもよい（例えば、通信システムの現行サービス性能が、８Ｋの超高解像度（ＵＨＤ）動画をサポートできない場合があり、動画のコーデックレートを４ＫのＵＨＤに変更してもよい）。ＡＦによって、アプリケーション情報変更用のメッセージ（例えば、アプリケーション／サービス情報のプロビジョニング）を、ＰＣＦへ送信してもよい。一例として、ＨＡＦによって、遅延のどの部分（例えば、無線デバイスからアクセスネットワーク、アクセスネットワークからコアネットワーク、またはコアネットワークからアプリケーションサーバ）が、アプリケーションサーバと無線デバイスとの間で、長いエンドツーエンド遅延を引き起こす原因であり得るかを分析してもよい。一例として、ＨＡＦによって、エンドツーエンド遅延が、コアネットワークとアプリケーションサーバとの間の遅延によって引き起こされ得ると判定してもよく、ＨＡＦによって、コアネットワーク（例えば、ＵＰＦ）とアプリケーションサーバとの間のルートポリシーの変更を示すメッセージ（例えば、ＨＴＴＰ  ＰＵＴ）を、ＨＰＣＦへ送信してもよい。ＨＰＣＦによって、現行エンドツーエンド遅延と比較して、ＵＰＦとアプリケーションサーバとの間の遅延が短い、より良いルートを選択するポリシーをＶＰＣＦへ送信してもよく、ＶＰＣＦによって、受信したポリシーをＳＭＦへ転送してもよく、ＳＭＦによって、施行のためにＵＰＦへのポリシーへ送信してもよい。
【０１２６】
一例では、ホームＰＣＦ（ＨＰＣＦ）は、サービスデータフロー、サービス／アプリケーション、ＰＤＵセッション、および／または無線デバイスについて、少なくとも１つのサービス性能／ＱｏＳイベントにサブスクライブするように、要求を示す第１のメッセージを、ホームＡＦ（ＨＡＦ）から受信してもよく、第１のメッセージは、少なくとも１つのサービス性能／ＱｏＳイベントを示す、少なくとも１つの第１の情報要素（ＩＥ）、第１のエンドツーエンドのレイテンシ、第１のジッタ、第１の生存時間、第１の通信サービスの可用性、第１の信頼値、もしくは第１のユーザ体験データレートのうちの少なくとも１つを含む、サービス性能／ＱｏＳ値を示す少なくとも１つの第２のＩＥ、サービスデータフローのテンプレートを示す、少なくとも１つの第３のＩＥ、サービス／アプリケーションの第１の識別子を示す、少なくとも１つの第４のＩＥ、ＰＤＵセッションの第２の識別子を示す、少なくとも１つの第５のＩＥ、または無線デバイスのユーザ識別を示す少なくとも１つの６つのＩＥのうちの少なくとも１つを含む。
【０１２７】
一例では、ＨＰＣＦによって、第１のメッセージに応答して、少なくとも１つのサービス性能／ＱｏＳイベントにサブスクライブするように要求を示す第２のメッセージを、訪問先ＰＣＦ（ＶＰＣＦ）へ送信してもよい。一例では、ＨＰＣＦによって、ＶＰＣＦから、第２のメッセージへの応答メッセージを受信してもよい。一例では、ＨＰＣＦによって、第１のメッセージへの応答メッセージを、ＨＡＦへ送信してもよい。
【０１２８】
一例では、ＨＰＣＦによって、少なくとも１つのサービス性能／ＱｏＳイベントが、サービスデータフロー、サービス／アプリケーション、ＰＤＵセッション、および無線デバイスのうちの１つに対してトリガされると、サービス性能／ＱｏＳレポートメッセージが示すことを、ＶＰＣＦから受信してもよく、レポートメッセージは、以下の、第２のエンドツーエンドのレイテンシ、第２のジッタ、第２の生存時間、第２の通信サービスの可用性、第２の信頼性、または第２のユーザ体験データレートのうちの少なくとも１つを含む、少なくとも１つのサービス性能／ＱｏＳ値を含む。
【０１２９】
一例では、ＨＰＣＦによって、ＨＡＦへ、少なくとも１つのサービス性能／ＱｏＳ値を含む第３のメッセージを送信してもよい。一例では、ＨＰＣＦによって、第３のメッセージに応答して、更新されたアプリケーションパラメータを含む第４のメッセージを、ＨＡＦから受信してもよい。
【０１３０】
様々な実施形態によれば、例えば、無線デバイス、オフネットワーク無線デバイス、基地局、コアネットワークデバイス、および／または同様のものなどの１つ以上のデバイスが、システムに用いられてもよい。デバイスのうちの１つ以上は、ソフトウェア、ファームウェア、ハードウェア、またはそれらの組み合わせが、デバイスのうちの１つ以上にインストールされ、作動中１つ以上のデバイスにアクションを行わせることにより、ある特定の動作またはアクションを行うように構成されてもよい。１つ以上のコンピュータプログラムは、データ処理装置によって実行されると、装置にアクションを行わせる命令を含むことによって、ある特定の動作またはアクションを行うように構成できる。例示的なアクションの実施形態は、添付の図面および明細書に例解されている。様々な実施形態からの特徴を組み合わせて、さらに別の実施形態を作り出すことができる。
【０１３１】
図１９は、本開示の一実施形態の一態様の流れ図である。１９１０で、ユーザプレーン機能によって、セッション管理機能から第１のメッセージを受信してもよい。第１のメッセージは、無線デバイスのデータフローについて、少なくとも１つのサービス品質（ＱｏＳ）レポートを要求してもよい。第１のメッセージは、ＱｏＳイベントを示す、第１の情報要素を含んでもよい。第１のメッセージは、ＱｏＳイベントに対するレイテンシ値を示す、第２の情報要素を含んでもよい。１９２０で、ユーザプレーン機能によって、無線デバイスへ、データフローのパケット伝送レイテンシを監視するための監視パケットを送信してもよい。１９３０で、ユーザプレーン機能によって、データフローのパケット伝送レイテンシおよびレイテンシ値に基づいて、ＱｏＳイベントの発生を判定してもよい。１９４０で、ユーザプレーン機能によって、セッション管理機能へ送信してもよく、第２のメッセージは、データフローについてＱｏＳイベントの発生を示す、第３の情報要素を含んでもよい。
【０１３２】
例示的な一実施形態によれば、セッション管理機能によって、ポリシー制御機能から第３のメッセージを受信し得る。第３のメッセージは、データフローについて、ＱｏＳイベントにサブスクライブするように要求してもよい。第３のメッセージは、ＱｏＳイベントを示す、第３の情報要素を含んでもよい。第３のメッセージは、ＱｏＳ値がエンドツーエンドのレイテンシを含み得ることを示す、第４の情報要素を含んでもよい。例示的な一実施形態によれば、第４の情報要素はジッタを含んでもよい。例示的な一実施形態によれば、第４の情報要素は生存時間を含んでもよい。例示的な一実施形態によれば、第４の情報要素は通信サービスの可用性を含んでもよい。例示的な一実施形態によれば、第４の情報要素は信頼値を含んでもよい。例示的な一実施形態によれば、第４の情報要素はユーザ体験データレートを含んでもよい。
【０１３３】
例示的な一実施形態によれば、第３のメッセージは、サービスデータフローのテンプレートを示す、第５の情報要素を含んでもよい。例示的な一実施形態によれば、第３のメッセージは、サービス／アプリケーションの識別子を示す、第６の情報要素を含んでもよい。例示的な一実施形態によれば、第３のメッセージは、ＰＤＵセッションの識別子を示す、第７の情報要素を含んでもよい。例示的な一実施形態によれば、第３のメッセージは、無線デバイスのユーザ識別を示す、第８の情報要素を含んでもよい。例示的な一実施形態によれば、第３のメッセージは、セッション管理機能によって、第３のメッセージに応答する第４のメッセージを、ポリシー制御機能へ送信し得ることを含んでもよい。
【０１３４】
例示的な一実施形態によれば、ポリシー制御機能によって、アプリケーション機能から第５のメッセージを受信し得る。第５のメッセージは、データフローに対するＱｏＳイベントにサブスクライブするように要求してもよい。第５のメッセージは、ＱｏＳイベントを示す、第５の情報要素を含んでもよい。第５のメッセージは、エンドツーエンドのレイテンシを含むＱｏＳ値を示す、第６の情報要素を含んでもよい。
【０１３５】
例示的な一実施形態によれば、第６の情報要素はジッタを含んでもよい。例示的な一実施形態によれば、第６の情報要素は生存時間を含んでもよい。例示的な一実施形態によれば、第６の情報要素は通信サービスの可用性を含んでもよい。例示的な一実施形態によれば、第６の情報要素は信頼値を含んでもよい。例示的な一実施形態によれば、第６の情報要素はユーザ体験データレートを含んでもよい。例示的な一実施形態によれば、第５のメッセージは、サービスデータフローのテンプレートを示す、第７の情報要素を含んでもよい。例示的な一実施形態によれば、第５のメッセージは、サービス／アプリケーションの識別子を示す、第８の情報要素を含んでもよい。例示的な一実施形態によれば、第５のメッセージは、ＰＤＵセッションの識別子を示す、第９の情報要素を含んでもよい。例示的な一実施形態によれば、第５のメッセージは、無線デバイスのユーザ識別を示す、第１０の情報要素を含んでもよい。例示的な一実施形態によれば、ポリシー制御機能によって、第５のメッセージに応答する第６のメッセージを、アプリケーション機能へ送信してもよい。
【０１３６】
例示的な一実施形態によれば、第２の情報要素はさらに、ジッタの第１の値を含んでもよい。例示的な一実施形態によれば、ユーザプレーン機能によって、ジッタの第２の値を監視および測定し得る。例示的な一実施形態によれば、ユーザプレーン機能によって、第１の値および第２の値に基づいて、ＱｏＳイベントの発生を判定し得る。例示的な一実施形態によれば、第２の情報要素はさらに、生存時間の第１の値を含んでもよい。例示的な一実施形態によれば、ユーザプレーン機能によって、生存時間の第２の値を監視および測定し得る。例示的な一実施形態によれば、ユーザプレーン機能によって、第１の値および第２の値に基づいて、ＱｏＳイベントの発生を判定し得る。例示的な一実施形態によれば、第２の情報要素は、通信サービスの可用性の第１の値を含んでもよい。
【０１３７】
例示的な一実施形態によれば、ユーザプレーン機能によって、通信サービスの可用性の第２の値を監視および測定し得る。例示的な一実施形態によれば、ユーザプレーン機能によって、第１の値および第２の値に基づいて、ＱｏＳイベントの発生を判定し得る。
【０１３８】
例示的な一実施形態によれば、第２の情報要素はさらに、信頼値の第１の値を含んでもよい。例示的な一実施形態によれば、ユーザプレーン機能によって、信頼値の第２の値を監視および測定し得る。例示的な一実施形態によれば、ユーザプレーン機能によって、第１の値および第２の値に基づいて、ＱｏＳイベントの発生を判定し得る。
【０１３９】
例示的な一実施形態によれば、第２の情報要素はさらに、ユーザ体験データレートの第１の値を含んでもよい。例示的な一実施形態によれば、ユーザプレーン機能によって、ユーザ体験データレートの第２の値を監視および測定し得る。例示的な一実施形態によれば、ユーザプレーン機能によって、第１の値および第２の値に基づいて、ＱｏＳイベントの発生を判定し得る。
【０１４０】
例示的な一実施形態によれば、第２のメッセージは、ＱｏＳイベントに対するレイテンシ値を示す、第４の情報要素を含んでもよい。例示的な一実施形態によれば、第４の情報要素は、ＱｏＳイベントに対するジッタ値を含んでもよい。例示的な一実施形態によれば、第４の情報要素は、ＱｏＳイベントに対する生存時間値を含んでもよい。例示的な一実施形態によれば、第４の情報要素は、ＱｏＳイベントに対する通信サービスの可用性値を含んでもよい。例示的な一実施形態によれば、第４の情報要素は、ＱｏＳイベントに対する信頼値を含んでもよい。例示的な一実施形態によれば、第４の情報要素は、ＱｏＳイベントに対するユーザ体験データレート値を含んでもよい。例示的な一実施形態によれば、セッション管理機能によって、第３の情報要素および第４の情報要素を含む第３のメッセージを、ポリシー制御機能へ送信し得る。例示的な一実施形態によれば、ポリシー制御機能によって、第３の情報要素および第４の情報要素を含む第４のメッセージを、アプリケーション機能へ送信し得る。例示的な一実施形態によれば、アプリケーション機能によって、第４のメッセージに基づいて、サービス挙動を調整し得る。例示的な一実施形態によれば、データフローのパケット伝送レイテンシは、ユーザプレーン機能と無線デバイスとの間であり得る。例示的な一実施形態によれば、ユーザプレーン機能によって、ユーザプレーン機能と基地局との間のパケット伝送レイテンシを、基地局へ監視パケットを送信することにより監視してもよい。
【０１４１】
例示的な一実施形態によれば、ユーザプレーン機能によって、基地局と無線デバイスとの間のパケット伝送レイテンシを、基地局へ監視パケットを送信することにより問い合わせてもよい。例示的な一実施形態によれば、ユーザプレーン機能によって、ユーザプレーン機能とアプリケーションサーバとの間のパケット伝送レイテンシを、アプリケーションサーバへ監視パケットを送信することにより監視してもよい。
【０１４２】
例示的な一実施形態によれば、ユーザプレーン機能によって、セッション管理機能から第３のメッセージを受信し得る。第３のメッセージは、データフローについて、少なくとも１つのサービス品質（ＱｏＳ）イベントをサブスクライブしてもよい。第３のメッセージは、ＱｏＳイベントを示す情報要素を含んでもよい。第３のメッセージは、ＱｏＳ値が、エンドツーエンドのレイテンシ、ジッタ、生存時間、通信サービスの可用性、信頼値、またはユーザ体験データレートのうちの少なくとも１つを含み得ることを示す、情報要素を含んでもよい。例示的な一実施形態によれば、情報要素はサービスデータフローのテンプレートを示す。例示的な一実施形態によれば、情報要素はサービス／アプリケーションの識別子を示す。例示的な一実施形態によれば、情報要素はＰＤＵセッションの識別子を示す。例示的な一実施形態によれば、情報要素は無線デバイスのユーザ識別を示す。
【０１４３】
例示的な一実施形態によれば、セッション管理機能によって、アクセスおよびモビリティ管理機能へ、データフローについて少なくとも１つのサービス品質（ＱｏＳ）イベントをサブスクライブする第３のメッセージを送信し得る。第３のメッセージは、ＱｏＳイベントを示す、第４の情報要素を含んでもよい。第３のメッセージは、ＱｏＳ値がエンドツーエンドのレイテンシを含み得ることを示す、第５の情報要素を含んでもよい。例示的な一実施形態によれば、アクセスおよびモビリティ管理機能によって、第４のメッセージを基地局へ送信してもよい。第４のメッセージは、第３のメッセージの少なくとも１つの情報要素を含んでもよい。例示的な一実施形態によれば、第５の情報要素はジッタを含んでもよい。例示的な一実施形態によれば、第５の情報要素は生存時間を含んでもよい。例示的な一実施形態によれば、第５の情報要素は通信サービスの可用性を含んでもよい。例示的な一実施形態によれば、第５の情報要素は信頼値を含んでもよい。例示的な一実施形態によれば、第５の情報要素はユーザ体験データレートを含んでもよい。例示的な一実施形態によれば、第３のメッセージは、サービスデータフローのテンプレートを示す、第６の情報要素を含んでもよい。例示的な一実施形態によれば、第３のメッセージは、サービス／アプリケーションの識別子を示す、第７の情報要素を含んでもよい。例示的な一実施形態によれば、第３のメッセージは、ＰＤＵセッションの識別子を示す、第８の情報要素を含んでもよい。例示的な一実施形態によれば、第３のメッセージは、無線デバイスのユーザ識別を示す、第９の情報要素を含んでもよい。例示的な一実施形態によれば、基地局は、無線デバイスへ、データフローのパケット伝送レイテンシを監視するための監視パケットを送信してもよい。例示的な一実施形態によれば、基地局は、データフローのパケット伝送レイテンシおよびエンドツーエンドのレイテンシに基づいて、ＱｏＳイベントの発生を判定する。例示的な一実施形態によれば、基地局は、判定に応答して、第５のメッセージをアクセスおよびモビリティ管理機能へ送信してもよい。第５のメッセージは、ＱｏＳイベントの発生およびデータフローのパケット伝送レイテンシを示す情報要素を含んでもよい。例示的な一実施形態によれば、アクセスおよびモビリティ管理機能によって、第６のメッセージをセッション管理機能へ送信してもよい。第６のメッセージは、ＱｏＳイベントの発生およびデータフローのパケット伝送レイテンシを示す情報要素を含んでもよい。例示的な一実施形態によれば、ユーザプレーン機能によって、ユーザプレーン機能と基地局との間のパケット伝送レイテンシを、基地局へ監視パケットを送信することにより監視してもよい。例示的な一実施形態によれば、ユーザプレーン機能によって、基地局と無線デバイスとの間のパケット伝送レイテンシを、無線デバイスへ監視パケットを送信することによって監視してもよい。
【０１４４】
図２０は、本開示の一実施形態の一態様の流れ図である。２０１０で、ユーザプレーン機能によって、セッション管理機能から第１のメッセージを受信してもよい。第１のメッセージは、データフローについて、少なくとも１つのサービス品質（ＱｏＳ）レポートを要求してもよい。第１のメッセージは、ＱｏＳイベントを示す、第１の情報要素を含んでもよい。第１のメッセージは、ＱｏＳイベントに対する第１のＱｏＳ値を示す、第２の情報要素を含んでもよい。２０２０で、ユーザプレーン機能によって、無線デバイスへ、データフローの第２のＱｏＳ値を監視するための監視パケットを送信してもよい。２０３０で、ユーザプレーン機能によって、データフローの第２のＱｏＳ値および第１のＱｏＳ値に基づいて、ＱｏＳイベントの発生を判定してもよい。２０４０で、ユーザプレーン機能によって、判定に応答して、第２のメッセージをセッション管理機能へ送信してもよい。第２のメッセージは、ＱｏＳイベントの発生を示す、第３の情報要素を含んでもよい。例示的な一実施形態によれば、第１のＱｏＳ値および第２のＱｏＳ値は、エンドツーエンドのレイテンシを含んでもよい。例示的な一実施形態によれば、第１のＱｏＳ値および第２のＱｏＳ値は、ジッタを含んでもよい。例示的な一実施形態によれば、第１のＱｏＳ値および第２のＱｏＳ値は、生存時間を含んでもよい。例示的な一実施形態によれば、第１のＱｏＳ値および第２のＱｏＳ値は、通信サービスの可用性を含んでもよい。例示的な一実施形態によれば、第１のＱｏＳ値および第２のＱｏＳ値は、信頼値を含んでもよい。例示的な一実施形態によれば、第１のＱｏＳ値および第２のＱｏＳ値は、ユーザ体験データレートを含んでもよい。
【０１４５】
図２１は、本開示の一実施形態の一態様の流れ図である。２１１０で、ユーザプレーン機能によって、セッション管理機能から第１のメッセージを受信してもよい。第１のメッセージは、パケットデータユニットセッションのデータフローについて、少なくとも１つのサービス品質（ＱｏＳ）レポートを要求してもよい。第１のメッセージは、ＱｏＳイベントを示す、第１の情報要素を含んでもよい。第１のメッセージは、ＱｏＳイベントに対するレイテンシ値を示す、第２の情報要素を含んでもよい。２１２０で、ユーザプレーン機能によって、監視パケットを無線デバイスへ送信してもよい。監視パケットは、データフローのパケット伝送レイテンシを監視するためであってもよい。２１３０で、ユーザプレーン機能によって、データフローのパケット伝送レイテンシおよびレイテンシ値に基づいて、ＱｏＳイベントの発生を判定してもよい。２１４０で、ユーザプレーン機能によって、判定に応答して、第２のメッセージをセッション管理機能へ送信してもよい。第２のメッセージは、ＱｏＳイベントの発生を示す、第３の情報要素を含んでもよい。
【０１４６】
図２２は、本開示の一実施形態の一態様の流れ図である。２２１０で、ホームポリシー制御機能（ＨＰＣＦ：ｈｏｍｅ  ｐｏｌｉｃｙ  ｃｏｎｔｒｏｌ  ｆｕｎｃｔｉｏｎ）によって、アプリケーション機能から第１のメッセージを受信してもよい。第１のメッセージは、無線デバイスのデータフローについて、サービス品質（ＱｏＳ）イベントにサブスクライブすることを要求してもよい。第１のメッセージは、第１のＱｏＳイベントを示す、第１の情報要素を含んでもよい。第１のメッセージは、第１のＱｏＳイベントに対する第１のＱｏＳ値を示す、第２の情報要素を含んでもよい。２２２０で、ＨＰＣＦによって、第１のＱｏＳイベントおよび第１のＱｏＳ値に基づいて、データフローに対するＱｏＳ報告ポリシーを判定してもよい。ＱｏＳ報告ポリシーは、第２のＱｏＳイベントおよび第２のＱｏＳ値を含んでもよい。２２３０で、ＨＰＣＦによって、第２のメッセージを訪問先ポリシー制御機能（ＶＰＣＦ：ｖｉｓｉｔｅｄ  ｐｏｌｉｃｙ  ｃｏｎｔｒｏｌ  ｆｕｎｃｔｉｏｎ）へ送信してもよい。第２のメッセージは、ＱｏＳ報告ポリシーを含んでもよい。２２４０で、ＨＰＣＦによって、測定結果をＶＰＣＦから受信してもよい。測定結果は、第２のＱｏＳイベントの発生を示す、第３の情報要素を含んでもよい。測定結果は、測定されたＱｏＳ値を示す、第４の情報要素を含んでもよい。２２５０で、ＨＰＣＦによって、測定結果をアプリケーション機能へ送信してもよい。
【０１４７】
例示的な一実施形態によれば、第２のＱｏＳイベントの発生は、測定されたＱｏＳ値および第２のＱｏＳ値に基づいて判定されてもよい。例示的な一実施形態によれば、第１のＱｏＳ値は、エンドツーエンドのレイテンシを含んでもよい。例示的な一実施形態によれば、第１のＱｏＳ値はジッタを含んでもよい。例示的な一実施形態によれば、第１のＱｏＳ値は生存時間を含んでもよい。例示的な一実施形態によれば、第１のＱｏＳ値は通信サービスの可用性を含んでもよい。例示的な一実施形態によれば、第１のＱｏＳ値は信頼値を含んでもよい。例示的な一実施形態によれば、第１のＱｏＳ値はユーザ体験データレートを含んでもよい。例示的な一実施形態によれば、第２のＱｏＳ値は、エンドツーエンドのレイテンシを含んでもよい。例示的な一実施形態によれば、第２のＱｏＳ値はジッタを含んでもよい。例示的な一実施形態によれば、第２のＱｏＳ値は生存時間を含んでもよい。例示的な一実施形態によれば、第２のＱｏＳ値は通信サービスの可用性を含んでもよい。例示的な一実施形態によれば、第２のＱｏＳ値は信頼値を含んでもよい。例示的な一実施形態によれば、第２のＱｏＳ値はユーザ体験データレートを含んでもよい。例示的な一実施形態によれば、測定されたＱｏＳ値は、エンドツーエンドのレイテンシを含んでもよい。例示的な一実施形態によれば、測定されたＱｏＳ値はジッタを含んでもよい。例示的な一実施形態によれば、測定されたＱｏＳ値は生存時間を含んでもよい。例示的な一実施形態によれば、測定されたＱｏＳ値は通信サービスの可用性を含んでもよい。例示的な一実施形態によれば、測定されたＱｏＳ値は信頼値を含んでもよい。例示的な一実施形態によれば、測定されたＱｏＳ値はユーザ体験データレートを含んでもよい。
【０１４８】
例示的な一実施形態によれば、訪問先セッション管理機能によって、訪問先ポリシー制御機能から第３のメッセージを受信し得る。第３のメッセージは、データフローについて、ＱｏＳイベントにサブスクライブするように要求してもよい。第３のメッセージは、第２のＱｏＳイベントを示す情報要素を含んでもよい。第３のメッセージは、第２のＱｏＳ値を示す情報要素を含んでもよい。第２のＱｏＳ値は、エンドツーエンドのレイテンシを含んでもよい。第２のＱｏＳ値は、ジッタを含んでもよい。第２のＱｏＳ値は、生存時間を含んでもよい。第２のＱｏＳ値は、通信サービスの可用性を含んでもよい。第２のＱｏＳ値は、信頼値を含んでもよい。第２のＱｏＳ値は、ユーザ体験データレートを含んでもよい。第３のメッセージは、サービスデータフローのテンプレートを示す情報要素を含んでもよい。第３のメッセージは、サービス／アプリケーションの識別子を示す情報要素を含んでもよい。第３のメッセージは、ＰＤＵセッションの識別子を示す情報要素を含んでもよい。第３のメッセージは、無線デバイスのユーザ識別を示す情報要素を含んでもよい。訪問先セッション管理機能によって、第３のメッセージに応答して、第４のメッセージを訪問先ポリシー制御機能へ送信してもよい。
【０１４９】
例示的な一実施形態によれば、訪問先ユーザプレーン機能によって、訪問先セッション管理機能から第５のメッセージを受信し得る。第５のメッセージは、データフローについて、ＱｏＳイベントにサブスクライブするように要求してもよい。第５のメッセージは、第２のＱｏＳイベントを示す、第１の情報要素を含んでもよい。第５のメッセージは、第２のＱｏＳ値を示す、第２の情報要素を含んでもよい。訪問先ユーザプレーン機能によって、無線デバイスへ、データフローの第２のＱｏＳ値を監視するための監視パケットを送信してもよい。訪問先ユーザプレーン機能によって、データフローの第２のＱｏＳ値および測定されたＱｏＳ値に基づいて、ＱｏＳイベントの発生を判定してもよい。訪問先ユーザプレーン機能によって、第６のメッセージを訪問先セッション管理機能へ送信してもよい。第６のメッセージは、ＱｏＳイベントの発生を示す、第３の情報要素を含んでもよい。第６のメッセージは、測定されたＱｏＳ値を示す、第４の情報要素を含んでもよい。例示的な一実施形態によれば、訪問先セッション管理機能によって、第７のメッセージを訪問先ポリシー制御機能へ送信してもよい。第７のメッセージは、第３の情報要素および第４の情報要素を含んでもよい。
【０１５０】
例示的な一実施形態によれば、第１のメッセージは、サービスデータフローのテンプレートを示す情報要素を含んでもよい。例示的な一実施形態によれば、第１のメッセージは、サービス／アプリケーションの識別子を示す情報要素を含んでもよい。例示的な一実施形態によれば、第１のメッセージは、ＰＤＵセッションの識別子を示す情報要素を含んでもよい。例示的な一実施形態によれば、第１のメッセージは、無線デバイスのユーザ識別を示す情報要素を含んでもよい。
【０１５１】
例示的な一実施形態によれば、ＱｏＳ報告ポリシーおよび測定結果は、サービスデータフローのテンプレートを示す情報要素を含んでもよい。例示的な一実施形態によれば、ＱｏＳ報告ポリシーおよび測定結果は、サービス／アプリケーションの識別子を示す情報要素を含んでもよい。例示的な一実施形態によれば、ＱｏＳ報告ポリシーおよび測定結果は、ＰＤＵセッションの識別子を示す情報要素を含んでもよい。例示的な一実施形態によれば、ＱｏＳ報告ポリシーおよび測定結果は、無線デバイスのユーザ識別を示す情報要素を含んでもよい。
【０１５２】
例示的な一実施形態によれば、アプリケーション機能によって、測定結果に基づいて、サービス挙動を調整し得る。例示的な一実施形態によれば、ホームポリシー制御機能（ＨＰＣＦ）によって、アプリケーション機能から、データフローについてＱｏＳイベントを問い合わせる第３のメッセージを受信してもよい。第３のメッセージは、第１のＱｏＳイベントを示す情報要素を含んでもよい。第３のメッセージは、第１のＱｏＳイベントに対する第１のＱｏＳ値を示す、情報要素を含んでもよい。第１のＱｏＳ値は、エンドツーエンドのレイテンシを含んでもよい。第１のＱｏＳ値は、ジッタを含んでもよい。第１のＱｏＳ値は、生存時間を含んでもよい。第１のＱｏＳ値は、通信サービスの可用性を含んでもよい。第１のＱｏＳ値は、信頼値を含んでもよい。第１のＱｏＳ値は、ユーザ体験データレートを含んでもよい。第３のメッセージは、サービスデータフローのテンプレートを示す情報要素を含んでもよい。第３のメッセージは、サービス／アプリケーションの識別子を示す情報要素を含んでもよい。第３のメッセージは、ＰＤＵセッションの識別子を示す情報要素を含んでもよい。第３のメッセージは、無線デバイスのユーザ識別を示す情報要素を含んでもよい。例示的な一実施形態によれば、ホームポリシー制御機能によって、データフローについてＱｏＳイベントを問い合わせる第４のメッセージを、訪問先ポリシー制御機能へ送信してもよい。第４のメッセージは、第３のメッセージの情報要素のうちの少なくとも１つを含んでもよい。例示的な一実施形態によれば、訪問先ポリシー制御機能によって、データフローについてＱｏＳイベントを問い合わせる第５のメッセージを、訪問先セッション管理機能へ送信してもよい。第５のメッセージは、第４のメッセージの情報要素のうちの少なくとも１つを含んでもよい。例示的な一実施形態によれば、訪問先セッション管理機能によって、データフローについてＱｏＳイベントを問い合わせる第６のメッセージを、訪問先ユーザプレーン機能へ送信してもよく、第６のメッセージは、第５のメッセージの情報要素のうちの少なくとも１つを含んでもよい。例示的な一実施形態によれば、訪問先ユーザプレーン機能によって、第３のＱｏＳ値を測定してもよい。第３のＱｏＳ値は、エンドツーエンドのレイテンシを含んでもよい。第３のＱｏＳ値は、ジッタを含んでもよい。第３のＱｏＳ値は、生存時間を含んでもよい。第３のＱｏＳ値は、通信サービスの可用性を含んでもよい。第３のＱｏＳ値は、信頼値を含んでもよい。第３のＱｏＳ値は、ユーザ体験データレートを含んでもよい。訪問先ユーザプレーン機能によって、第３のＱｏＳ値を報告する第７のメッセージを、訪問先セッション管理機能へ送信してもよい。例示的な一実施形態によれば、訪問先セッション管理機能によって、第３のＱｏＳ値を報告する第８のメッセージを、訪問先ポリシー制御機能へ送信してもよい。例示的な一実施形態によれば、訪問先ポリシー制御機能によって、第３のＱｏＳ値を報告する第９のメッセージを、ホームポリシー制御機能へ送信してもよい。例示的な一実施形態によれば、ホームポリシー制御機能によって、第３のＱｏＳ値を報告する第１０のメッセージを、アプリケーション機能へ送信してもよい。例示的な一実施形態によれば、アプリケーション機能によって、第３のＱｏＳ値に基づいて、サービス挙動を調整し得る。
【０１５３】
例示的な一実施形態によれば、訪問先ポリシー制御機能によって、ホームポリシー制御機能から受信されたＱｏＳ報告ポリシーに基づいて、訪問先ＱｏＳ報告ポリシーを判定してもよい。訪問先ＱｏＳ報告ポリシーは、訪問先ＱｏＳイベントを含んでもよい。訪問先ＱｏＳ報告ポリシーは、訪問先ＱｏＳイベントに対する訪問先ＱｏＳ値を含んでもよい。例示的な一実施形態によれば、訪問先ポリシー制御機能によって、訪問先セッション管理機能へ送信されてもよく、第３のメッセージは、訪問先ＱｏＳ報告ポリシーを含んでもよい。
【０１５４】
図２３は、本開示の一実施形態の一態様の流れ図である。２３１０で、訪問先ポリシー制御機能によって、ホームポリシー制御機能から、データフローについて少なくとも１つのサービス品質（ＱｏＳ）イベントをサブスクライブする、第１のメッセージを受信してもよい。第１のメッセージは、ＱｏＳイベントを示す、第１の情報要素を含んでもよい。第１のメッセージは、ＱｏＳイベントに対する第１のＱｏＳ値を示す、第２の情報要素を含んでもよい。２３２０で、訪問先ポリシー制御機能によって、第２のメッセージをセッション管理機能へ送信してもよい。第２のメッセージは、第１の情報要素および第２の情報要素を含んでもよい。２３３０で、訪問先ポリシー制御機能によって、セッション管理機能から第３のメッセージを受信してもよい。第３のメッセージは、ＱｏＳイベントを示す、第３の情報要素を含んでもよい。第３のメッセージは、ＱｏＳイベントに対する第２のＱｏＳ値を示す、第４の情報要素を含んでもよい。２３４０で、訪問先ポリシー制御機能によって、第４のメッセージをホームポリシー制御機能へ送信してもよい。第４のメッセージは、第３の情報要素および第４の情報要素を含んでもよい。
【０１５５】
本開示において、「ある」および「１つ」（「ａ」および「ａｎ」）ならびに同様の語句は、「少なくとも１つ」または「１つ以上」と解釈されるべきである。同様に、「」（接尾語「（ｓ）」）で終わる任意の用語も、「少なくとも１つ」または「１つ以上」と解釈されるべきである。本開示において、「してもよい」、「し得る」（用語「ｍａｙ」）は、「場合があり、例えば」と解釈されるべきである。換言すれば、「してもよい」、「し得る」（用語「ｍａｙ」）は、その前に出てくる語句が、様々な実施形態のうちの１つ以上に用いられるかもしれない、または用いられないかもしれないという、多数の好適な可能性のうちの１つの例であることを暗示している。ＡおよびＢが集合であり、Ａの各要素もまた、Ｂの要素である場合、Ａは、Ｂの部分集合と呼ばれる。本明細書では、空でない集合および部分集合のみが考慮されている。例えば、Ｂ＝｛セル１，セル２｝の可能な部分集合は、｛セル１｝、｛セル２｝、および｛セル１，セル２｝である。「に基づいて（ｂａｓｅｄ  ｏｎ）」という語句は、その前に出てくる語句が、様々な実施形態のうちの１つ以上に使用されるかもしれない、または、されないかもしれないという多数の好適な可能性のうちの１つの例であることを暗示している。「に応答して（ｉｎ  ｒｅｓｐｏｎｓｅ  ｔｏ）」という語句は、その前に出てくる語句が、様々な実施形態のうちの１つ以上に使用されるかもしれない、または、されないかもしれないという多数の好適な可能性のうちの１つの例であることを暗示している。「含む（ｉｎｃｌｕｄｉｎｇ）」および「備える、含む（ｃｏｍｐｒｉｓｉｎｇ）」という用語は、「含むが、それに限定されない」という意味として解釈されるべきである。
【０１５６】
本開示および特許請求の範囲において、「第１」、「第２」、「第３」などの区別する用語は、要素の順序または要素の機能性を意味せず、別個の要素を識別する。区別する用語は、実施形態を記載するときに、他の区別する用語で置き換えられる場合がある。
【０１５７】
本開示において、様々な実施形態が開示されている。開示された例示的な実施形態からの制限、特徴、および／または要素を組み合わせて、本開示の範囲内で、さらなる実施形態を作り出すことができる。
【０１５８】
本開示では、パラメータ（情報要素：ＩＥ）は、１つ以上のオブジェクトを含んでもよく、それらのオブジェクトの各々は、１つ以上の他のオブジェクトを含んでもよい。例えば、パラメータ（ＩＥ）Ｎがパラメータ（ＩＥ）Ｍを含み、パラメータ（ＩＥ）Ｍがパラメータ（ＩＥ）Ｋを含み、パラメータ（ＩＥ）Ｋがパラメータ（情報要素）Ｊを含む場合、例えば、ＮはＫを含み、ＮはＪを含む。例示的な一実施形態では、１つ以上のメッセージが複数のパラメータを含むとき、複数のパラメータの中のあるパラメータは、１つ以上のメッセージのうちの少なくとも１つの中にあるが、１つ以上のメッセージの各々にある必要はないことを意味する。
【０１５９】
さらに、上記で提示された多くの特徴は、「してもよい、し得る（ｍａｙ）」の使用または括弧の使用によって任意選択であると説明されている。簡潔さおよび読みやすさのために、本開示は、１組の任意選択の特徴から選択することによって得ることができる、ありとあらゆる順列組み合わせを明示的には列挙していない。しかしながら、本開示は、そのような順列組み合わせをすべて、明示的に開示していると解釈されるべきである。例えば、３つの任意の特徴を有するものとして記載されたシステムは、７つの異なる方法で、すなわち３つの可能な特徴のうちの１つだけ、３つの可能な特徴のうちの任意の２つ、または３つの可能な特徴のうちの３つすべてで具現化することができる。
【０１６０】
開示された実施形態に記載された要素の多くは、モジュールとして実装されてもよい。モジュールは、ここでは、定義された機能を実行し、他の要素への定義されたインターフェースを有する分離可能な要素として定義される。本開示に記載されるモジュールは、ハードウェア、ハードウェアと組み合わせたソフトウェア、ファームウェア、ウェットウェア（すなわち、生物学的要素を有するハードウェア）、またはそれらの組み合わせにおいて実装されてもよく、それらは全て挙動的に等価である。例えば、モジュールは、ハードウェアマシンによって実行されるように構成された、コンピュータ言語（Ｃ、Ｃ＋＋、Ｆｏｒｔｒａｎ、Ｊａｖａ（登録商標）、Ｂａｓｉｃ、Ｍａｔｌａｂ、もしくは同様のものなど）で書かれたソフトウェアルーチン、またはＳｉｍｕｌｉｎｋ、Ｓｔａｔｅｆｌｏｗ、ＧＮＵ  Ｏｃｔａｖｅ、もしくはＬａｂＶＩＥＷＭａｔｈＳｃｒｉｐｔなどのモデリング／シミュレーションプログラムとして実装され得る。さらに、個別のまたはプログラム可能なアナログ、デジタル、および／もしくは量子ハードウェアを組み込む物理的ハードウェアを使用して、モジュールを実装することが可能であり得る。プログラム可能なハードウェアの例としては、コンピュータ、マイクロコントローラ、マイクロプロセッサ、特定用途向け集積回路（ＡＳＩＣ）、フィールドプログラマブルゲートアレイ（ＦＰＧＡ）、および複合プログラマブル論理デバイス（ＣＰＬＤ）が挙げられる。コンピュータ、マイクロコントローラ、およびマイクロプロセッサは、アセンブリ、Ｃ、Ｃ＋＋、または同様のものなどの言語を使用してプログラムされる。ＦＰＧＡ、ＡＳＩＣ、およびＣＰＬＤは、プログラマブルデバイス上で、機能がより少ない内部ハードウェアモジュール間の接続を構成する、ＶＨＳＩＣハードウェア記述言語（ＶＨＤＬ）またはＶｅｒｉｌｏｇなどのハードウェア記述言語（ＨＤＬ）を使用してプログラムされることが多い。最後に、上記の技術はしばしば、機能モジュールの結果を達成するために、組み合わせて使用されることを強調しておく必要がある。
【０１６１】
この特許文書の開示は、著作権保護の対象となる資料を組み込んでいる。著作権所有者は、特許商標庁の特許ファイルまたは記録に記載されているように、法律によって要求される限られた目的のために、誰による特許文書または特許開示の複製にも異存はないが、それ以外の場合は、すべての著作権を留保する。
【０１６２】
様々な実施形態を上述してきたが、それらは限定ではなく、例として提示したことを理解されたい。当業者には、範囲を逸脱することなく、形態および詳細の様々な変更をなし得ることが明らかであろう。実際、上記の説明を読んだ後、代替実施形態をどのように具現化するかは、当業者には明らかであろう。したがって、本実施形態は、上述の例示的な実施形態のいずれによっても限定されるべきではない。
【０１６３】
さらに、機能性および利点を強調する図は、いずれも例示目的のみのために提示されていることを理解されたい。開示されたアーキテクチャは、示されたもの以外の方法で利用され得るように、十分に柔軟性があり、かつ構成可能である。例えば、いくつかの実施形態においては、任意のフローチャートに列挙されたアクションは、並べ替えられてもよく、または単に任意選択で使用されてもよい。
【０１６４】
さらに、開示の要約書の目的は、米国特許商標庁および一般大衆、特に特許、または法的用語もしくは表現に精通していない当該分野の科学者、技術者、および実務家が、一瞥して出願の技術的な開示の性質および本質を迅速に判断できるようにすることである。開示の要約書は、いかなる意味においても、範囲を限定することを意図するものではない。
【０１６５】
最後に、「手段（ｍｅａｎｓ  ｆｏｒ）」または「ステップ（ｓｔｅｐ  ｆｏｒ）」という明示的な用語を含む請求項のみが、米国特許法第１１２条の下で解釈されることが出願人の意図である。「手段（ｍｅａｎｓ  ｆｏｒ）」または「ステップ（ｓｔｅｐ  ｆｏｒ）」という語句を明示的に含まない請求項は、米国特許法第１１２条に基づいて解釈されるべきではない。
【０１６６】
符号の説明
１００  ＵＥ
１０５  ＮＧ−ＲＡＮ、３ＧＰＰアクセス、（Ｒ）ＡＮ
１１０  ユーザプレーン機能ＵＰＦ、ＵＰＦ（ＣＮ＿ＵＰ）
１１５  ＤＮ
１２５  ネットワーク公開機能ＮＥＦ
１３０  ＮＦリポジトリ機能、ＮＲＦ
１３５  ポリシー制御機能ＰＣＦ
１４０  統合データ管理ＵＤＭ
１４５  アプリケーション機能ＡＦ
１５０  ＡＵＳＦ
１５５  アクセスおよびモビリティ管理機能ＡＭＦ
１６０  セッション管理機能ＳＭＦ
１６５  非３ＧＰＰ  ＡＮ、非３ＧＰＰアクセス
１７０  Ｎ３ＩＷＦ
５００  ＲＭ−登録解除
５１０  ＲＭ−登録
５２０  ＲＭ−登録解除
５３０  ＲＭ−登録
６００  ＣＭ−アイドル
６１０  ＣＭ−接続
６２０  ＣＭ−アイドル
６３０  ＣＭ−接続
７３０  アプリケーション／サービスレイヤ
１９１０  ステップ
１９２０  ステップ
１９３０  ステップ
１９４０  ステップ
２０１０  ステップ
２０２０  ステップ
２０３０  ステップ
２０４０  ステップ
２１１０  ステップ
２１２０  ステップ
２１３０  ステップ
２１４０  ステップ
２２１０  ステップ
２２２０  ステップ
２２３０  ステップ
２２４０  ステップ
２２５０  ステップ
２３１０  ステップ
２３２０  ステップ
２３３０  ステップ
２３４０  ステップ
【図１】
2021510467.tif 000003
【図２】
2021510467.tif 000004
【図３】
2021510467.tif 000005
【図４】
2021510467.tif 000006
【図５】
2021510467.tif 000007
【図６】
2021510467.tif 000008
【図７】
2021510467.tif 000009
【図８】
2021510467.tif 000010
【図９】
2021510467.tif 000011
【図１０】
2021510467.tif 000012
【図１１】
2021510467.tif 000013
【図１２】
2021510467.tif 000014
【図１３】
2021510467.tif 000015
【図１４】
2021510467.tif 000016
【図１５】
2021510467.tif 000017
【図１６】
2021510467.tif 000018
【図１７】
2021510467.tif 000019
【図１８】
2021510467.tif 000020
【図１９】
2021510467.tif 000021
【図２０】
2021510467.tif 000022
【図２１】
2021510467.tif 000023
【図２２】
2021510467.tif 000024
【図２３】
2021510467.tif 000025
【国際調査報告】
2021510467.tif 000026
2021510467.tif 000027
2021510467.tif 000028